(57)【要約】無線デバイスが、バッファステータスレポートプロシージャに基づく第１のスケジューリング要求（ＳＲ）を伝送する。ビーム障害回復を開始することに応答して第２のＳＲがトリガされる。第２のＳＲは、第２のＳＲのために構成されたアップリンク制御チャネルリソースを介して伝送される。第２のＳＲへの応答として、ダウンリンク制御チャネルを介して第１のダウンリンク制御情報が受信される。第１のダウンリンク制御情報を受信することに基づいて、第１のＳＲを保留し続け、かつビーム障害回復のための第２のＳＲがキャンセルされる。【選択図】図２１
2021512553.tif 000002
【特許請求の範囲】
【請求項１】
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンク制御チャネルリソースを介して前記第２のＳＲを伝送することと、
ダウンリンク制御チャネルを介して、前記第２のＳＲへの応答として第１のダウンリンク制御情報を受信することと、
前記第１のダウンリンク制御情報を受信することに基づいて、
前記第１のＳＲを保留状態に保持し、かつ
前記ビーム障害回復のための前記第２のＳＲをキャンセルすることと、を含む、方法。
【請求項２】
前記アップリンク制御チャネルリソースが、
周波数無線リソースと、
アップリンク制御チャネルフォーマットと、
基本シーケンスのサイクリックシフトと、
時間無線リソースと、のうちの少なくとも１つを含む、請求項１に記載の方法。
【請求項３】
前記第１のダウンリンク制御情報が、ダウンリンク割り当てを含む、請求項１に記載の方法。
【請求項４】
前記第１のダウンリンク制御情報が、アップリンク許可を含む、請求項１に記載の方法。
【請求項５】
前記第２のＳＲをキャンセルすることに応答して、前記ビーム障害回復を完了することをさらに含む、請求項１に記載の方法。
【請求項６】
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、請求項１に記載の方法。
【請求項７】
前記無線デバイスが、前記第２の構成パラメータに基づいて前記第２のＳＲをトリガする、請求項６に記載の方法。
【請求項８】
前記第２の構成パラメータが、前記第２のＳＲのための前記アップリンク制御チャネルリソースを示す、請求項６に記載の方法。
【請求項９】
前記無線デバイスが、ビーム障害インスタンス数を検出することに応答して、前記ビーム障害回復を開始する、請求項１に記載の方法。
【請求項１０】
前記無線デバイスは、１つ以上の基準信号リソースのチャネル品質が１つ以上の第１の閾値よりも低いことに応答して、前記ビーム障害インスタンス数を検出する、請求項９に記載の方法。
【請求項１１】
複数の基準信号から、前記ビーム障害回復を開始することに応答して１つ以上の第２の閾値に基づいて第１の基準信号を選択することをさらに含む、請求項９に記載の方法。
【請求項１２】
前記第２のＳＲが、前記第１の基準信号の基準信号受信パワー値を示す、請求項１１に記載の方法。
【請求項１３】
前記第２のＳＲが、
前記ビーム障害インスタンス数が検出されることと、
前記第１の基準信号が選択されることと、のうちの少なくとも一方を示す、請求項１１に記載の方法。
【請求項１４】
前記第１のダウンリンク制御情報について前記ダウンリンク制御チャネルをモニタすることをさらに含む、請求項１に記載の方法。
【請求項１５】
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、請求項１４に記載の方法。
【請求項１６】
前記ダウンリンク制御チャネルが、前記第２のＳＲと関連付けられる、請求項１４に記載の方法。
【請求項１７】
前記ダウンリンク制御チャネルが前記第２のＳＲと関連付けられることが、
前記第２のＳＲに基づいて前記ダウンリンク制御チャネルの少なくとも１つの制御リソースセットが決定されることと、
前記第２のＳＲに基づいて前記ダウンリンク制御チャネルの少なくとも１つの探索空間が決定されることと、のうちの少なくとも一方を含む、請求項１６に記載の方法。
【請求項１８】
前記第１のＳＲを保留状態に保持することに応答して、前記第１のＳＲのために構成された第２のアップリンク制御チャネルリソースを介して前記第１のＳＲを伝送することをさらに含む、請求項１に記載の方法。
【請求項１９】
第２のダウンリンク制御チャネルを介して、１つ以上のアップリンク許可を含む１つ以上の第２のダウンリンク制御情報を受信することをさらに含む、請求項１８に記載の方法。
【請求項２０】
前記１つ以上のアップリンク許可がアップリンク伝送に利用可能なデータに対応していることに応答して、前記第１のＳＲをキャンセルすることをさらに含む、請求項１９に記載の方法。
【請求項２１】
方法であって、
無線デバイスによって、バッファステータスレポートプロシージャに基づく第１のスケジューリング要求（ＳＲ）を伝送することと、
ビーム障害回復を開始することに基づいて、第２のＳＲをトリガすることと、
前記第２のＳＲを伝送することと、
前記第２のＳＲに応答して第１のダウンリンク制御情報を受信することと、
前記第１のダウンリンク制御情報を受信することに基づいて、
前記第１のＳＲを保留状態に保持し、かつ
前記第２のＳＲをキャンセルすることと、を含む、方法。
【請求項２２】
無線デバイスであって、
１つ以上のプロセッサと、
命令を記憶するメモリと、を備え、前記命令は、前記１つ以上のプロセッサによって実行されると、前記無線デバイスに、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンク制御チャネルリソースを介して前記第２のＳＲを伝送することと、
ダウンリンク制御チャネルを介して、前記第２のＳＲへの応答として第１のダウンリンク制御情報を受信することと、
前記第１のダウンリンク制御情報に基づいて、
前記第１のＳＲを保留状態に保持し、かつ
前記ビーム障害回復のための前記第２のＳＲをキャンセルすることと、を行わせる、無線デバイス。
【請求項２３】
方法であって、
基地局によって、セルの構成パラメータを含む１つ以上の無線リソース制御メッセージを伝送することであって、前記構成パラメータが、
論理チャネルと関連付けられた第１のスケジューリング要求（ＳＲ）構成と、
ビーム障害回復と関連付けられた第２のＳＲ構成と、を示す、伝送することと、
バッファステータスレポートプロシージャに基づく第１のアップリンク制御リソースを介して前記第１のＳＲ構成に基づく第１のＳＲを受信することと、
ビーム障害回復のための第２のアップリンク制御リソースを介して前記第２のＳＲ構成に基づく第２のＳＲを受信することと、
前記第２のＳＲへの応答としてダウンリンク制御情報の伝送のための制御リソースセットを決定することと、
前記第１のＳＲおよび前記第２のＳＲに基づいて、前記制御リソースセット上のダウンリンク制御チャネルを介して、１つ以上のアップリンク許可を含む前記ダウンリンク制御情報を伝送することと、を含む、方法。
【請求項２４】
前記第１のＳＲ構成が、前記第１のアップリンク制御リソースを含む、請求項２３に記載の方法。
【請求項２５】
前記第２のＳＲ構成が、前記第２のアップリンク制御リソースを含む、請求項２３に記載の方法。
【請求項２６】
前記第１のアップリンク制御リソースが、
第１の周波数無線リソースと、
第１のアップリンク制御チャネルフォーマットと、
基本シーケンスの第１のサイクリックシフトと、
第１の時間無線リソースと、のうちの少なくとも１つを含む、請求項２３に記載の方法。
【請求項２７】
前記第２のアップリンク制御リソースが、
第２の周波数無線リソースと、
第２のアップリンク制御チャネルフォーマットと、
基本シーケンスの第２のサイクリックシフトと、
第２の時間無線リソースと、のうちの少なくとも１つを含む、請求項２３に記載の方法。
【請求項２８】
前記第２のＳＲが、第１の基準信号の基準信号受信パワー値を示す、請求項２３に記載の方法。
【請求項２９】
前記第２のＳＲが、
ビーム障害インスタンス数が検出されることと、
第１の基準信号が選択されることと、のうちの少なくとも一方を示す、請求項２３に記載の方法。
【請求項３０】
ビーム障害インスタンス数を検出することに応答して、無線デバイスが前記ビーム障害回復を開始することをさらに含む、請求項２３に記載の方法。
【請求項３１】
前記無線デバイスは、１つ以上の基準信号リソースのチャネル品質が１つ以上の第１の閾値よりも低いことに応答して、前記ビーム障害インスタンス数を検出する、請求項３０に記載の方法。
【請求項３２】
複数の基準信号から、前記ビーム障害回復を開始することに応答して１つ以上の第２の閾値に基づいて第１の基準信号を選択することをさらに含む、請求項３０に記載の方法。
【請求項３３】
前記第２のＳＲが、前記第１の基準信号の基準信号受信パワー値を示す、請求項３２に記載の方法。
【請求項３４】
前記第２のＳＲが、
前記ビーム障害インスタンス数が検出されることと、
前記第１の基準信号が選択されることと、のうちの少なくとも一方を示す、請求項３２に記載の方法。
【請求項３５】
方法であって、
バッファステータスレポートプロシージャに基づく第１のアップリンク制御リソースを介して、論理チャネルと関連付けられた第１のＳＲ構成に基づく第１のＳＲを受信することと、
ビーム障害回復のための第２のアップリンク制御リソースを介して、ビーム障害回復と関連付けられた第２のＳＲ構成に基づく第２のＳＲを受信することと、
前記第２のＳＲに応答してダウンリンク制御情報の伝送のための制御リソースセットを決定することと、
前記第１のＳＲおよび前記第２のＳＲに基づいて、かつ前記制御リソースセットを介して、アップリンク許可を含む前記ダウンリンク制御情報を伝送することと、を含む、方法。
【請求項３６】
方法であって、
無線デバイスによって、ビーム障害回復を開始することに応答して、スケジューリング要求をトリガすることと、
複数の基準信号から基準信号を決定することと、
アップリンク制御チャネルリソースを介して、前記スケジューリング要求のためのアップリンク制御情報を伝送することであって、前記アップリンク制御情報が、
前記基準信号を示す基準信号識別子と、
前記基準信号の基準信号受信パワー値と、のうちの少なくとも一方を含む、伝送することと、
前記ビーム障害回復と関連付けられた制御リソースセット上のダウンリンク制御チャネルを介して、前記アップリンク制御情報への応答としてダウンリンク制御情報を受信することと、
前記ダウンリンク制御情報に基づいて、前記スケジューリング要求をキャンセルすることと、
前記スケジューリング要求をキャンセルすることに応答して、前記ビーム障害回復を完了することと、を含む、方法。
【請求項３７】
前記無線デバイスが、１つ以上の閾値に基づいて前記基準信号を決定する、請求項３６に記載の方法。
【請求項３８】
前記ビーム障害回復と関連付けられたスケジューリング要求構成の第１の構成パラメータを含む１つ以上のメッセージを受信することをさらに含み、前記第１の構成パラメータが、前記スケジューリング要求のための前記アップリンク制御チャネルリソースを示す、請求項３６に記載の方法。
【請求項３９】
前記アップリンク制御チャネルリソースの１つ以上の構成パラメータが、
周波数無線リソースと、
アップリンク制御チャネルフォーマットと、
基本シーケンスのサイクリックシフトと、
時間無線リソースと、のうちの少なくとも１つを含む、請求項３６に記載の方法。
【請求項４０】
前記制御リソースセットの１つ以上の構成パラメータが、
制御リソースセットインデックスと、
シンボル数と、
リソースブロックのセットと、
制御チャネル要素対リソース要素グループマッピング表示と、のうちの少なくとも１つを含む、請求項３６に記載の方法。
【請求項４１】
前記ダウンリンク制御情報が、ダウンリンクトランスポートブロック伝送のためのダウンリンク無線リソース割り当てを含む、請求項３６に記載の方法。
【請求項４２】
前記ダウンリンク制御情報が、アップリンクトランスポートブロック伝送のためのアップリンク許可を含む、請求項３６に記載の方法。
【請求項４３】
前記無線デバイスが、ビーム障害インスタンス数を検出することに応答して、前記ビーム障害回復を開始する、請求項３６に記載の方法。
【請求項４４】
前記無線デバイスは、１つ以上の基準信号リソースのチャネル品質が１つ以上の閾値よりも低いことに応答して、前記ビーム障害インスタンス数を検出する、請求項４３に記載の方法。
【請求項４５】
前記ビーム障害回復と関連付けられたスケジューリング要求構成の第１の構成パラメータを含む１つ以上のメッセージを受信することをさらに含み、前記第１の構成パラメータが、前記ビーム障害回復のための前記制御リソースセットを示す、請求項３６に記載の方法。
【請求項４６】
前記１つ以上のメッセージが、論理チャネルと関連付けられた少なくとも第２のスケジューリング要求構成の第２の構成パラメータをさらに含み、前記第２の構成パラメータが、第２のアップリンク制御チャネルリソースを示す、請求項４５に記載の方法。
【請求項４７】
前記論理チャネルのバッファステータスレポートプロシージャのための前記少なくとも第２のスケジューリング要求構成に基づいて第２のスケジューリング要求を伝送することをさらに含む、請求項４６に記載の方法。
【請求項４８】
前記無線デバイスが、前記第２のアップリンク制御チャネルリソースを介して前記第２のスケジューリング要求を伝送する、請求項４７に記載の方法。
【請求項４９】
前記ビーム障害回復のための前記アップリンク制御情報を伝送することに応答して、応答ウィンドウで、前記制御リソースセット上の前記ダウンリンク制御チャネルをモニタすることをさらに含む、請求項３６に記載の方法。
【請求項５０】
前記応答ウィンドウの持続時間が、無線リソース制御メッセージに構成されている、請求項４９に記載の方法。
【請求項５１】
前記応答ウィンドウが、タイマ値を有するタイマを含む、請求項４９に記載の方法。
【請求項５２】
前記アップリンク制御情報を伝送することに応答して前記応答ウィンドウを開始することをさらに含む、請求項４９に記載の方法。
【請求項５３】
前記応答ウィンドウ内で前記応答を受信しないことに応答して、前記アップリンク制御情報を再伝送することをさらに含む、請求項５２に記載の方法。
【請求項５４】
前記応答ウィンドウ内で前記応答を受信しないことに応答して、要求カウンタをインクリメントすることをさらに含む、請求項５２に記載の方法。
【請求項５５】
前記要求カウンタが第１の値以上であることに応答して、前記スケジューリング要求をキャンセルすることをさらに含む、請求項５４に記載の方法。
【請求項５６】
前記スケジューリング要求をキャンセルすることに応答して、前記ビーム障害回復を完了することをさらに含む、請求項５５に記載の方法。
【請求項５７】
方法であって、
無線デバイスによって、ビーム障害回復を開始することに基づいてスケジューリング要求をトリガすることと、
複数の基準信号から基準信号を決定することと、
アップリンク制御チャネルリソースを介して、前記スケジューリング要求のためのアップリンク制御情報を伝送することと、
前記ビーム障害回復と関連付けられた制御リソースセットを介して、前記アップリンク制御情報に基づくダウンリンク制御情報を受信することと、
前記ダウンリンク制御情報に基づいて、前記スケジューリング要求をキャンセルすることと、
前記スケジューリング要求をキャンセルすることに応答して、前記ビーム障害回復を完了することと、を含む、方法。
【請求項５８】
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンクリソースを介して前記第２のＳＲを伝送することと、
前記第２のＳＲに応答して第１のダウンリンク制御情報を受信することと、
前記第１のダウンリンク制御情報がアップリンク許可を含むことに基づいて、
前記第１のＳＲをキャンセルし、かつ
前記ビーム障害回復のための前記第２のＳＲをキャンセルすることと、を含む、方法。
【請求項５９】
前記アップリンクリソースが、
周波数無線リソースと、
アップリンク制御チャネルフォーマットと、
基本シーケンスのサイクリックシフトと、
時間無線リソースと、のうちの少なくとも１つを含む、請求項５８に記載の方法。
【請求項６０】
前記第２のＳＲをキャンセルすることに応答して、前記ビーム障害回復を完了することをさらに含む、請求項５８に記載の方法。
【請求項６１】
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、請求項５８に記載の方法。
【請求項６２】
前記無線デバイスが、前記第２の構成パラメータに基づいて前記第２のＳＲをトリガする、請求項６１に記載の方法。
【請求項６３】
前記第２の構成パラメータが、前記第２のＳＲのためのアップリンク制御チャネルの前記アップリンクリソースを示す、請求項６１に記載の方法。
【請求項６４】
前記無線デバイスが、ビーム障害インスタンス数を検出することに応答して、前記ビーム障害回復を開始する、請求項５８に記載の方法。
【請求項６５】
前記無線デバイスは、１つ以上の基準信号リソースのチャネル品質が１つ以上の第１の閾値よりも低いことに応答して、前記ビーム障害インスタンス数を検出する、請求項６４に記載の方法。
【請求項６６】
複数の基準信号から、前記ビーム障害回復を開始することに応答して１つ以上の第２の閾値に基づいて第１の基準信号を選択することをさらに含む、請求項６４に記載の方法。
【請求項６７】
前記第２のＳＲが、前記第１の基準信号の基準信号受信パワー値を示す、請求項６６に記載の方法。
【請求項６８】
前記第２のＳＲが、
前記ビーム障害インスタンス数が検出されることと、
前記第１の基準信号が選択されることと、のうちの少なくとも一方を示す、請求項６６に記載の方法。
【請求項６９】
前記第１のダウンリンク制御情報のためのダウンリンク制御チャネルをモニタすることをさらに含む、請求項５８に記載の方法。
【請求項７０】
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、請求項６９に記載の方法。
【請求項７１】
前記ダウンリンク制御チャネルが、前記第２のＳＲに関連付けられる、請求項７０に記載の方法。
【請求項７２】
前記ダウンリンク制御チャネルが前記第２のＳＲと関連付けられることが、
前記第２のＳＲに基づいて前記ダウンリンク制御チャネルの少なくとも１つの制御リソースセットが決定されることと、
前記第２のＳＲに基づいて前記ダウンリンク制御チャネルの少なくとも１つの探索空間が決定されることと、のうちの少なくとも一方を含む、請求項７１に記載の方法。
【請求項７３】
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンクリソースを介して前記第２のＳＲを伝送することと、
前記第２のＳＲに応答して第１のダウンリンク制御情報を受信することと、
前記第１のダウンリンク制御情報がダウンリンク割り当てを含むことに基づいて、
前記第１のＳＲを保留状態に保持し、かつ
前記ビーム障害回復のための前記第２のＳＲをキャンセルすることと、を含む、方法。
【請求項７４】
前記アップリンクリソースが、
周波数無線リソースと、
アップリンク制御チャネルフォーマットと、
基本シーケンスのサイクリックシフトと、
時間無線リソースと、のうちの少なくとも１つを含む、請求項７３に記載の方法。
【請求項７５】
前記第２のＳＲをキャンセルすることに応答して、前記ビーム障害回復を完了することをさらに含む、請求項７３に記載の方法。
【請求項７６】
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、請求項７３に記載の方法。
【請求項７７】
前記無線デバイスが、前記第２の構成パラメータに基づいて前記第２のＳＲをトリガする、請求項７６に記載の方法。
【請求項７８】
前記第２の構成パラメータが、前記第２のＳＲのためのアップリンク制御チャネルの前記アップリンクリソースを示す、請求項７６に記載の方法。
【請求項７９】
前記無線デバイスが、ビーム障害インスタンス数を検出することに応答して、前記ビーム障害回復を開始する、請求項７３に記載の方法。
【請求項８０】
前記無線デバイスは、１つ以上の基準信号リソースのチャネル品質が１つ以上の第１の閾値よりも低いことに応答して、前記ビーム障害インスタンス数を検出する、請求項７９に記載の方法。
【請求項８１】
複数の基準信号から、前記ビーム障害回復を開始することに応答して１つ以上の第２の閾値に基づいて第１の基準信号を選択することをさらに含む、請求項７９に記載の方法。
【請求項８２】
前記第２のＳＲが、前記第１の基準信号の基準信号受信パワー値を示す、請求項８１に記載の方法。
【請求項８３】
前記第２のＳＲが、
前記ビーム障害インスタンス数が検出されることと、
前記第１の基準信号が選択されることと、のうちの少なくとも一方を示す、請求項８１に記載の方法。
【請求項８４】
前記第１のダウンリンク制御情報のためのダウンリンク制御チャネルをモニタすることをさらに含む、請求項７３に記載の方法。
【請求項８５】
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、請求項８４に記載の方法。
【請求項８６】
前記ダウンリンク制御チャネルが、前記第２のＳＲに関連付けられる、請求項８４に記載の方法。
【請求項８７】
前記ダウンリンク制御チャネルが前記第２のＳＲと関連付けられることが、
前記ダウンリンク制御チャネルの少なくとも１つの制御リソースセットが、前記第２のＳＲに基づいて決定されることと、
前記ダウンリンク制御チャネルの少なくとも１つの探索空間が、前記第２のＳＲに基づいて決定されることと、のうちの少なくとも一方を含む、請求項８６に記載の方法。
【請求項８８】
前記第１のＳＲを保留状態に保持することに応答して、前記第１のＳＲのために構成された第２のアップリンク制御チャネルリソースを介して前記第１のＳＲを伝送することをさらに含む、請求項７３に記載の方法。
【請求項８９】
第２のダウンリンク制御チャネルを介して、１つ以上のアップリンク許可を含む１つ以上の第２のダウンリンク制御情報を受信することをさらに含む、請求項８８に記載の方法。
【請求項９０】
前記１つ以上のアップリンク許可がアップリンク伝送に利用可能なデータに対応していることに応答して、前記第１のＳＲをキャンセルすることをさらに含む、請求項８９に記載の方法。
【請求項９１】
方法であって、
無線デバイスによって、バッファステータスレポートプロシージャに基づく第１のスケジューリング要求（ＳＲ）をトリガすることと、
ビーム障害回復を開始することに基づいて、第２のＳＲをトリガすることと、
前記第２のＳＲと関連付けられたアップリンクリソースを介して前記第２のＳＲを伝送することと、
前記第２のＳＲへの応答のためのダウンリンク制御チャネルをモニタすることと、
ＳＲカウンタが第１の値以上であることに基づいて、前記第２のＳＲをキャンセルし、
前記第１のＳＲを保留状態に保持し、かつ
前記ビーム障害回復のためのランダムアクセスプロシージャを開始することと、を含む、方法。
【請求項９２】
前記アップリンクリソースが、
周波数無線リソースと、
アップリンク制御チャネルフォーマットと、
基本シーケンスのサイクリックシフトと、
時間無線リソースと、のうちの少なくとも１つを含む、請求項９１に記載の方法。
【請求項９３】
前記第２のＳＲをキャンセルすることに応答して、前記ビーム障害回復を完了することをさらに含む、請求項９１に記載の方法。
【請求項９４】
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、請求項９１に記載の方法。
【請求項９５】
前記無線デバイスが、前記第２の構成パラメータに基づいて前記第２のＳＲをトリガする、請求項９４に記載の方法。
【請求項９６】
前記第２の構成パラメータが、前記第２のＳＲのためのアップリンク制御チャネルの前記アップリンクリソースを示す、請求項９４に記載の方法。
【請求項９７】
前記無線デバイスが、ビーム障害インスタンス数を検出することに応答して、前記ビーム障害回復を開始する、請求項９１に記載の方法。
【請求項９８】
前記無線デバイスは、１つ以上の基準信号リソースのチャネル品質が１つ以上の第１の閾値よりも低いことに応答して、前記ビーム障害インスタンス数を検出する、請求項９７に記載の方法。
【請求項９９】
複数の基準信号から、前記ビーム障害回復を開始することに応答して１つ以上の第２の閾値に基づいて第１の基準信号を選択することをさらに含む、請求項９７に記載の方法。
【請求項１００】
前記第２のＳＲが、前記第１の基準信号の基準信号受信パワー値を示す、請求項９９に記載の方法。
【請求項１０１】
前記第２のＳＲが、
前記ビーム障害インスタンス数が検出されることと、
前記第１の基準信号が選択されることと、のうちの少なくとも一方を示す、請求項９９に記載の方法。
【請求項１０２】
前記応答のためのダウンリンク制御チャネルをモニタすることをさらに含む、請求項９１に記載の方法。
【請求項１０３】
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、請求項１０２に記載の方法。
【請求項１０４】
前記ダウンリンク制御チャネルが、前記第２のＳＲと関連付けられる、請求項１０２に記載の方法。
【請求項１０５】
前記ダウンリンク制御チャネルが前記第２のＳＲと関連付けられることが、
前記ダウンリンク制御チャネルの少なくとも１つの制御リソースセットが、前記第２のＳＲに基づいて決定されることと、
前記ダウンリンク制御チャネルの少なくとも１つの探索空間が、前記第２のＳＲに基づいて決定されることと、のうちの少なくとも一方を含む、請求項１０４に記載の方法。
【請求項１０６】
前記無線デバイスが、応答ウィンドウで前記ダウンリンク制御チャネルをモニタする、請求項９１に記載の方法。
【請求項１０７】
前記応答ウィンドウのサイズが、ＲＲＣメッセージに構成されている、請求項１０６に記載の方法。
【請求項１０８】
前記応答ウィンドウで前記応答を受信しないことに基づいて、前記ＳＲカウンタをインクリメントすることをさらに含む、請求項１０７に記載の方法。
【請求項１０９】
前記第１のＳＲを保留状態に保持することに応答して、前記第１のＳＲのために構成された第２のアップリンク制御チャネルリソースを介して前記第１のＳＲを伝送することをさらに含む、請求項９１に記載の方法。
【請求項１１０】
第２のダウンリンク制御チャネルを介して、１つ以上のアップリンク許可を含む１つ以上の第２のダウンリンク制御情報を受信することをさらに含む、請求項１０９に記載の方法。
【請求項１１１】
前記１つ以上のアップリンク許可がアップリンク伝送に利用可能なデータに対応していることに応答して、前記第１のＳＲをキャンセルすることをさらに含む、請求項１１０に記載の方法。
【請求項１１２】
方法であって、
無線デバイスによって、ビーム障害インスタンス数を検出することに基づいて、ビーム障害回復を開始することと、
ランダムアクセスチャネルリソースを介して、前記ビーム障害回復を開始することに応答して、プリアンブルを伝送することと、
前記プリアンブルへの第１の応答を受信しないことに応答して、要求伝送カウンタをインクリメントすることと、
アップリンク制御チャネルリソースを介して、前記ビーム障害回復のためのアップリンク制御情報を伝送することと、
前記アップリンク制御情報への第２の応答を受信しないことに応答して、前記要求伝送カウンタをインクリメントすることと、
前記要求伝送カウンタが第１の値以上であることに応答して、前記ビーム障害回復を完了することと、を含む、方法。
【請求項１１３】
前記無線デバイスは、１つ以上の基準信号リソースのチャネル品質が１つ以上の第１の閾値よりも低いことに応答して、前記ビーム障害インスタンス数を検出する、請求項１１２に記載の方法。
【請求項１１４】
前記アップリンク制御チャネルリソースが、
周波数無線リソースと、
アップリンク制御チャネルフォーマットと、
基本シーケンスのサイクリックシフトと、
時間無線リソースと、のうちの少なくとも１つを含む、請求項１１２に記載の方法。
【請求項１１５】
複数の基準信号から、前記ビーム障害回復を開始することに応答して１つ以上の第２の閾値に基づいて第１の基準信号を選択することをさらに含む、請求項１１２に記載の方法。
【請求項１１６】
前記ランダムアクセスチャネルリソースが、前記第１の基準信号と関連付けられる、請求項１１５に記載の方法。
【請求項１１７】
前記プリアンブルの前記伝送に基づいて、第１の時間値で応答ウィンドウを開始することをさらに含む、請求項１１２に記載の方法。
【請求項１１８】
前記無線デバイスは、前記応答ウィンドウが満了すると、前記プリアンブルへの前記第１の応答を受信しないことに応答して、前記要求伝送カウンタをインクリメントする、請求項１１７に記載の方法。
【請求項１１９】
前記アップリンク制御情報を伝送することに応答して、時間値で応答ウィンドウを開始することをさらに含む、請求項１１２に記載の方法。
【請求項１２０】
前記無線デバイスは、前記応答ウィンドウが満了すると、前記アップリンク制御情報への前記第２の応答を受信しないことに応答して、前記要求伝送カウンタをインクリメントする、請求項１１９に記載の方法。
【請求項１２１】
方法であって、
ランダムアクセスチャネルリソースを介して、ビーム障害回復を開始することに基づいて、プリアンブルを伝送することと、
前記プリアンブルへの第１の応答を受信しないことに基づいて、要求伝送カウンタをインクリメントすることと、
アップリンク制御チャネルリソースを介して、前記ビーム障害回復のためのアップリンク制御情報を伝送することと、
要求伝送カウンタが第１の値以上であることに基づいて、前記ビーム障害回復を完了することと、を含む、方法。
【請求項１２２】
方法であって、
第１のランダムアクセスチャネルリソースを介して、前記第１のランダムアクセスチャネルリソースが第１のアップリンク制御チャネルリソースよりも早いことに基づいて、ビーム障害回復のためのプリアンブルを伝送することと、
応答ウィンドウ中に前記プリアンブルへの応答を受信せず、かつ
前記第２のアップリンク制御チャネルリソースが、第２のランダムアクセスチャネルリソースよりも早いことに基づいて、前記ビーム障害回復のためのアップリンク制御情報を、第２のアップリンク制御チャネルリソースを介して伝送することと、を含む、方法。
【請求項１２３】
前記第１のアップリンク制御チャネルリソースが、
周波数無線リソースと、
アップリンク制御チャネルフォーマットと、
基本シーケンスのサイクリックシフトと、
時間無線リソースと、のうちの少なくとも１つを含む、請求項１２２に記載の方法。
【請求項１２４】
前記プリアンブルを伝送することに応答して前記応答ウィンドウを開始することをさらに含む、請求項１２２に記載の方法。
【請求項１２５】
前記アップリンク制御情報を伝送することに応答して前記応答ウィンドウを開始することをさらに含む、請求項１２２に記載の方法。
【請求項１２６】
ビーム障害インスタンス数を検出することに基づいて前記ビーム障害回復を開始することをさらに含む、請求項１２２に記載の方法。
【請求項１２７】
無線デバイスは、１つ以上の基準信号リソースのチャネル品質が１つ以上の第１の閾値よりも低いことに応答して、前記ビーム障害インスタンス数を検出する、請求項１２６に記載の方法。
【請求項１２８】
複数の基準信号から、前記ビーム障害回復を開始することに応答して１つ以上の第２の閾値に基づいて第１の基準信号を選択することをさらに含む、請求項１２６に記載の方法。
【請求項１２９】
前記第１のランダムアクセスチャネルリソースが、前記第１の基準信号と関連付けられる、請求項１２８に記載の方法。
【請求項１３０】
前記第１のアップリンク制御チャネルリソースが、前記第１の基準信号と関連付けられる、請求項１２９に記載の方法。
【請求項１３１】
方法であって、
無線デバイスによって、ビーム障害インスタンス数を検出することに基づいて、ビーム障害回復を開始することと、
前記ビーム障害回復を開始することに応答して、第１のランダムアクセスチャネルリソースが第１のアップリンク制御チャネルリソースよりも早いと決定することと、
前記第１のランダムアクセスチャネルリソースを介して、前記ビーム障害回復のためのプリアンブルを伝送することと、
前記プリアンブルへの応答のためのダウンリンク制御チャネルをモニタすることと、
前記応答を受信しないことに応答して、第２のアップリンク制御チャネルリソースが第２のランダムアクセスチャネルリソースよりも早いと決定することと、
前記第２のアップリンク制御チャネルリソースを介して、前記ビーム障害回復のためのアップリンク制御情報を伝送することと、を含む、方法。
【発明の詳細な説明】
【背景技術】
【０００１】
関連出願の相互参照
本出願は、２０１８年３月３０日に出願された米国仮特許出願第６２／６５０，７３３号の優先権を主張し、その出願は、参照によりその全体が本明細書に組み込まれる。
【発明の概要】
【課題を解決するための手段】
【０００２】
本開示の例示的な実施形態は、ビーム障害回復プロシージャの動作を可能にする。本明細書で開示される技術の実施形態は、マルチキャリア通信システムの技術分野で用いられてもよい。より具体的には、本明細書で開示される技術の実施形態は、マルチキャリア通信システムにおけるビーム障害回復プロシージャに関連してもよい。
【図面の簡単な説明】
【０００３】
本開示の様々な実施形態のうちのいくつかの例が、図面を参照して本明細書に記載されている。
【図１】本開示の実施形態の一態様に基づく、例示的なＲＡＮアーキテクチャの略図である。
【図２Ａ】本開示の実施形態の一態様に基づく、例示的なユーザプレーンプロトコルスタックの略図である。
【図２Ｂ】本開示の実施形態の一態様に基づく、例示的な制御プレーンプロトコルスタックの略図である。
【図３】本開示の実施形態の一態様に基づく、例示的な無線デバイスおよび２つの基地局の略図である。
【図４】本開示の実施形態の一態様に基づく、アップリンク信号伝送およびダウンリンク信号伝送の例示的な略図である。
【図５Ａ】本開示の実施形態の一態様に基づく、例示的なアップリンクチャネルマッピングおよび例示的なアップリンク物理信号の略図である。
【図５Ｂ】本開示の実施形態の一態様に基づく、例示的なダウンリンクチャネルマッピングおよび例示的なダウンリンク物理信号の略図である。
【図６】本開示の実施形態の一態様に基づく、例示的なキャリアの伝送時間および受信時間を描いている略図である。
【図７Ａ】本開示の実施形態の一態様に基づく、例示的なＯＦＤＭサブキャリアのセットを描いている略図である。
【図７Ｂ】本開示の実施形態の一態様に基づく、例示的なＯＦＤＭサブキャリアのセットを描いている略図である。
【図８】本開示の実施形態の一態様に基づく、例示的なＯＦＤＭ無線リソースを描いている略図である。
【図９Ａ】マルチビームシステムでの例示的なＣＳＩ−ＲＳおよび／またはＳＳブロック伝送の例を描いている略図である。
【図９Ｂ】本開示の実施形態の一態様に基づく、例示的なダウンリンクビーム管理プロシージャを描いている略図である。
【図１０】本開示の実施形態の一態様に基づく、構成されたＢＷＰの例示的な略図である。
【図１１Ａ】本開示の実施形態の一態様に基づく、例示的なマルチコネクティビティの略図である。
【図１１Ｂ】本開示の実施形態の一態様に基づく、例示的なマルチコネクティビティの略図である。
【図１２】本開示の実施形態の一態様に基づく、例示的なランダムアクセスプロシージャの略図である。
【図１３】本開示の実施形態の一態様に基づく、例示的なＭＡＣエンティティの構造である。
【図１４】本開示の実施形態の一態様に基づく、例示的なＲＡＮアーキテクチャの略図である。
【図１５】本開示の実施形態の一態様に基づく、例示的なＲＲＣ状態の略図である。
【図１６Ａ】本開示の実施形態の一態様に基づく、ダウンリンクビーム障害シナリオの例である。
【図１６Ｂ】本開示の実施形態の一態様に基づく、ダウンリンクビーム障害シナリオの例である。
【図１７】本開示の実施形態の一態様に基づく、ダウンリンクビーム障害回復プロシージャの例である。
【図１８】本開示の実施形態の一態様に基づく、スケジューリング要求プロシージャの例である。
【図１９】本開示の実施形態の一態様に基づく、ＢＦＲプロシージャの要求構成の例である。
【図２０】本開示の実施形態の一態様に基づく、要求構成の例を伴うフローチャートの例である。
【図２１】本開示の実施形態の一態様に基づく、ＢＦＲプロシージャの例である。
【図２２】本開示の実施形態の一態様に基づく、ＢＦＲプロシージャの例である。
【図２３】本開示の実施形態の一態様に基づく、例示的な流れ図である。
【図２４】本開示の実施形態の一態様に基づく、例示的な流れ図である。
【図２５】本開示の実施形態の一態様に基づく、例示的な流れ図である。
【図２６】本開示の実施形態の一態様に基づく、例示的な流れ図である。
【図２７】本開示の実施形態の一態様に基づく、例示的な流れ図である。
【図２８】本開示の実施形態の一態様に基づく、例示的な流れ図である。
【図２９】本開示の実施形態の一態様に基づく、例示的な流れ図である。
【図３０】本開示の実施形態の一態様に基づく、例示的な流れ図である。
【図３１】本開示の実施形態の一態様に基づく、例示的な流れ図である。
【図３２】本開示の実施形態の一態様に基づく、例示的な流れ図である。
【図３３】本開示の実施形態の一態様に基づく、例示的な流れ図である。
【図３４】本開示の実施形態の一態様に基づく、例示的な流れ図である。
【図３５】本開示の実施形態の一態様に基づく、例示的な流れ図である。
【発明を実施するための形態】
【０００４】
以下の頭字語は、本開示全体を通して使用される。
３ＧＰＰ  第３世代パートナーシッププロジェクト
５ＧＣ  ５Ｇコアネットワーク
ＡＣＫ  肯定応答
ＡＭＦ  アクセスおよびモビリティ管理機能
ＡＲＱ  自動反復要求
ＡＳ  アクセス層
ＡＳＩＣ  特定用途向け集積回路
ＢＡ  帯域幅適応
ＢＣＣＨ  ブロードキャスト制御チャネル
ＢＣＨ  ブロードキャストチャネル
ＢＰＳＫ  ２相位相変調
ＢＷＰ  帯域幅部分
ＢＳＲ  バッファステータスレポート
ＣＡ  キャリアアグリゲーション
ＣＣ  コンポーネントキャリア
ＣＣＣＨ  共通制御チャネル
ＣＤＭＡ  符号分割多元接続
ＣＮ  コアネットワーク
ＣＰ  サイクリックプレフィックス
ＣＰ−ＯＦＤＭ  サイクリックプレフィックス直交周波数分割多重
Ｃ−ＲＮＴＩ  セル無線ネットワーク一時識別子
ＣＳ  構成スケジューリング
ＣＳＩ  チャネル状態情報
ＣＳＩ−ＲＳ  チャネル状態情報−基準信号
ＣＱＩ  チャネル品質インジケータ
ＣＳＳ  共通探索空間
ＣＵ  集約ユニット
ＤＣ  デュアル接続
ＤＣＣＨ  専用制御チャネル
ＤＣＩ  ダウンリンク制御情報
ＤＬ  ダウンリンク
ＤＬ−ＳＣＨ  ダウンリンク共有チャネル
ＤＭ−ＲＳ  復調基準信号
ＤＲＢ  データ無線ベアラ
ＤＲＸ  間欠受信
ＤＴＣＨ  専用トラフィックチャネル
ＤＵ  分散ユニット
ＥＰＣ  進化型パケットコア
Ｅ−ＵＴＲＡ  進化型ＵＭＴＳ地上無線アクセス
Ｅ−ＵＴＲＡＮ  進化型ユニバーサル地上無線アクセスネットワーク
ＦＤＤ  周波数分割デュープレックス
ＦＰＧＡ  フィールドプログラマブルゲートアレイ
Ｆ１−Ｃ  Ｆ１−制御プレーン
Ｆ１−Ｕ  Ｆ１−ユーザプレーン
ｇＮＢ  次世代ノードＢ
ＨＡＲＱ  ハイブリッド自動反復要求
ＨＤＬ  ハードウェア記述言語
ＩＥ  情報要素
ＩＰ  インターネットプロトコル
ＬＣＩＤ  論理チャネル識別子
ＬＴＥ  ロングタームエボリューション
ＭＡＣ  媒体アクセス制御
ＭＣＧ  マスタセルグループ
ＭＣＳ  変調およびコーディング方式
ＭｅＮＢ  マスタ進化型ノードＢ
ＭＩＢ  マスタ情報ブロック
ＭＭＥ  モビリティ管理エンティティ
ＭＮ  マスタノード
ＮＡＣＫ  否定肯定応答
ＮＡＳ  非アクセス層
ＮＧ  ＣＰ  次世代制御プレーン
ＮＧＣ  次世代コア
ＮＧ−Ｃ  ＮＧ−制御プレーン
ｎｇ−ｅＮＢ  次世代進化型ノードＢ
ＮＧ−Ｕ  ＮＧ−ユーザプレーン
ＮＲ  新無線
ＮＲ  ＭＡＣ  新無線ＭＡＣ
ＮＲ  ＰＤＣＰ  新無線ＰＤＣＰ
ＮＲ  ＰＨＹ  新無線物理
ＮＲ  ＲＬＣ  新無線ＲＬＣ
ＮＲ  ＲＲＣ  新無線ＲＲＣ
ＮＳＳＡＩ  ネットワークスライス選択支援情報
Ｏ＆Ｍ  運用および保守
ＯＦＤＭ  直交周波数分割多重
ＰＢＣＨ  物理ブロードキャストチャネル
ＰＣＣ  プライマリコンポーネントキャリア
ＰＣＣＨ  ページング制御チャネル
ＰＣｅｌｌ  プライマリセル
ＰＣＨ  ページングチャネル
ＰＤＣＣＨ  物理ダウンリンク制御チャネル
ＰＤＣＰ  パケットデータコンバージェンスプロトコル
ＰＤＳＣＨ  物理ダウンリンク共有チャネル
ＰＤＵ  プロトコルデータユニット
ＰＨＩＣＨ  物理ＨＡＲＱインジケータチャネル
ＰＨＹ  物理
ＰＬＭＮ  パブリックランドモバイルネットワーク
ＰＭＩ  プリコーディング行列インジケータ
ＰＲＡＣＨ  物理ランダムアクセスチャネル
ＰＲＢ  物理リソースブロック
ＰＳＣｅｌｌ  プライマリセカンダリセル
ＰＳＳ  プライマリ同期信号
ｐＴＡＧ  プライマリタイミングアドバンスグループ
ＰＴ−ＲＳ  位相トラッキング基準信号
ＰＵＣＣＨ  物理アップリンク制御チャネル
ＰＵＳＣＨ  物理アップリンク共有チャネル
ＱＡＭ  直交振幅変調
ＱＦＩ  サービス品質インジケータ
ＱｏＳ  サービス品質
ＱＰＳＫ  ４相位相変調
ＲＡ  ランダムアクセス
ＲＡＣＨ  ランダムアクセスチャネル
ＲＡＮ  無線アクセスネットワーク
ＲＡＴ  無線アクセス技術
ＲＡ−ＲＮＴＩ  ランダムアクセス無線ネットワーク一時識別子
ＲＢ  リソースブロック
ＲＢＧ  リソースブロックグループ
ＲＩ  ランクインジケータ
ＲＬＣ  無線リンク制御
ＲＲＣ  無線リソース制御
ＲＳ  基準信号
ＲＳＲＰ  基準信号受信パワー
ＳＣＣ  セカンダリコンポーネントキャリア
ＳＣｅｌｌ  セカンダリセル
ＳＣＧ  セカンダリセルグループ
ＳＣ−ＦＤＭＡ  単一キャリア周波数分割多元接続
ＳＤＡＰ  サービスデータ適応プロトコル
ＳＤＵ  サービスデータユニット
ＳｅＮＢ  セカンダリ進化型ノードＢ
ＳＦＮ  システムフレーム番号
Ｓ−ＧＷ  サービングゲートウェイ
ＳＩ  システム情報
ＳＩＢ  システム情報ブロック
ＳＭＦ  セッション管理機能
ＳＮ  セカンダリノード
ＳｐＣｅｌｌ  特殊セル
ＳＲ  スケジューリング要求
ＳＲＢ  シグナリング無線ベアラ
ＳＲＳ  サウンディング基準信号
ＳＳ  同期信号
ＳＳＳ  セカンダリ同期信号
ｓＴＡＧ  セカンダリタイミングアドバンスグループ
ＴＡ  タイミングアドバンス
ＴＡＧ  タイミングアドバンスグループ
ＴＡＩ  トラキッキングエリア識別子
ＴＡＴ  タイムアライメントタイマ
ＴＢ  トランスポートブロック
ＴＣ−ＲＮＴＩ  一時セル無線ネットワーク一時識別子
ＴＤＤ  時分割デュープレックス
ＴＤＭＡ  時分割多元接続
ＴＴＩ  伝送時間間隔
ＵＣＩ  アップリンク制御情報
ＵＥ  ユーザ機器
ＵＬ  アップリンク
ＵＬ−ＳＣＨ  アップリンク共有チャネル
ＵＰＦ  ユーザプレーン機能
ＵＰＧＷ  ユーザプレーンゲートウェイ
ＶＨＤＬ  ＶＨＳＩＣハードウェア記述言語
Ｘｎ−Ｃ  Ｘｎ−制御プレーン
Ｘｎ−Ｕ  Ｘｎ−ユーザプレーン
【０００５】
本開示の例示的な実施形態は、様々な物理層変調および伝送メカニズムを使用して実施され得る。例示的な伝送メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド伝送メカニズムも用いられ得る。物理層での信号伝送には、様々な変調方式を適用することができる。変調方式の例としては、以下に限定されないが、位相、振幅、符号、これらの組み合わせ、および／または同様のものが挙げられる。例示的な無線伝送方法は、２相位相変調（ＢＰＳＫ）を使用する直交振幅変調（ＱＡＭ）、４相位相変調（ＱＰＳＫ）、１６−ＱＡＭ、６４−ＱＡＭ、２５６−ＱＡＭ、および／または同様のものを実装することができる。物理的な無線伝送は、伝送要件と無線条件に応じて変調およびコーディング方式を動的または半動的に変更することにより強化することができる。
【０００６】
図１は、本開示の実施形態の一態様に基づく、例示的な無線アクセスネットワーク（ＲＡＮ）アーキテクチャである。この例に例示されているように、ＲＡＮノードは、次世代ノードＢ（ｇＮＢ）（例えば１２０Ａ、１２０Ｂ）であり得、第１の無線デバイス（例えば１１０Ａ）に向かう新無線（ＮＲ）ユーザプレーンおよび制御プレーンプロトコル終端を提供することができる。一例において、ＲＡＮノードは、次世代進化型ノードＢ（ｎｇ−ｅＮＢ）（例えば、１２０Ｃ、１２０Ｄ）であってもよく、第２の無線デバイス（例えば、１１０Ｂ）に向かう進化型ＵＭＴＳ地上無線アクセス（Ｅ−ＵＴＲＡ）ユーザプレーンおよび制御プレーンプロトコル終端を提供することができる。第１の無線デバイスは、Ｕｕインターフェースを介してｇＮＢと通信することができる。第２の無線デバイスは、Ｕｕインターフェースを介してｎｇ−ｅＮＢと通信することができる。
【０００７】
ｇＮＢまたはｎｇ−ｅＮＢは、無線リソース管理およびスケジューリング、ＩＰヘッダ圧縮、データの暗号化および完全性保護、ユーザ機器（ＵＥ）アタッチメントにおけるアクセスおよびモビリティ管理機能（ＡＭＦ）の選択、ユーザプレーンデータおよび制御プレーンデータのルーティング、接続設定および接続解放、（ＡＭＦから生じる）ページングメッセージのスケジューリングおよび伝送、（ＡＭＦまたは運用および保守（Ｏ＆Ｍ）から生じる）システムブロードキャスト情報のスケジューリングおよび伝送、測定および測定レポート構成、アップリンク内のトランスポートレベルパケットマーキング、セッション管理、ネットワークスライシングのサポート、サービス品質（ＱｏＳ）フロー管理、およびデータ無線ベアラへのマッピング、ＲＲＣ＿ＩＮＡＣＴＩＶＥ状態にあるＵＥのサポート、非アクセス層（ＮＡＳ）メッセージのための分散機能、ＲＡＮ共有、デュアル接続、またはＮＲとＥ−ＵＴＲＡとの間の緊密なインターワーキング、などの機能をホストし得る。
【０００８】
一例において、１つ以上のｇＮＢおよび／または１つ以上のｎｇ−ｅＮＢは、Ｘｎインターフェースによって互いに相互接続することができる。ｇＮＢまたはｎｇ−ｅＮＢは、ＮＧインターフェースによって、５Ｇコアネットワーク（５ＧＣ）に接続することができる。一例において、５ＧＣは、１つ以上のＡＭＦ／ユーザ計画機能（ＵＰＦ）機能（例えば、１３０Ａまたは１３０Ｂ）を備えることができる。ｇＮＢまたはｎｇ−ｅＮＢは、ＮＧ−ユーザプレーン（ＮＧ−Ｕ）インターフェースによってＵＰＦに接続することができる。ＮＧ−Ｕインターフェースは、ＲＡＮノードとＵＰＦとの間にユーザプレーンプロトコルデータユニット（ＰＤＵ）の配信（例えば、非保証配信）を提供することができる。ｇＮＢまたはｎｇ−ｅＮＢは、ＮＧ−制御プレーン（ＮＧ−Ｃ）インターフェースによってＡＭＦに接続され得る。ＮＧ−Ｃインターフェースは、ＮＧインターフェース管理、ＵＥコンテキスト管理、ＵＥモビリティ管理、ＮＡＳメッセージのトランスポート、ページング、ＰＤＵセッション管理、構成転送、または警告メッセージ送信などの機能を提供することができる。
【０００９】
一例において、ＵＰＦは、イントラ／インター無線アクセス技術（ＲＡＴ）モビリティ（適用可能な場合）のためのアンカーポイント、データネットワークとの相互接続の外部ＰＤＵセッションポイント、パケットルーティングおよびフォワーディング、ポリシールール強制のパケット検査およびユーザプレーン部、トラフィック使用レポート、データネットワークへのトラフィックフローのルーティングをサポートするためのアップリンク分類子、マルチホームＰＤＵセッションをサポートするための分岐ポイント、ユーザプレーンのためのＱｏＳ処理、例えばパケットフィルタリング、ゲーティング、アップリンク（ＵＬ）／ダウンリンク（ＤＬ）レート強制、アップリンクトラフィック検証（例えば、ＱｏＳフローマッピングへのサービスデータフロー（ＳＤＦ））、ダウンリンクパケットバッファリング、および／またはダウンリンクデータ通知トリガリングなどの機能をホストとして提供することができる。
【００１０】
一例において、ＡＭＦは、ＮＡＳシグナリング終端、ＮＡＳシグナリングセキュリティ、アクセス層（ＡＳ）セキュリティ制御、第３世代パートナーシッププロジェクト（３ＧＰＰ）アクセスネットワーク間のモビリティのためのインターコアネットワーク（ＣＮ）ノードシグナリング、アイドルモードＵＥ到達可能性（例えば、ページング再伝送の制御および実行）、登録エリア管理、システム内およびシステム間のモビリティのサポート、アクセス認証、ローミング権のチェックを含むアクセス認定、モビリティ管理制御（加入およびポリシー）、ネットワークスライシングのサポート、および／またはセッション管理機能（ＳＭＦ）選択などの機能をホストとして提供することができる。
【００１１】
図２Ａは、例示的ユーザプレーンプロトコルスタックであり、ここでは、サービスデータ適応プロトコル（ＳＤＡＰ）（例えば、２１１および２２１）、パケットデータコンバージェンスプロトコル（ＰＤＣＰ）（例えば、２１２および２２２）、無線リンク制御（ＲＬＣ）（例えば、２１３および２２３）ならびに媒体アクセス制御（ＭＡＣ）（例えば、２１４および２２４）サブレイヤ、ならびに物理（ＰＨＹ）（例えば、２１５および２２５）層は、ネットワーク側上の無線デバイス（例えば、１１０）およびｇＮＢ（例えば１２０）で終端することができる。一例において、ＰＨＹ層は、トランスポートサービスを上位層（例えば、ＭＡＣ、ＲＲＣなど）に提供する。一例において、ＭＡＣサブレイヤのサービスおよび機能は、論理チャネルとトランスポートチャネルとの間のマッピング、ＰＨＹ層へ／から送達されるトランスポートブロック（ＴＢ）へ／からの、１つまたは異なる論理チャネルに属するＭＡＣサービスデータユニット（ＳＤＵ）の多重化／分割化、スケジューリング情報レポート、ハイブリッド自動反復要求（ＨＡＲＱ）（例えば、キャリアアグリゲーション（ＣＡ）の場合は、キャリア当たり１つのＨＡＲＱエンティティ）を介する誤り訂正、動的スケジューリングによるＵＥ間の優先度処理、論理チャネル優先度付けによる１つのＵＥの論理チャネル間の優先度処理、および／またはパディングを含むことができる。ＭＡＣエンティティは、１つもしくは複数のヌメロロジ、および／または伝送タイミングをサポートすることができる。一例において、論理チャネル優先度付けにおけるマッピング制限により、論理チャネルがどのヌメロロジおよび／または伝送タイミングを使用することができるかを制御することができる。一例において、ＲＬＣサブレイヤは、トランスペアレントモード（ＴＭ）、非肯定モード（ＵＭ）、および肯定モード（ＡＭ）伝送モードをサポートすることができる。このＲＬＣ構成は、ヌメロロジおよび／または伝送時間間隔（ＴＴＩ）持続時間に依存せずに論理チャネル毎にあり得る。一例において、自動反復要求（ＡＲＱ）は、論理チャネルが構成されているいずれのヌメロロジおよび／またはＴＴＩ持続時間に関して動作することができる。一例において、ユーザプレーンのためのＰＤＣＰ層のサービスおよび機能は、シーケンスナンバリング、ヘッダ圧縮および解凍、ユーザデータの転送、リオーダリングおよび重複検出、ＰＤＣＰ  ＰＤＵルーティング（例えば、分割ベアラの場合）、ＰＤＣＰ  ＳＤＵの再伝送、暗号化、暗号解読および完全性保護、ＰＤＣＰ  ＳＤＵ破棄、ＲＬＣ  ＡＭのためのＰＤＣＰ再確立およびデータ回復、ならびに／またはＰＤＣＰ  ＰＤＵの複製を含むことができる。一例において、ＳＤＡＰのサービスおよび機能は、ＱｏＳフローとデータ無線ベアラとの間のマッピングを含むことができる。一例において、ＳＤＡＰのサービスおよび機能は、ＤＬパケットおよびＵＬパケットにおけるサービス品質インジケータ（ＱＦＩ）をマッピングすることを含むことができる。一例において、ＳＤＡＰのプロトコルエンティティは、個々のＰＤＵセッションのために構成することができる。
【００１２】
図２Ｂは、例示的制御プレーンプロトコルスタックであり、ここで、ＰＤＣＰ（例えば、２３３および２４２）、ＲＬＣ（例えば、２３４および２４３）、およびＭＡＣ（例えば、２３５および２４４）サブレイヤ、ならびにＰＨＹ（例えば、２３６および２４５）層は、ネットワーク側上の無線デバイス（例えば、１１０）およびｇＮＢ（例えば、１２０）で終端することができ、上述のサービスおよび機能を実行することができる。一例においては、ＲＲＣ（例えば、２３２および２４１）は、無線デバイス、およびネットワーク側上のｇＮＢで終端されてもよい。一例において、ＲＲＣのサービスおよび機能は、ＡＳおよびＮＡＳに関するシステム情報のブロードキャスト、５ＧＣまたはＲＡＮにより起動されるページング、ＵＥとＲＡＮとの間のＲＲＣ接続の確立、維持、および解放、シグナリング無線ベアラ（ＳＲＢ）およびデータ無線ベアラ（ＤＲＢ）のキー管理、確立、構成、メンテナンスおよび解放を含むセキュリティ機能、モビリティ機能、ＱｏＳ管理機能、ＵＥ測定レポートおよびそのレポートの制御、無線リンク障害の検出およびそこからの回復、ならびに／または、ＵＥからの／へのＮＡＳへ／からのＮＡＳメッセージ転送を含むことができる。一例において、ＮＡＳ制御プロトコル（例えば、２３１および２５１）は、無線デバイス、およびネットワーク側上のＡＭＦ（例えば、１３０）で終端されてもよく、ＵＥと、３ＧＰＰアクセスおよび非３ＧＰＰアクセスのためのＡＭＦとの間のモビリティ管理、ならびにＵＥと、３ＧＰＰアクセスおよび非３ＧＰＰアクセスのＳＭＦとの間のセッション管理などの機能を実行することができる。
【００１３】
一例において、基地局は、無線デバイスのための複数の論理チャネルを構成することができる。複数の論理チャネル内の論理チャネルは、無線ベアラに対応することができ、無線ベアラは、ＱｏＳ要件と関連付けることができる。一例において、基地局は、複数のＴＴＩ／ヌメロロジ中の１つ以上のＴＴＩ／ヌメロロジにマッピングされている論理チャネルを構成することができる。無線デバイスは、アップリンク許可を示す物理ダウンリンク制御チャネル（ＰＤＣＣＨ）を介して、ダウンリンク制御情報（ＤＣＩ）を受信することができる。一例において、アップリンク許可は、第１のＴＴＩ／ヌメロロジのためにあり得、トランスポートブロックの伝送のためのアップリンクリソースを示すことができる。基地局は、無線デバイスのＭＡＣ層で論理チャネル優先度付けプロシージャによって使用される１つ以上のパラメータを有する複数の論理チャネル内に各論理チャネルを構成することができる。その１つ以上のパラメータは、優先度、優先されたビットレートなどを含むことができる。複数の論理チャネル内の各論理チャネルは、その論理チャネルに関連付けられたデータを含む１つ以上のバッファに対応することができる。論理チャネル優先度付けプロシージャは、複数の論理チャネル、および／または１つ以上のＭＡＣ制御要素（ＣＥ）内の１つ以上の第１の論理チャネルにアップリンクリソースを割り当てることができる。この１つ以上の第１の論理チャネルは、第１のＴＴＩ／ヌメロロジにマッピングされることができる。無線デバイスでのＭＡＣ層は、ＭＡＣ  ＰＤＵ（例えば、トランスポートブロック）内で、１つ以上のＭＡＣ  ＣＥ、および／または１つ以上のＭＡＣ  ＳＤＵ（例えば、論理チャネル）を多重化することができる。一例において、ＭＡＣ  ＰＤＵは、複数のＭＡＣサブヘッダを含むＭＡＣヘッダを含むことができる。複数のＭＡＣサブヘッダ内のＭＡＣサブヘッダは、１つ以上のＭＡＣ  ＣＥ、および／または１つ以上のＭＡＣ  ＳＤＵ内のＭＡＣ  ＣＥまたはＭＡＣ  ＳＵＤ（論理チャネル）に対応することができる。一例において、ＭＡＣ  ＣＥまたは論理チャネルは、論理チャネル識別子（ＬＣＩＤ）を用いて構成されることができる。一例において、論理チャネルまたはＭＡＣ  ＣＥのためのＬＣＩＤは、固定／事前構成されることができる。一例において、論理チャネルまたはＭＡＣ  ＣＥのためのＬＣＩＤは、基地局により無線デバイスのために構成されることができる。ＭＡＣ  ＣＥまたはＭＡＣ  ＳＤＵに対応するＭＡＣサブヘッダは、ＭＡＣ  ＣＥまたはＭＡＣ  ＳＤＵと関連付けられたＬＣＩＤを含むことができる。
【００１４】
一例において、基地局は、１つ以上のＭＡＣコマンドを用いることによって、無線デバイスにおける１つ以上のプロセスを作動および／もしくは停止させ、ならびに／または影響を与えることができる（例えば、１つ以上のプロセスのうちの１つ以上のパラメータの設定値が、１つ以上のプロセスのうちの１つ以上のタイマを開始および／または中止させる）。この１つ以上のＭＡＣコマンドは、１つ以上のＭＡＣ制御要素を含むことができる。一例において、１つ以上のプロセスは、１つ以上の無線ベアラのためのＰＤＣＰパケット複製の作動および／または停止を含むことができる。基地局は、１つ以上のフィールドを含むＭＡＣ  ＣＥ、１つ以上の無線ベアラのためのＰＤＣＰ複製の作動および／または停止を示すフィールドの値を伝送することができる。一例において、１つ以上のプロセスは、１つ以上のセル上のチャネル状態情報（ＣＳＩ）伝送を含むことができる。基地局は、１つ以上のセル上のＣＳＩ伝送の作動および／または停止を示す１つ以上のＭＡＣ  ＣＥを伝送することができる。一例において、１つ以上のプロセスは、１つ以上のセカンダリセルの作動または停止を含んでもよい。一例において、基地局は、１つ以上のセカンダリセルの作動または停止を示すＭＡ  ＣＥを伝送することができる。一例において、基地局は、無線デバイスにおける１つ以上の間欠受信（ＤＲＸ）タイマの開始および／または中止を示す１つ以上のＭＡＣ  ＣＥを伝送することができる。一例において、基地局は、１つ以上のタイミングアドバンスグループ（ＴＡＧ）のための１つ以上のタイミングアドバンス値を示す１つ以上のＭＡＣ  ＣＥを伝送することができる。
【００１５】
図３は、基地局（基地局１、１２０Ａ、および基地局２、１２０Ｂ）および無線デバイス１１０のブロック図である。無線デバイスは、ＵＥと呼ばれることがある。基地局は、ＮＢ、ｅＮＢ、ｇＮＢ、および／またはｎｇ−ｅＮＢと呼ばれることがある。一例において、無線デバイスおよび／または基地局は、中継ノードとしての機能を果たすことができる。基地局１、１２０Ａは、少なくとも１つの通信インターフェース３２０Ａ（例えば、無線モデム、アンテナ、有線モデム、および／または同様のもの）と、少なくとも１つのプロセッサ３２１Ａと、非一過性メモリ３２２Ａ内に格納され、かつ少なくとも１つのプロセッサ３２１Ａによって実行可能なプログラムコード命令３２３Ａの少なくとも１つのセットと、を備えることができる。基地局２、１２０Ｂは、少なくとも１つの通信インターフェース３２０Ｂと、少なくとも１つのプロセッサ３２１Ｂと、非一過性メモリ３２２Ｂ内に格納され、かつ少なくとも１つのプロセッサ３２１Ｂによって実行可能なプログラムコード命令３２３Ｂの少なくとも１つのセットと、を備えることができる。
【００１６】
基地局は、多数のセクタ、例えば、１、２、３、４、または６つのセクタを含むことができる。基地局は、例えば、１〜５０以上の範囲の多数のセルを含むことができる。セルは、例えば、プライマリセルまたはセカンダリセルとしてカテゴリ化することができる。無線リソース制御（ＲＲＣ）接続確立／再確立／ハンドオーバにおいて、１つのサービングセルは、ＮＡＳ（非アクセス層）モビリティ情報（例えば、トラッキングエリア識別子（ＴＡＩ））を提供することができる。ＲＲＣ接続再確立／ハンドオーバにおいて、１つのサービングセルは、セキュリティ入力を提供することができる。このセルは、プライマリセル（ＰＣｅｌｌ）と呼ばれることがある。ダウンリンクでは、ＰＣｅｌｌに対応するキャリアは、ＤＬプライマリコンポーネントキャリア（ＰＣＣ）であり得、これに対して、アップリンクでは、キャリアは、ＵＬ  ＰＣＣであり得る。無線デバイス能力に応じて、セカンダリセル（ＳＣｅｌｌ）は、ＰＣｅｌｌと一緒にサービングセルのセットを形成するように構成することができる。ダウンリンクでは、ＳＣｅｌｌに対応するキャリアは、ダウンリンクセカンダリコンポーネントキャリア（ＤＬ  ＳＣＣ）であり得、これに対して、アップリンクでは、キャリアは、アップリンクセカンダリコンポーネントキャリア（ＵＬ  ＳＣＣ）であり得る。ＳＣｅｌｌには、アップリンクキャリアを有する場合と有しない場合がある。
【００１７】
ダウンリンクキャリアとオプションのアップリンクキャリアを含むセルには、物理セルＩＤとセルインデックスを割り当てることができる。キャリア（ダウンリンクまたはアップリンク）は、１つのセルに属することができる。セルＩＤまたはセルインデックスはまた、セルのダウンリンクキャリアまたはアップリンクキャリアを識別することもできる（その状況に応じて、それは、使用される）。本開示では、セルＩＤは、同様に、キャリアＩＤと呼ばれることがあり、セルインデックスは、キャリアインデックスと呼ばれることがある。一実施形態では、物理セルＩＤまたはセルインデックスをセルに割り当てることができる。セルＩＤは、ダウンリンクキャリア上に伝送される同期信号を使用して判定することができる。セルインデックスは、ＲＲＣメッセージを使用して判定することができる。例えば、本開示が第１のダウンリンクキャリアに対する第１の物理セルＩＤに言及する場合、本開示は、第１の物理セルＩＤが、第１のダウンリンクキャリアを含むセルに対するものであることを意味し得る。同じ概念は、例えば、キャリア作動に当てはまり得る。本開示が第１のキャリアが作動されることを示す場合、本明細書は、第１のキャリアを含むセルが作動されることを同様に意味し得る。
【００１８】
基地局は、１つ以上のセルに対する複数の構成パラメータを含む１つ以上のメッセージ（例えば、ＲＲＣメッセージ）を無線デバイスに伝送することができる。１つ以上のセルは、少なくとも１つのプライマリセル、および少なくとも１つのセカンダリセルを含むことができる。一例において、ＲＲＣメッセージは、無線デバイスにブロードキャストまたはユニキャストすることができる。一例において、構成パラメータは、共通パラメータおよび専用パラメータを含むことができる。
【００１９】
ＲＲＣサブレイヤのサービスおよび／もしくは機能は、ＡＳおよびＮＡＳに関するシステム情報のブロードキャスト、５ＧＣおよび／もしくはＮＧ−ＲＡＮにより開始されたページング、無線デバイスとＮＧ−ＲＡＮとの間のＲＲＣ接続の確立、維持、および／もしくは解放であってそれらがキャリアアグリゲーションの追加、修正、および解放のうちの少なくとも１つを含み得るもの、または、ＮＲ内、もしくはＥ−ＵＴＲＡとＮＲとの間のデュアル接続の解放、のうちの少なくとも１つを含むことができる。ＲＲＣサブレイヤのサービスおよび／または機能は、キー管理を含むセキュリティ機能のうちの少なくとも１つ、シグナリング無線ベアラ（ＳＲＢ）および／もしくはデータ無線ベアラ（ＤＲＢ）の確立、構成、維持、および／もしくは解放、ハンドオーバ（例えば、ＮＲモビリティ内またはＲＡＴ間モビリティ）およびコンテキスト転送のうちの少なくとも１つを含み得るモビリティ機能、または、無線デバイスセル選択および再選択、ならびにセル選択および再選択の制御をさらに含むことができる。ＲＲＣサブレイヤのサービスおよび／または機能は、ＱｏＳ管理機能、無線デバイス測定構成／レポート、無線リンク障害の検出および／もしくはそこからの回復、または、無線デバイスから／へのコアネットワークエンティティ（例えば、ＡＭＦ、モビリティ管理エンティティ（ＭＭＥ））へ／からのＮＡＳメッセージ転送、のうちの少なくとも１つをさらに含むことができる。
【００２０】
ＲＲＣサブレイヤは、無線デバイスに対してＲＲＣ＿Ｉｄｌｅ状態、ＲＲＣ＿Ｉｎａｃｔｉｖｅ状態、および／またはＲＲＣ＿Ｃｏｎｎｅｃｔｅｄ状態をサポートすることができる。ＲＲＣ＿Ｉｄｌｅ状態では、無線デバイスは、パブリックランドモバイルネットワーク（ＰＬＭＮ）選択、ブロードキャストされたシステム情報の受信、セル選択／再選択、５ＧＣにより開始されたモバイル終端データに対するページングのモニタ／受信、５ＧＣにより管理されたモバイル終端データエリアに対するページング、またはＮＡＳを介して構成されたＣＮページングに対するＤＲＸ、のうちの少なくとも１つを実行することができる。ＲＲＣ＿Ｉｎａｃｔｉｖｅ状態では、無線デバイスは、ブロードキャストされたシステム情報の受信、セル選択／再選択、ＮＧ−ＲＡＮ／５ＧＣにより開始されたＲＡＮ／ＣＮページングのモニタ／受信、ＮＧ−ＲＡＮにより管理されたＲＡＮベース通知エリア（ＲＮＡ）、または、ＮＧ−ＲＡＮ／ＮＡＳにより構成されたＲＡＮ／ＣＮページングに対するＤＲＸ、のうちの少なくとも１つを実行することができる。無線デバイスのＲＲＣ＿Ｉｄｌｅ状態では、基地局（例えば、ＮＧ−ＲＡＮ）は、無線デバイスに対する５ＧＣ−ＮＧ−ＲＡＮ接続（Ｃ／Ｕ−プレーンの両方）を保持することができ、および／または無線デバイスに対するＵＥ  ＡＳコンテキストを保存することができる。無線デバイスのＲＲＣ＿Ｃｏｎｎｅｃｔｅｄ状態では、基地局（例えば、ＮＧ−ＲＡＮ）は、無線デバイスに対する５ＧＣ−ＮＧ−ＲＡＮ接続（Ｃ／Ｕ−プレーンの両方）の確立、無線デバイスに対するＵＥ  ＡＳコンテキストの保存、無線デバイスへの／からのユニキャストデータの伝送／受信、または、無線デバイスから受信された測定結果に基づくネットワーク制御されたモビリティ、のうちの少なくとも１つを実行することができる。無線デバイスのＲＲＣ＿Ｃｏｎｎｅｃｔｅｄ状態では、ＮＧ−ＲＡＮは、無線デバイスが属するセルを知ることができる。
【００２１】
システム情報（ＳＩ）は、最小ＳＩおよび他のＳＩに分割することができる。最小ＳＩは、周期的にブロードキャストすることができる。最小ＳＩは、初期アクセスのために必要である基本情報、および任意の他のＳＩブロードキャストを周期的に取得するための情報、または要求に応じて準備された情報、すなわちスケジューリング情報を含むことができる。他のＳＩは、専用の様式でブロードキャストまたは設定のいずれかを行うことができ、ネットワークまたは無線デバイスからの要求のいずれかによって、トリガすることができる。最小ＳＩは、異なるメッセージ（例えば、ＭａｓｔｅｒＩｎｆｏｒｍａｔｉｏｎＢｌｏｃｋおよびＳｙｓｔｅｍＩｎｆｏｒｍａｔｉｏｎＢｌｏｃｋＴｙｐｅ１）を使用して２つの異なるダウンリンクチャネルを介して伝送することができる。別のＳＩは、ＳｙｓｔｅｍＩｎｆｏｒｍａｔｉｏｎＢｌｏｃｋＴｙｐｅ２を介して伝送することができる。ＲＲＣ＿Ｃｏｎｎｅｃｔｅｄ状態にある無線デバイスの場合、専用ＲＲＣシグナリングは、他のＳＩの要求および送達の場合に用いることができる。ＲＲＣ＿Ｉｄｌｅ状態および／またはＲＲＣ＿Ｉｎａｃｔｉｖｅ状態にある無線デバイスの場合、要求は、ランダムアクセスプロシージャをトリガすることができる。
【００２２】
無線デバイスは、静的であり得る、その無線アクセス能力情報をレポートすることができる。基地局は、無線デバイスが帯域情報に基づいてレポートする能力がどれほどかについて要求することができる。ネットワークによって許可される場合、一時的な能力制限要求を無線デバイスによって送信して、（例えば、ハードウェアの共有、干渉、またはオーバーヒートのため）いくつかの能力の可用性が制限されていることを基地局に知らせることができる。基地局は、その要求を確認または拒否することができる。一時的な能力制限は、５ＧＣに対してトランスペアレントであり得る（例えば、静的能力は、５ＧＣにおいて保存され得る）。
【００２３】
ＣＡが構成されている場合、無線デバイスは、ネットワークとのＲＲＣ接続を有することができる。ＲＲＣ接続確立／再確立／ハンドオーバプロシージャでは、１つのサービングセルが、ＮＡＳモビリティ情報を提供することができ、ＲＲＣ接続再確立／ハンドオーバでは、１つのサービングセルが、セキュリティ入力を提供することができる。このセルは、ＰＣｅｌｌと呼ばれることがある。無線デバイスの能力に応じて、ＳＣｅｌｌは、ＰＣｅｌｌと一緒にサービングセルのセットを形成するように構成することができる。無線デバイスのために構成されたサービングセルのセットは、１つのＰＣｅｌｌ、および１つ以上のＳＣｅｌｌを含むことができる。
【００２４】
ＳＣｅｌｌの再構成、追加、および削除は、ＲＲＣによって実行することができる。ＮＲ内ハンドオーバにおいて、ＲＲＣはまた、ターゲットＰＣｅｌｌとの使用のために、ＳＣｅｌｌを追加、削除、または再構成することもできる。新しいＳＣｅｌｌを追加する場合、専用ＲＲＣシグナリングを用いて、ＳＣｅｌｌのすべての必要とされるシステム情報を送信することができ、すなわち、接続モードにある間は、無線デバイスは、ブロードキャストされたシステム情報を、ＳＣｅｌｌから直接取得する必要がなくてもよい。
【００２５】
ＲＲＣ接続再構成プロシージャの目的は、ＲＲＣ接続を変更すること、（例えば、ＲＢを確立、変更、および／または解放すること、ハンドオーバを実行すること、測定を設定、変更、および／または解放すること、ＳＣｅｌｌおよびセルグループを追加、変更、および／または解放すること）であり得る。ＲＲＣ接続再構成プロシージャの一部として、ＮＡＳ専用情報を、ネットワークから無線デバイスに転送することができる。ＲＲＣＣｏｎｎｅｃｔｉｏｎＲｅｃｏｎｆｉｇｕｒａｔｉｏｎメッセージは、ＲＲＣ接続を変更するためのコマンドであり得る。それは、任意の関連付けられた専用ＮＡＳ情報およびセキュリティ構成を含む測定構成、モビリティ制御、無線リソース構成（例えば、ＲＢ、ＭＡＣの主要な構成および物理チャネル構成）のための情報を伝達することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＲｅｌｅａｓｅＬｉｓｔを含む場合、無線デバイスは、ＳＣｅｌｌ解放を実行することができる。受信されたＲＲＣ  Ｃｏｎｎｅｃｔｉｏｎ  Ｒｅｃｏｎｆｉｇｕｒａｔｉｏｎメッセージが、ｓＣｅｌｌＴｏＡｄｄＭｏｄＬｉｓｔを含む場合、無線デバイスは、ＳＣｅｌｌ追加または変更を実行することができる。
【００２６】
ＲＲＣ接続確立（または再確立、再開）プロシージャとは、ＲＲＣ接続を確立（または再確立、再開）することであり得、ＲＲＣ接続確立プロシージャは、ＳＲＢ１確立を含むことができる。ＲＲＣ接続確立プロシージャを使用して、無線デバイスからＥ−ＵＴＲＡＮに初期ＮＡＳ専用情報／メッセージを転送することができる。ＲＲＣＣｏｎｎｅｃｔｉｏｎＲｅｅｓｔａｂｌｉｓｈｍｅｎｔメッセージを使用して、ＳＲＢ１を再確立することができる。
【００２７】
測定レポートプロシージャとは、無線デバイスからＮＧ−ＲＡＮに測定結果を転送することであり得る。無線デバイスは、正常なセキュリティ作動の後に測定レポートプロシージャを開始することができる。測定レポートメッセージを用いて、測定結果を伝送することができる。
【００２８】
無線デバイス１１０は、少なくとも１つの通信インターフェース３１０（例えば、無線モデム、アンテナ、および／または同様のもの）と、少なくとも１つのプロセッサ３１４と、非一過性メモリ３１５内に格納され、かつ少なくとも１つのプロセッサ３１４により実行可能なプログラムコード命令３１６の少なくとも１つのセットと、を備えることができる。この無線デバイス１１０は、少なくとも１つのスピーカ／マイクロフホン３１１、少なくとも１つのキーパッド３１２、少なくとも１つのディスプレイ／タッチパッド３１３、少なくとも１つの電源３１７、少なくとも１つの全地球測位システム（ＧＰＳ）チップセット３１８、および他の周辺装置３１９、のうちの少なくとも１つをさらに備えることができる。
【００２９】
無線デバイス１１０のプロセッサ３１４、基地局１、１２０Ａのプロセッサ３２１Ａ、および／または基地局２、１２０Ｂのプロセッサ３２１Ｂは、汎用プロセッサ、デジタル信号プロセッサ（ＤＳＰ）、コントローラ、マイクロコントローラ、特定用途向け集積回路（ＡＳＩＣ）、フィールドプログラマブルゲートアレイ（ＦＰＧＡ）および／または他のプログラマブル論理デバイス、ディスクリートゲートおよび／またはトランジスタ論理回路、ディスクリートハードウェアコンポーネント、ならびに同様のもの、のうちの少なくとも１つを備えることができる。無線デバイス１１０のプロセッサ３１４、基地局１、１２０Ａ内のプロセッサ３２１Ａ、および／もしくは基地局２、１２０Ｂ内のプロセッサ３２１Ｂは、信号符号化／処理、データ処理、パワー制御、入力／出力処理、ならびに／または、無線デバイス１１０、基地局１、１２０Ａ、および／もしくは基地局２、１２０Ｂを無線環境で動作させることができる任意の他の機能性、のうちの少なくとも１つを実行することができる。
【００３０】
無線デバイス１１０のプロセッサ３１４は、スピーカ／マイクロフォン３１１、キーパッド３１２、および／またはディスプレイ／タッチパッド３１３に接続することができる。プロセッサ３１４は、スピーカ／マイクロホン３１１、キーパッド３１２および／もしくはディスプレイ／タッチパッド３１３からユーザ入力データを受信し、ならびに／またはユーザ出力データをこれらに提供することができる。無線デバイス１１０内のプロセッサ３１４は、電源３１７からパワーを受信することができ、および／またはそのパワーを無線デバイス１１０内の他のコンポーネントに分配するように構成することができる。電源３１７は、１つ以上の乾電池、太陽電池、燃料電池、および同様のもの、のうちの少なくとも１つを備えることができる。プロセッサ３１４は、ＧＰＳチップセット３１８に接続することができる。ＧＰＳチップセット３１８は、無線デバイス１１０の地理学的位置情報を提供するように構成することができる。
【００３１】
無線デバイス１１０のプロセッサ３１４は、他の周辺装置３１９にさらに接続することができ、その周辺装置は、追加の特徴および／または機能性を提供する１つ以上のソフトウェアおよび／またはハードウェアモジュールを備えることができる。例えば、周辺装置３１９は、加速度計、衛星送受信機、デジタルカメラ、ユニバーサルシリアルバス（ＵＳＢ）ポート、ハンズフリーヘッドセット、周波数変調（ＦＭ）無線ユニット、メディアプレーヤー、インターネットブラウザ、および同様のもの、のうちの少なくとも１つを備えることができる。
【００３２】
基地局１、１２０Ａの通信インターフェース３２０Ａ、および／または基地局２、１２０Ｂの通信インターフェース３２０Ｂは、それぞれ無線リンク３３０Ａおよび／または無線リンク３３０Ｂを介して無線デバイス１１０の通信インターフェース３１０と通信するように構成することができる。一例において、基地局１、１２０Ａの通信インターフェース３２０Ａは、基地局２の通信インターフェース３２０Ｂ、ならびに他のＲＡＮおよびコアネットワークノードと通信することができる。
【００３３】
無線リンク３３０Ａおよび／または無線リンク３３０Ｂは、双方向リンクおよび／または方向性リンクのうちの少なくとも１つを含むことができる。無線デバイス１１０の通信インターフェース３１０は、基地局１、１２０Ａの通信インターフェース３２０Ａと、および／または基地局２、１２０Ｂの通信インターフェース３２０Ｂと通信するように構成することができる。基地局１、１２０Ａおよび無線デバイス１１０、ならびに／または、基地局２、１２０Ｂおよび無線デバイス１１０は、それぞれ、無線リンク３３０Ａを介して、および／または無線リンク３３０Ｂを介して、トランスポートブロックを送信および受信するように構成することができる。無線リンク３３０Ａおよび／または無線リンク３３０Ｂは、少なくとも１つの周波数キャリアを用いることができる。実施形態のいくつかの様々な態様によれば、送受信機（複数可）を用いることができる。送受信機は、送信機および受信機の両方を含むデバイスであり得る。送受信機は、無線デバイス、基地局、中継ノード、および／または同等物などのデバイス内で用いることができる。通信インターフェース３１０、３２０Ａ、３２０Ｂ、および無線リンク３３０Ａ、３３０Ｂにおいて実施される無線技術の例示的な実施形態が、図４Ａ、図４Ｂ、図４Ｃ、図４Ｄ、図６、図７Ａ、図７Ｂ、図８、および関連する文脈に例示されている。
【００３４】
一例において、無線ネットワーク内の他のノード（例えば、ＡＭＦ、ＵＰＦ、ＳＭＦなど）は、１つ以上の通信インターフェース、１つ以上のプロセッサ、および、命令を格納するメモリを備えることができる。
【００３５】
ノード（例えば、無線デバイス、基地局、ＡＭＦ、ＳＭＦ、ＵＰＦ、サーバ、スイッチ、アンテナ、および／またはその同様のもの）は、１つ以上のプロセッサと、１つ以上のプロセッサによって実行されたときに、そのノードに特定のプロセスおよび／または機能を実行させる命令を格納するメモリと、を含むことができる。例示的な実施形態は、単一キャリアおよび／またはマルチキャリア通信の動作を可能にすることができる。他の例示的な実施形態は、単一キャリアおよび／またはマルチキャリア通信の動作を生じさせるために、１つ以上のプロセッサにより実行可能な命令を含む、非一過性有形コンピュータ可読媒体を備えることができる。さらに他の例示的な実施形態は、非一過性有形コンピュータ可読機械アクセス可能媒体を含む製品を含むことができ、この媒体は、プログラム可能なハードウェアが、ノードに単一キャリアおよび／またはマルチキャリア通信の動作を可能にさせることを可能にするための、そこに符号化された命令を有する。ノードは、プロセッサ、メモリ、インターフェース、および／または同様のものを備えることができる。
【００３６】
インターフェースは、ハードウェアインターフェース、ファームウェアインターフェース、ソフトウェアインターフェース、のうちの少なくとも１つ、および／またはこれらの組み合わせを備えることができる。ハードウェアインターフェースは、コネクタ、ワイヤ、ドライバなどの電子デバイス、増幅器、および／または同様のものを備えることができる。ソフトウェアインターフェースは、プロトコル（複数可）、プロトコル層、通信ドライバ、デバイスドライバ、それらの組み合わせ、および／または同様のものを実装するようにメモリデバイス内に格納されたコードを含むことができる。ファームウェアインターフェースは、組み込み型ハードウェアと、メモリデバイス内に格納され、かつ／またはそれと通信するコードとの組み合わせを含み、接続、電子デバイス動作、プロトコル（複数可）、プロトコル層、通信ドライバ、デバイスドライバ、ハードウェア動作、これらの組み合わせ、および／または同様のものを実装することができる。
【００３７】
図４Ａ、図４Ｂ、図４Ｃ、および図４Ｄは、本開示の実施形態の一態様に基づく、アップリンクおよびダウンリンク信号伝送の場合の例示的な略図である。図４Ａは、少なくとも１つの物理チャネルの例示的なアップリンク送信機を示す。物理アップリンク共有チャネルを代表するベースバンド信号は、１つ以上の機能を実行することができる。この１つ以上の機能は、スクランブリング、複素数値シンボルを生成するためのスクランブルビットの変調、１つまたはいくつかの伝送層上への複素数値変調シンボルのマッピング、複素数値シンボルを生成するための変換プリコーディング、複素数値シンボルのプリコーディング、プリコーディングされた複素数値シンボルのリソース要素へのマッピング、複素数値時間領域単一キャリア周波数分割多元接続（ＳＣ−ＦＤＭＡ）またはＣＰ−ＯＦＤＭ信号のアンテナポートへの生成、および／または同様のもの、のうちの少なくとも１つを含むことができる。一例において、変換プリコーディングが有効である場合は、アップリンク伝送のためのＳＣ−ＦＤＭＡ信号が生成され得る。一例において、変換プリコーディングが有効でない場合は、図４Ａによって、アップリンク伝送のためのＣＰ−ＯＦＤＭ信号が生成され得る。これらの機能は、例として例解されており、他のメカニズムが様々な実施形態において実装され得ることが想定される。
【００３８】
アンテナポートに対する複素数値ＳＣ−ＦＤＭＡまたはＣＰ−ＯＦＤＭベースバンド信号、および／または複素数値物理ランダムアクセスチャネル（ＰＲＡＣＨ）ベースバンド信号のキャリア周波数に対する変調およびアップコンバージョンの場合の例示的構造が、図４Ｂに示されている。伝送前にフィルタリングを用いることができる。
【００３９】
ダウンリンク伝送のための例示的構造が、図４Ｃに示されている。ダウンリンク物理チャネルを表すベースバンド信号は、１つ以上の機能を実行することができる。この１つ以上の機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上での伝送するための各層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含むことができる。これらの機能は、例として例解されており、他のメカニズムが様々な実施形態において実装され得ることが想定される。
【００４０】
一例において、ｇＮＢは、アンテナポート上の第１のシンボルおよび第２のシンボルを無線デバイスに伝送することができる。この無線デバイスは、アンテナポート上の第１のシンボルを伝達するためのチャネルから、アンテナポート上の第２のシンボルを伝達するためのチャネル（例えば、フェージング利得、マルチパス遅延など）を推測することができる。一例において、第１のアンテナポートおよび第２のアンテナポートは、第１のアンテナポート上の第１のシンボルが伝達されるチャネルの１つ以上の大規模な特性が、第２のアンテナポート上の第２のシンボルが伝達されるチャネルから推測され得る場合に、おおよそ同じ場所に配置されることができる。１つ以上の大規模な特性は、遅延拡散、ドップラー拡散、ドップラーシフト、平均利得、平均遅延、および／または空間受信（Ｒｘ）パラメータのうちの少なくとも１つを含むことができる。
【００４１】
アンテナポートの複素数値ＯＦＤＭベースバンド信号のキャリア周波数に対する例示的な変調およびアップコンバージョンが、図４Ｄに示されている。伝送前にフィルタリングを用いることができる。
【００４２】
図５Ａは、例示的なアップリンクチャネルマッピングおよび例示的なアップリンク物理信号の略図である。図５Ｂは、例示的なダウンリンクチャネルマッピングおよびダウンリンク物理信号の略図である。一例において、物理層は、１つ以上の情報転送サービスを、ＭＡＣおよび／または１つ以上の上位層に提供することができる。例えば、物理層は、１つ以上のトランスポートチャネルを介して１つ以上の情報転送サービスをＭＡＣに提供することができる。情報転送サービスは、特性データが無線インターフェースにわたってどのように、また何と一緒に転送されるかを示すことができる。
【００４３】
例示的な実施形態において、無線ネットワークは、１つ以上のダウンリンクおよび／またはアップリンクトランスポートチャネルを含むことができる。例えば、図５Ａの略図は、アップリンク共有チャネル（ＵＬ−ＳＣＨ）５０１およびランダムアクセスチャネル（ＲＡＣＨ）５０２を含む例示的なアップリンクトランスポートチャネルを示す。図５Ｂの略図は、ダウンリンク共有チャネル（ＤＬ−ＳＣＨ）５１１、ページングチャネル（ＰＣＨ）５１２、およびブロードキャストチャネル（ＢＣＨ）５１３を含む例示的なダウンリンクトランスポートチャネルを示す。トランスポートチャネルは、１つ以上の対応する物理チャネルにマッピングすることができる。例えば、ＵＬ−ＳＣＨ５０１は、物理アップリンク共有チャネル（ＰＵＳＣＨ）５０３にマッピングすることができる。ＲＡＣＨ５０２は、ＰＲＡＣＨ５０５にマッピングすることができる。ＤＬ−ＳＣＨ５１１およびＰＣＨ５１２は、物理ダウンリンク共有チャネル（ＰＤＳＣＨ）５１４にマッピングすることができる。ＢＣＨ５１３は、物理ブロードキャストチャネル（ＰＢＣＨ）５１６にマッピングすることができる。
【００４４】
対応するトランスポートチャネルを有さない１つ以上の物理チャネルが存在する場合がある。この１つ以上の物理チャネルは、アップリンク制御情報（ＵＣＩ）５０９および／またはダウンリンク制御情報（ＤＣＩ）５１７に対して用いることができる。例えば、物理アップリンク制御チャネル（ＰＵＣＣＨ）５０４は、ＵＥから基地局にＵＣＩ５０９を搬送することができる。例えば、物理ダウンリンク制御チャネル（ＰＤＣＣＨ）５１５は、基地局からＵＥにＤＣＩ５１７を搬送することができる。ＮＲは、ＵＣＩ５０９およびＰＵＳＣＨ５０３伝送がスロット内で少なくとも部分的に一致し得る場合、ＰＵＳＣＨ５０３においてＵＣＩ５０９多重化をサポートすることができる。ＵＣＩ５０９は、ＣＳＩ、肯定応答（ＡＣＫ）／否定肯定応答（ＮＡＣＫ）、および／またはスケジューリング要求のうちの少なくとも１つを含むことができる。ＰＤＣＣＨ５１５上のＤＣＩ５１７は、以下の、１つ以上のダウンリンク割り当て、および／または１つ以上のアップリンクスケジューリング許可のうちの少なくとも１つを示すことができる。
【００４５】
アップリンクでは、ＵＥは、１つ以上の基準信号（ＲＳ）を基地局に伝送することができる。例えば、１つ以上のＲＳは、復調−ＲＳ（ＤＭ−ＲＳ）５０６、位相トラッキング−ＲＳ（ＰＴ−ＲＳ）５０７、および／またはサウンディングＲＳ（ＳＲＳ）５０８のうちの少なくとも１つであり得る。ダウンリンクでは、基地局は、１つ以上のＲＳをＵＥに伝送（例えば、ユニキャスト、マルチキャスト、および／またはブロードキャスト）することができる。例えば、１つ以上のＲＳは、プライマリ同期信号（ＰＳＳ）／セカンダリ同期信号（ＳＳＳ）５２１、ＣＳＩ−ＲＳ５２２、ＤＭ−ＲＳ５２３、および／またはＰＴ−ＲＳ５２４のうちの少なくとも１つとすることができる。
【００４６】
一例において、ＵＥは、チャネル推定のため、例えば、１つ以上のアップリンク物理チャネル（例えば、ＰＵＳＣＨ５０３および／またはＰＵＣＣＨ５０４）のコヒーレント復調のために、１つ以上のアップリンクＤＭ−ＲＳ５０６を基地局に伝送することができる。例えば、ＵＥは、ＰＵＳＣＨ５０３および／またはＰＵＣＣＨ５０４を用いて少なくとも１つのアップリンクＤＭ−ＲＳ５０６を基地局に伝送することができ、少なくとも１つのアップリンクＤＭ−ＲＳ５０６は、対応する物理チャネルと同じ周波数範囲に及ぶことがある。一例において、基地局は、１つ以上のアップリンクＤＭ−ＲＳ構成を有するＵＥを構成することができる。少なくとも１つのＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）上にマッピングすることができる。１つ以上の追加のアップリンクＤＭ−ＲＳは、ＰＵＳＣＨおよび／またはＰＵＣＣＨの１つ以上のシンボルで伝送するように構成することができる。基地局は、ＰＵＳＣＨおよび／またはＰＵＣＣＨのための先行ＤＭ−ＲＳシンボルの最大数を用いてＵＥを準統計学的に構成することができる。例えば、ＵＥは、先行ＤＭ−ＲＳシンボルの最大数に基づいて、単一シンボルＤＭ−ＲＳおよび／または二重シンボルＤＭ−ＲＳをスケジュールすることができ、基地局は、ＰＵＳＣＨおよび／またはＰＵＣＣＨのための１つ以上の追加のアップリンクＤＭ−ＲＳを用いてＵＥを構成することができる。新しい無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００４７】
一例において、アップリンクＰＴ−ＲＳ５０７が存在するか否かは、ＲＲＣ構成に依存し得る。例えば、アップリンクＰＴ−ＲＳの存在は、ＵＥ固有に構成することができる。例えば、スケジュールされたリソース内のアップリンクＰＴ−ＲＳ５０７の存在および／またはパターンは、ＲＲＣシグナリング、および／または、ＤＣＩによって示され得る他の目的（例えば、変調およびコーディング方式（ＭＣＳ））のために用いられる１つ以上のパラメータとの関連付けの組み合わせによってＵＥ固有に構成することができる。アップリンクＰＴ−ＲＳ５０７の動的存在は、それが構成される場合、少なくともＭＣＳを含む１つ以上のＤＣＩパラメータと関連付けることができる。無線ネットワークは、時間／周波数領域で画定される複数のアップリンクＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、アップリンクＰＴ−ＲＳ５０７は、ＵＥのためのスケジュールされた時間／周波数持続時間内に制限される場合がある。
【００４８】
一例において、ＵＥは、アップリンクチャネル依存スケジューリングおよび／またはリンク適応をサポートするチャネル状態推定のために、基地局に、ＳＲＳ５０８を伝送することができる。例えば、ＵＥによって伝送されたＳＲＳ５０８は、基地局が１つ以上の異なる周波数におけるアップリンクチャネル状態を推定することを可能にすることができる。基地局スケジューラは、アップリンクチャネル状態を用いて、ＵＥからアップリンクＰＵＳＣＨ伝送のために良好な品質の１つ以上のリソースブロックを割り当てることができる。基地局は、１つ以上のＳＲＳリソースセットを用いてＵＥを準統計学的に構成することができる。ＳＲＳリソースセットの場合、基地局は、１つ以上のＳＲＳリソースを用いてＵＥを構成することができる。ＳＲＳリソースセットの適用可能性は、上位層（例えば、ＲＲＣ）のパラメータによって構成されることができる。例えば、上位層パラメータがビーム管理を示す場合、１つ以上のＳＲＳリソースセットの各々の中のＳＲＳリソースを一度に伝送することができる。ＵＥは、異なるＳＲＳリソースセット内に１つ以上のＳＲＳリソースを同時に伝送することができる。新しい無線ネットワークは、非周期的、周期的、かつ／または半永続的なＳＲＳ伝送をサポートすることができる。ＵＥは、１つ以上のトリガタイプに基づいてＳＲＳリソースを伝送することができ、その１つ以上のトリガタイプは、上位層シグナリング（例えば、ＲＲＣ）、および／または１つ以上のＤＣＩフォーマット（例えば、少なくとも１つのＤＣＩフォーマットを用いて、ＵＥが、１つ以上の構成されたＳＲＳリソースセットのうちの少なくとも１つを選択することができる）を含むことができる。ＳＲＳトリガタイプ０は、上位層のシグナリングに基づいてトリガされたＳＲＳを指し得る。ＳＲＳトリガタイプ１は、１つ以上のＤＣＩフォーマットに基づいてトリガされたＳＲＳを指し得る。一例において、ＰＵＳＣＨ５０３およびＳＲＳ５０８が同じスロットで伝送される場合、ＵＥは、ＰＵＳＣＨ５０３および対応するアップリンクＤＭ−ＲＳ５０６の伝送後にＳＲＳ５０８を伝送するように構成されることができる。
【００４９】
一例において、基地局は、以下のうちの少なくとも１つを示す１つ以上のＳＲＳ構成パラメータを用いてＵＥを準統計学的に構成することができ、それらの構成パラメータは、ＳＲＳリソース構成識別子、ＳＲＳポート数、ＳＲＳリソース構成の時間領域挙動（例えば、周期的、半永続的、または非周期的なＳＲＳの表示）、周期的および／または非周期的ＳＲＳリソースのためのスロット（ミニスロット、および／またはサブフレーム）レベル周期性および／またはオフセット、ＳＲＳリソース内のＯＦＤＭシンボル数、ＳＲＳリソースのＯＦＤＭシンボル開始、ＳＲＳ帯域幅、周波数ホッピング帯域幅、サイクリックシフト、および／またはＳＲＳシーケンスＩＤである。
【００５０】
一例において、ある時間領域では、ＳＳ／ＰＢＣＨブロックは、ＳＳ／ＰＢＣＨブロック内に１つ以上のＯＦＤＭシンボル（例えば、０〜３まで増加順で番号付けられた４つのＯＦＤＭシンボル）を含むことができる。ＳＳ／ＰＢＣＨブロックは、ＰＳＳ／ＳＳＳ５２１およびＰＢＣＨ５１６を含むことができる。一例において、周波数領域では、ＳＳ／ＰＢＣＨブロックは、ＳＳ／ＰＢＣＨブロック内部に１つ以上の連続サブキャリア（例えば、０〜２３９まで増加順で番号付けられたサブキャリアを伴う２４０個の連続サブキャリア）を含むことができる。例えば、ＰＳＳ／ＳＳＳ５２１は、１個のＯＦＤＭシンボル、および１２７個のサブキャリアを占有し得る。例えば、ＰＢＣＨ５１６は、３個のＯＦＤＭシンボル、および２４０個のサブキャリアにまたがり得る。ＵＥは、同じブロックインデックスを用いて伝送された１つ以上のＳＳ／ＰＢＣＨブロックが、例えば、ドップラー拡散、ドップラーシフト、平均利得、平均遅延、および空間Ｒｘパラメータに関して、おおよそ同じ位置に配置され得ることを想定することができる。ＵＥは、他のＳＳ／ＰＢＣＨブロック伝送の場合、おおよそ同じ位置の配置を想定することはできない。ＳＳ／ＰＢＣＨブロックの周期性は、無線ネットワーク（例えば、ＲＲＣシグナリングによる）によって構成されることができ、ＳＳ／ＰＢＣＨブロックを送信することができる１つ以上の時間場所は、サブキャリア間隔によって決定されることができる。一例において、無線ネットワークが、異なるサブキャリア間隔を想定するようにＵＥを構成しない限り、ＵＥは、ＳＳ／ＰＢＣＨブロックの帯域固有のサブキャリア間隔を想定することができる。
【００５１】
一例において、ダウンリンクＣＳＩ−ＲＳ５２２を用いて、ＵＥがチャネル状態情報を取得することができる。無線ネットワークは、ダウンリンクＣＳＩ−ＲＳ５２２の周期的、非周期的、および／または半永続的な伝送をサポートすることができる。例えば、基地局は、ダウンリンクＣＳＩ−ＲＳ５２２の周期的伝送を用いてＵＥを準統計学的に構成および／または再構成することができる。構成されたＣＳＩ−ＲＳリソースは、作動および／または停止させることができる。半永続的な伝送の場合、ＣＳＩ−ＲＳリソースの作動および／または停止は、動的にトリガすることができる。一例において、ＣＳＩ−ＲＳ構成は、少なくともアンテナポート数を示す１つ以上のパラメータを含むことができる。例えば、基地局は、３２個のポートを有するＵＥを構成することができる。基地局は、１つ以上のＣＳＩ−ＲＳリソースセットを有するＵＥを準統計学的に構成することができる。１つ以上のＣＳＩ−ＲＳリソースを、１つ以上のＣＳＩ−ＲＳリソースセットから１つ以上のＵＥに割り当てることができる。例えば、基地局は、ＣＳＩ  ＲＳリソースマッピングを示す１つ以上のパラメータ、例えば、１つ以上のＣＳＩ−ＲＳリソースの時間領域位置、ＣＳＩ−ＲＳリソースの帯域幅、および／または周期性を準統計学的に構成することができる。一例において、ダウンリンクＣＳＩ−ＲＳ５２２およびコアセットが空間的におおよそ同じ場所に配置されている場合、ＵＥは、ダウンリンクＣＳＩ−ＲＳ５２２および制御リソースセット（コアセット）に対して同じＯＦＤＭシンボルを用いるように構成されることができ、ダウンリンクＣＳＩ−ＲＳ５２２と関連付けられたリソース要素は、コアセットのために構成されたＰＲＢの外側にある。一例において、ダウンリンクＣＳＩ−ＲＳ５２２およびＳＳＢ／ＰＢＣＨが空間的におおよそ同じ場所に配置されている場合、ＵＥは、ダウンリンクＣＳＩ−ＲＳ５２２およびＳＳＢ／ＰＢＣＨに対して同じＯＦＤＭシンボルを用いるように構成されることができ、ダウンリンクＣＳＩ−ＲＳ５２２と関連付けられたリソース要素は、ＳＳＢ／ＰＢＣＨのために構成されたＰＲＢの外側にある。
【００５２】
一例において、ＵＥは、チャネル推定のために、例えば、１つ以上のダウンリンク物理チャネル（例えば、ＰＤＳＣＨ５１４）のコヒーレント復調を行うために、１つ以上のダウンリンクＤＭ−ＲＳ５２３を基地局に伝送することができる。例えば、無線ネットワークは、データ復調のための、１つ以上の可変および／または構成可能なＤＭ−ＲＳパターンをサポートすることができる。少なくとも１つのダウンリンクＤＭ−ＲＳ構成は、先行ＤＭ−ＲＳパターンをサポートすることができる。先行ＤＭ−ＲＳは、１つ以上のＯＦＤＭシンボル（例えば、１つまたは２つの隣接ＯＦＤＭシンボル）の上にマッピングすることができる。基地局は、ＰＤＳＣＨ５１４のための先行ＤＭ−ＲＳシンボルの最大数を用いてＵＥを準統計学的に構成することができる。例えば、ＤＭ−ＲＳ構成は、１つ以上のＤＭ−ＲＳポートをサポートすることができる。例えば、シングルユーザ−ＭＩＭＯの場合、ＤＭ−ＲＳ構成は、少なくとも８個の直交ダウンリンクＤＭ−ＲＳポートをサポートすることができる。例えば、マルチユーザ−ＭＩＭＯの場合、ＤＭ−ＲＳ構成は、１２個の直交ダウンリンクＤＭ−ＲＳポートをサポートすることができる。無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００５３】
一例において、ダウンリンクＰＴ−ＲＳ５２４が存在するか否かは、ＲＲＣ構成に依存し得る。例えば、ダウンリンクＰＴ−ＲＳ５２４の存在は、ＵＥ固有に構成することができる。例えば、スケジュールされたリソース内のダウンリンクＰＴ−ＲＳ５２４の存在および／またはパターンは、ＲＲＣシグナリング、および／または、ＤＣＩによって示され得る他の目的（例えば、ＭＣＳ）のために用いられる１つ以上のパラメータとの関連付けとの組み合わせによってＵＥ固有に構成することができる。ダウンリンクＰＴ−ＲＳ５２４の動的存在は、それが構成される場合、少なくともＭＣＳを含む１つ以上のＤＣＩパラメータと関連付けることができる。無線ネットワークは、時間／周波数領域において画定される複数のＰＴ−ＲＳ密度をサポートすることができる。周波数領域密度は、それが存在する場合、スケジュールされた帯域幅の少なくとも１つの構成と関連付けることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、ダウンリンクＰＴ−ＲＳ５２４は、ＵＥのためのスケジュールされた時間／周波数持続時間内に制限する場合がある。
【００５４】
図６は、本開示の実施形態の一態様に基づく、例示的なキャリアの伝送時間および受信時間を描いている略図である。マルチキャリアＯＦＤＭ通信システムでは、１つ以上のキャリアを含むことができ、例えば、キャリアアグリゲーションの場合には、１〜３２個のキャリアに、またはデュアル接続の場合には、１〜６４個のキャリアに及ぶ。異なる無線フレーム構造をサポートすることができる（例えば、ＦＤＤメカニズムの場合、およびＴＤＤ複信メカニズムの場合）。図６は、例示的なフレームタイミングを示す。ダウンリンクおよびアップリンク伝送は、無線フレーム６０１内に体系化されることができる。この例では、無線フレーム持続時間は、１０ミリ秒である。この例では、１０ミリ秒の無線フレーム６０１は、１ミリ秒の持続時間を有する、１０個の等しいサイズのサブフレーム６０２に分割することができる。サブフレーム（複数可）は、サブキャリア間隔および／またはＣＰ長さに応じて、１つ以上のスロット（例えば、スロット６０３および６０５）を含むことができる。例えば、１５ｋＨｚ、３０ｋＨｚ、６０ｋＨｚ、１２０ｋＨｚ、２４０ｋＨｚ、および４８０ｋＨｚのサブキャリア間隔を有するサブフレームは、それぞれ、１個、２個、４個、８個、１６個、および３２個のスロットを含むことができる。図６では、サブフレームは、０．５ミリ秒の持続時間を有する、２個の等しいサイズのスロット６０３に分割することができる。例えば、１０個のサブフレームは、ダウンリンク伝送に利用可能であり得、１０個のサブフレームは、１０ミリ秒の時間間隔でのアップリンク伝送に利用可能であり得る。アップリンクおよびダウンリンク伝送は、周波数領域内で分離することができる。スロット（複数可）は、複数のＯＦＤＭシンボル６０４を含むことができる。スロット６０５内のＯＦＤＭシンボル６０４の数は、サイクリックプレフィックス長さに依存し得る。例えば、１つのスロットは、通常のＣＰを有する、最大４８０ｋＨｚの同じサブキャリア間隔で１４個のＯＦＤＭシンボルであり得る。１つのスロットは、拡張されたＣＰを有する、６０ｋＨｚの同じサブキャリア間隔で１２個のＯＦＤＭシンボルであり得る。１つのスロットは、ダウンリンク、アップリンク、または、ダウンリンク部およびアップリンク部、ならびに／または同様のものを含むことができる。
【００５５】
図７Ａは、本開示の実施形態の一態様に基づく、例示的なＯＦＤＭサブキャリアセットを描いている略図である。この例において、ｇＮＢは、例示的なチャネル帯域幅７００を有するキャリアを有する無線デバイスと通信することができる。略図内の矢印（複数可）は、マルチキャリアＯＦＤＭシステム内のサブキャリアを描き得る。ＯＦＤＭシステムは、ＯＦＤＭ技術、ＳＣ−ＦＤＭＡ技術、および／または同様のものなどの技術を使用することができる。一例において、矢印７０１は、情報シンボルを伝送するサブキャリアを示す。一例において、キャリア内の２つの隣接するサブキャリア間のサブキャリア間隔７０２は、１５ＫＨｚ、３０ＫＨｚ、６０ＫＨｚ、１２０ＫＨｚ、２４０ＫＨｚなどのうちの任意の１つであり得る。一例において、異なるサブキャリア間隔は、異なる伝送ヌメロロジに対応することができる。一例において、伝送ヌメロロジは、少なくともヌメロロジインデックス、サブキャリア間隔の値、サイクリックプレフィックス（ＣＰ）のタイプを含むことができる。一例において、ｇＮＢは、キャリア内の多数のサブキャリア７０３上で、ＵＥへ伝送する／ＵＥから受信することができる。一例において、多数のサブキャリア７０３により占有される帯域幅（伝送帯域幅）は、保護帯域７０４および７０５に起因して、キャリアのチャネル帯域幅７００よりも小さくてもよい。一例において、保護帯域７０４および７０５を使用して、１つ以上の近隣のキャリアへ／からの干渉を低減することができる。キャリア内のサブキャリア（伝送帯域幅）の数は、キャリアのチャネル帯域幅、およびサブキャリア間隔に依存し得る。例えば、２０ＭＨｚチャネル帯域幅および１５ＫＨｚサブキャリア間隔を有するキャリアの場合、伝送帯域幅は、１０２４個のサブキャリア数となり得る。
【００５６】
一例において、ｇＮＢおよび無線デバイスは、ＣＡを用いて構成されると、複数のＣＣと通信することができる。一例において、異なるコンポーネントキャリアは、ＣＡがサポートされている場合、異なる帯域幅および／またはサブキャリア間隔を有することができる。一例において、ｇＮＢは、第１のコンポーネントキャリア上のＵＥに第１のタイプのサービスを伝送することができる。ｇＮＢは、第２のコンポーネントキャリア上のＵＥに第２のタイプのサービスを伝送することができる。異なるタイプのサービスは、異なるサービス要件（例えば、データレート、待ち時間、信頼性）を有し得、これらは、異なるサブキャリア間隔および／または帯域幅を有する異なるコンポーネントキャリアを介した伝送に好適となり得る。図７Ｂは、例示的な実施形態を示す。第１のコンポーネントキャリアは、第１のサブキャリア間隔７０９を有する第１の数のサブキャリア７０６を含むことができる。第２のコンポーネントキャリアは、第２のサブキャリア間隔７１０を有する第２の数のサブキャリア７０７を含むことができる。第３のコンポーネントキャリアは、第３のサブキャリア間隔７１１を有する第３の数のサブキャリア７０８を含むことができる。マルチキャリアＯＦＤＭ通信システムのキャリアは、連続キャリア、非連続キャリア、または連続キャリアと非連続キャリアの両方の組み合わせであってもよい。
【００５７】
図８は、本開示の実施形態の一態様に基づく、ＯＦＤＭ無線リソースを描いている略図である。一例において、キャリアは、伝送帯域幅８０１を有することができる。一例において、リソースグリッドは、周波数領域８０２および時間領域８０３の構造内にあり得る。一例において、リソースグリッドは、サブフレーム内の第１の数のＯＦＤＭシンボル、および第２の数のリソースブロックを含むことができ、伝送ヌメロロジおよびキャリアのために、上位層シグナリング（例えば、ＲＲＣシグナリング）によって示された共通リソースブロックから開始する。一例において、リソースグリッドでは、サブキャリアインデックスおよびシンボルインデックスにより識別されたリソースユニットは、リソース要素８０５であり得る。一例において、サブフレームは、キャリアと関連付けられたヌメロロジに応じて第１の数のＯＦＤＭシンボル８０７を含むことができる。例えば、キャリアのヌメロロジのサブキャリア間隔が１５ＫＨｚである場合、サブフレームは、キャリアに対して１４個のＯＦＤＭシンボルを有することができる。ヌメロロジのサブキャリア間隔が３０ＫＨｚである場合、サブフレームは、２８個のＯＦＤＭシンボルを有することができる。ヌメロロジのサブキャリア間隔が６０ＫＨｚである場合、サブフレームは、５６個のＯＦＤＭシンボルなどを有することができる。一例において、キャリアのリソースグリッド内に含まれる第２の数のリソースブロックは、キャリアの帯域幅およびヌメロロジに依存し得る。
【００５８】
図８に示すように、リソースブロック８０６は、１２個のサブキャリアを含むことができる。一例において、複数のリソースブロックは、リソースブロックグループ（ＲＢＧ）８０４にグループ化することができる。一例において、ＲＢＧのサイズは、ＲＢＧサイズ構成を示すＲＲＣメッセージ、キャリア帯域幅のサイズ、またはキャリアの帯域幅部のうちの少なくとも１つに依存し得る。一例において、キャリアは、複数の帯域幅部を含むことができる。キャリアの第１の帯域幅部は、キャリアの第２の帯域幅部とは異なる周波数位置および／または帯域幅を有することができる。
【００５９】
一例において、ｇＮＢは、ダウンリンクまたはアップリンクリソースブロック割り当てを含むダウンリンク制御情報を無線デバイスに伝送することができる。基地局は、ダウンリンク制御情報および／またはＲＲＣメッセージ（複数可）内のパラメータに従って、１つ以上のリソースブロックおよび１つ以上のスロットを介して、スケジュールおよび伝送されたデータパケット（例えば、トランスポートブロック）を、無線デバイスに伝送し、または無線デバイスから受信することができる。一例では、１つ以上のスロットの第１のスロットに対する開始シンボルを無線デバイスに示すことができる。一例において、ｇＮＢは、１つ以上のＲＢＧおよび１つ以上のスロットにスケジュールされたデータパケットを、無線デバイスに伝送し、または無線デバイスから受信することができる。
【００６０】
一例において、ｇＮＢは、１つ以上のＰＤＣＣＨを介して無線デバイスにダウンリンク割り当てを含むダウンリンク制御情報を伝送することができる。ダウンリンク割り当ては、少なくとも変調およびコーディングフォーマットを示すパラメータ、リソース割り当て、および／または、ＤＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のセル無線ネットワーク一時識別子（Ｃ−ＲＮＴＩ）を介して無線デバイスにリソースを動的に割り当てることができる。無線デバイスは、１つ以上のＰＤＣＣＨをモニタして、無線デバイスのダウンリンク受信が可能であるときに可能な割り当てを見出すことができる。無線デバイスは、１つ以上のＰＤＣＣＨを正常に検出する場合、１つ以上のＰＤＣＣＨによりスケジュールされた１つ以上のＰＤＳＣＨ上に１つ以上のダウンリンクデータパッケージを受信することができる。
【００６１】
一例において、ｇＮＢは、無線デバイスへのダウンリンク伝送のための構成スケジューリング（ＣＳ）リソースを割り当てることができる。ｇＮＢは、ＣＳ許可の周期性を示す１つ以上のＲＲＣメッセージを伝送することができる。ｇＮＢは、ＣＳリソースを作動させる構成スケジューリング−ＲＮＴＩ（ＣＳ−ＲＮＴＩ）にアドレス指定されたＰＤＣＣＨを介してＤＣＩを伝送することができる。ＤＣＩは、ダウンリンク許可がＣＳ許可であることを示すパラメータを含むことができる。ＣＳ許可は、１つ以上のＲＲＣメッセージにより定義された周期性に従って、停止されるまで、暗黙的に再使用することができる。
【００６２】
一例において、ｇＮＢは、１つ以上のＰＤＣＣＨを介して無線デバイスにアップリンク許可を含むダウンリンク制御情報を伝送することができる。アップリンク許可は、少なくとも変調およびコーディングフォーマットを示すパラメータ、リソース割り当て、および／または、ＵＬ−ＳＣＨに関するＨＡＲＱ情報を含むことができる。一例において、リソース割り当ては、リソースブロック割り当てのパラメータ、および／またはスロット割り当てを含むことができる。一例において、ｇＮＢは、１つ以上のＰＤＣＣＨ上のＣ−ＲＮＴＩを介して無線デバイスにリソースを動的に割り当てることができる。無線デバイスは、可能なリソース割り当てを見出すために、１つ以上のＰＤＣＣＨをモニタすることができる。無線デバイスは、１つ以上のＰＤＣＣＨを正常に検出する場合、１つ以上のＰＤＣＣＨによりスケジュールされた１つ以上のＰＵＳＣＨを介して１つ以上のアップリンクデータパッケージを伝送することができる。
【００６３】
一例において、ｇＮＢは、無線デバイスへのアップリンクデータ伝送のためのＣＳリソースを割り当てることができる。ｇＮＢは、ＣＳ許可の周期性を示す１つ以上のＲＲＣメッセージを伝送することができる。ｇＮＢは、ＣＳリソースを作動させるＣＳ−ＲＮＴＩにアドレス指定されたＰＤＣＣＨを介してＤＣＩを伝送することができる。ＤＣＩは、アップリンク許可がＣＳ許可であることを示すパラメータを含むことができる。ＣＳ許可は、１つ以上のＲＲＣメッセージにより定義された周期性に従って、停止されるまで、暗黙的に再使用することができる。
【００６４】
一例において、基地局は、ＰＤＣＣＨを介してＤＣＩ／制御シグナリングを伝送することができる。ＤＣＩは、複数のフォーマット中の１つのフォーマットを取ることができる。ＤＣＩは、ダウンリンクおよび／またはアップリンクスケジューリング情報（例えば、リソース割り当て情報、ＨＡＲＱ関連パラメータ、ＭＣＳ）、ＣＳＩの要求（例えば、非周期的ＣＱＩレポート）、ＳＲＳの要求、１つ以上のセルに対するアップリンクパワー制御コマンド、１つ以上のタイミング情報（例えば、ＴＢ伝送／受信タイミング、ＨＡＲＱフィードバックタイミングなど）などを含むことができる。一例において、ＤＣＩは、１つ以上のトランスポートブロックのための伝送パラメータを含むアップリンク許可を示すことができる。一例において、ＤＣＩは、１つ以上のトランスポートブロックを受信するためのパラメータを示すダウンリンク割り当てを示すことができる。一例において、ＤＣＩは、基地局によって使用されて、無線デバイスにおいて競合なしランダムアクセスを開始することができる。一例において、基地局は、スロットフォーマットを通知するスロットフォーマットインジケータ（ＳＦＩ）を含むＤＣＩを伝送することができる。一例において、基地局は、ＰＲＢ（複数可）および／またはＯＦＤＭシンボル（複数可）を通知するプリエンプション表示を含むＤＣＩを伝送することができ、そこでは、ＵＥは、ＵＥのための伝送が意図されていないことを想定することができる。一例において、基地局は、ＰＵＣＣＨまたはＰＵＳＣＨまたはＳＲＳのグループパワー制御のためのＤＣＩを伝送することができる。一例において、ＤＣＩは、ＲＮＴＩに対応することができる。一例において、無線デバイスは、初期アクセス（例えば、Ｃ−ＲＮＴＩ）を完了することに応答してＲＮＴＩを取得することができる。一例において、基地局は、無線のためのＲＮＴＩ（例えば、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＴＰＣ−ＳＲＳ−ＲＮＴＩ）を構成することができる。一例において、無線デバイスは、ＲＮＴＩを計算することができる（例えば、無線デバイスは、プリアンブルの伝送のために使用されるリソースに基づいて、ＲＡ−ＲＮＴＩを計算することができる）。一例において、ＲＮＴＩは、事前構成された値（例えば、Ｐ−ＲＮＴＩまたはＳＩ−ＲＮＴＩ）を有することができる。一例において、無線デバイスは、グループ共通探索空間をモニタすることができ、その空間は、基地局によって使用されてＵＥのグループのために意図されているＤＣＩを伝送する。一例において、グループ共通ＤＣＩは、ＵＥのグループのために共通して構成されているＲＮＴＩに対応することができる。一例において、無線デバイスは、ＵＥ固有の探索空間をモニタすることができる。一例において、ＵＥ固有のＤＣＩは、無線デバイスのために構成されたＲＮＴＩに対応することができる。
【００６５】
ＮＲシステムは、単一ビーム動作および／またはマルチビーム動作をサポートすることができる。マルチビーム動作において、基地局は、ダウンリンクビーム掃引を実行して、共通制御チャネルおよび／またはダウンリンクＳＳブロックのカバレッジを提供することができ、このカバレッジは、少なくともＰＳＳ、ＳＳＳ、および／またはＰＢＣＨを含むことができる。無線デバイスは、１つ以上のＲＳを使用して、ビームペアリンクの品質を測定することができる。１つ以上のＳＳブロック、またはＣＳＩ−ＲＳリソースインデックス（ＣＲＩ）と関連付けられた１つ以上のＣＳＩ−ＲＳリソース、またはＰＢＣＨの１つ以上のＤＭ−ＲＳを、ビームペアリンクの品質を測定するためのＲＳとして使用することができる。ビームペアリンクの品質は、基準信号受信パワー（ＲＳＲＰ）値、または基準信号受信品質（ＲＳＲＱ）値、および／またはＲＳリソース上で測定されたＣＳＩ値として定義することができる。基地局は、ビームペアリンクの品質を測定するために使用されるＲＳリソースが、制御チャネルのＤＭ−ＲＳとおおよそ同じ場所に配置されている（ＱＣＬｅｄ）かどうかを示すことができる。制御チャネルのＲＳリソースおよびＤＭ−ＲＳは、ＲＳ上の伝送から無線デバイスへの、および制御チャネル上の伝送から無線デバイスへのチャネル特性が、構成された基準の下で類似しているとき、または同じであるときに、ＱＣＬされたと呼ばれることがある。マルチビーム動作において、無線デバイスは、アップリンクビーム掃引を実行して、セルにアクセスすることができる。
【００６６】
一例において、無線デバイスは、無線デバイスの能力に応じて、１つ以上のビームペアリンク上のＰＤＣＣＨを同時にモニタするように構成されることができる。これは、ビームペアリンクのブロッキングに対するロバスト性を向上させることができる。基地局は、１つ以上のメッセージを伝送して、異なるＰＤＣＣＨ  ＯＦＤＭシンボルの１つ以上のビームペアリンク上のＰＤＣＣＨをモニタするように無線デバイスを構成することができる。例えば、基地局は、１つ以上のビームペアリンク上のＰＤＣＣＨをモニタするための無線デバイスのＲｘビーム設定に関するパラメータを含む、上位層シグナリング（例えば、ＲＲＣシグナリング）またはＭＡＣ  ＣＥを伝送することができる。基地局は、ＤＬ  ＲＳアンテナポート（複数可）（例えば、セル固有のＣＳＩ−ＲＳ、無線デバイス固有のＣＳＩ−ＲＳ、ＳＳブロック、またはＰＢＣＨのＤＭ−ＲＳを用いる、もしくは用いないＰＢＣＨ）と、ＤＬ制御チャネルの復調のためのＤＬ  ＲＳアンテナポート（複数可）との間で、空間的なＱＣＬ仮定の表示を伝送することができる。ＰＤＣＣＨのビーム表示のためのシグナリングは、ＭＡＣ  ＣＥシグナリング、またはＲＲＣシグナリング、またはＤＣＩシグナリング、または仕様透過的および／もしくは暗黙的方法、ならびにこれらのシグナリング方法の組み合わせであり得る。
【００６７】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を伝送することができる。この情報は、ＤＭ−ＲＳアンテナポート（複数可）を用いてＱＣＬされ得るＲＳアンテナポートを示すことができる。ＤＬデータチャネルのＤＭ−ＲＳアンテナポート（複数可）の異なるセットは、ＲＳアンテナポート（複数可）の異なるセットを用いてＱＣＬとして示すことができる。
【００６８】
図９Ａは、ＤＬチャネルにおけるビーム掃引の例である。ＲＲＣ＿ＩＮＡＣＴＩＶＥ状態またはＲＲＣ＿ＩＤＬＥ状態では、無線デバイスは、ＳＳブロックがＳＳバースト９４０およびＳＳバーストセット９５０を形成すると想定され得る。ＳＳバーストセット９５０は、所定の周期性を有し得る。例えば、マルチビーム動作では、基地局１２０は、一緒にＳＳバースト９４０を形成するＳＳブロックを複数のビームで伝送することができる。１つ以上のＳＳブロックが、１つのビーム上で伝送され得る。複数のＳＳバースト９４０が複数のビームで伝送される場合、ＳＳバーストは一緒にＳＳバーストセット９５０を形成することができる。
【００６９】
無線デバイスは、無線デバイスと基地局との間のリンクのビーム品質を推定するためのマルチビーム動作においてＣＳＩ−ＲＳをさらに使用することができる。ビームは、ＣＳＩ−ＲＳと関連付けることができる。例えば、無線デバイスは、ＣＳＩ−ＲＳ上でのＲＳＲＰ測定に基づいて、ダウンリンクビーム選択のＣＲＩで示され、ビームのＲＳＲＰ値と関連付けられるように、ビームインデックスをレポートすることができる。ＣＳＩ−ＲＳは、１つ以上のアンテナポートのうちの少なくとも１つ、１つ以上の時間無線リソースまたは周波数無線リソースを含むＣＳＩ−ＲＳリソース上で伝送され得る。ＣＳＩ−ＲＳリソースは、共通のＲＲＣシグナリングによるセル固有の方式で、または専用のＲＲＣシグナリングおよび／またはＬ１／Ｌ２シグナリングによる無線デバイス固有の方式で構成され得る。セルがカバーする複数の無線デバイスは、セル固有のＣＳＩ−ＲＳリソースを測定することができる。セルがカバーする無線デバイスの専用サブセットは、無線デバイス固有のＣＳＩ−ＲＳリソースを測定することができる。
【００７０】
ＣＳＩ−ＲＳリソースは、周期的に、または非周期的伝送を使用して、またはマルチショットまたは半永続的な伝送を使用して、伝送され得る。例えば、図９Ａの周期的な伝送では、基地局１２０は、時間領域で構成された周期性を使用して、構成されたＣＳＩ−ＲＳリソース９４０を周期的に伝送することができる。非周期的伝送では、構成されたＣＳＩ−ＲＳリソースは、専用タイムスロットで伝送され得る。マルチショットまたは半永続的な伝送では、構成されたＣＳＩ−ＲＳリソースは、構成された期間内に伝送され得る。ＣＳＩ−ＲＳ伝送に使用されるビームは、ＳＳブロック伝送に使用されるビームとは異なるビーム幅を有することができる。
【００７１】
図９Ｂは、例示的な新無線ネットワークにおけるビーム管理プロシージャの例である。基地局１２０および／または無線デバイス１１０は、ダウンリンクＬ１／Ｌ２ビーム管理プロシージャを実行することができる。以下のダウンリンクＬ１／Ｌ２ビーム管理プロシージャのうちの１つ以上は、１つ以上の無線デバイス１１０および１つ以上の基地局１２０内で実行され得る。一例において、Ｐ−１プロシージャ９１０を使用して、無線デバイス１１０が基地局１２０と関連付けられた１つ以上の伝送（Ｔｘ）ビームを測定して、基地局１２０と関連付けられた第１のセットのＴｘビームと、無線デバイス１１０と関連付けられた第１のセットのＲｘビーム（複数可）と、の選択をサポートできるようにすることができる。基地局１２０でのビームフォーミングのために、基地局１２０は、異なるＴＸビームのセットを掃引することができる。無線デバイス１１０でのビームフォーミングの場合、無線デバイス１１０は、異なるＲｘビームのセットを掃引することができる。一例において、Ｐ−２プロシージャ９２０を使用して、無線デバイス１１０が基地局１２０と関連付けられた１つ以上のＴｘビームを測定して、場合によっては、基地局１２０と関連付けられた第１のセットのＴｘビームを変更できるようにすることができる。Ｐ−２プロシージャ９２０は、Ｐ−１プロシージャ９１０におけるものとは異なり、場合によっては、ビーム改良のためにより小さいビームのセットに対して実行されてもよい。Ｐ−２プロシージャ９２０は、Ｐ−１プロシージャ９１０の特別な場合であり得る。一例において、Ｐ−３プロシージャ９３０を使用して、無線デバイス１１０が基地局１２０と関連付けられた少なくとも１つのＴｘビームを測定して、無線デバイス１１０と関連付けられた第１のセットのＲｘビームを変更できるようにすることができる。
【００７２】
無線デバイス１１０は、１つ以上のビーム管理レポートを基地局１２０に伝送することができる。１つ以上のビーム管理レポートでは、無線デバイス１１０は、少なくとも１つ以上のビーム識別、ＲＳＲＰ、構成されたビームのサブセットのプリコーディング行列インジケータ（ＰＭＩ）／チャネル品質インジケータ（ＣＱＩ）／ランクインジケータ（ＲＩ）を含むいくつかのビームペア品質パラメータを示すことができる。１つ以上のビーム管理レポートに基づいて、基地局１２０は、１つ以上のビームペアリンクが１つ以上のサービングビームであることを示す信号を無線デバイス１１０に伝送することができる。基地局１２０は、１つ以上のサービングビームを使用して無線デバイス１１０のＰＤＣＣＨおよびＰＤＳＣＨを伝送することができる。
【００７３】
例示的な実施形態において、新無線ネットワークは、帯域幅適応（ＢＡ）をサポートすることができる。一例において、ＢＡを用いるＵＥによって構成された受信および／または送信帯域幅は、大きくなくてもよい。例えば、受信および／または送信帯域幅は、セルの帯域幅ほど大きくなくてもよい。受信および／または送信帯域幅は、調節可能であってもよい。例えば、ＵＥは、受信および／または送信帯域幅を変化させて、例えば、活動が少ない期間中には減らして節電することができる。例えば、ＵＥは、周波数領域内の受信および／または送信帯域幅の位置を変化させ得、例えば、スケジューリングのフレキシブル性を高めることができる。例えば、ＵＥは、サブキャリア間隔を変化させて、例えば、異なるサービスを可能にすることができる。
【００７４】
例示的な実施形態において、セルの全セル帯域幅のサブセットは、帯域幅部（ＢＷＰ）と呼ばれることがある。基地局は、１つ以上のＢＷＰを用いてＵＥを構成してＢＡを達成することができる。例えば、基地局は、ＵＥに対して、１つ以上の（構成された）ＢＷＰのうちのどれが能動ＢＷＰであるかを示すことができる。
【００７５】
図１０は、４０ＭＨｚの幅および１５ｋＨｚのサブキャリア間隔を有するＢＷＰ１（１０１０および１０５０）、１０ＭＨｚの幅および１５ｋＨｚのサブキャリア間隔を有するＢＷＰ２（１０２０および１０４０）、２０ＭＨｚの幅および６０ｋＨｚのサブキャリア間隔を有するＢＷＰ３  １０３０、で構成された３つのＢＷＰの例示的な略図である。
【００７６】
一例において、ＵＥは、１個のセルの１つ以上のＢＷＰ内で動作するように構成され、１個のセルにつき１つ以上の上位層（例えば、ＲＲＣ層）、１個のセルにつき少なくとも１つのパラメータＤＬ−ＢＷＰによるＤＬ帯域幅内の、ＵＥ（ＤＬ  ＢＷＰセット）による受信のための１つ以上のＢＷＰ（例えば、最大４つのＢＷＰ）のセット、および、１個のセルにつき少なくとも１つのパラメータＵＬ−ＢＷＰによるＵＬ帯域幅内の、ＵＥ（ＵＬ  ＢＷＰセット）による受信のための１つ以上のＢＷＰ（例えば、最大４つのＢＷＰ）のセット、によって構成され得る。
【００７７】
ＰＣｅｌｌでのＢＡを可能にするため、基地局は、１つ以上のＵＬおよびＤＬ  ＢＷＰペアを用いてＵＥを構成することができる。ＳＣｅｌｌ（例えば、ＣＡの場合）でのＢＡを可能にするため、基地局は、少なくとも１つ以上のＤＬ  ＢＷＰを用いてＵＥを構成することができる（例えば、ＵＬには、何もない場合がある）。
【００７８】
一例において、初期能動ＤＬ  ＢＷＰは、少なくとも１つの共通探索空間のための制御リソースセットに対して、連続ＰＲＢの位置および数、サブキャリア間隔、またはサイクリックプレフィックスのうちの少なくとも１つによって定義され得る。ＰＣｅｌｌでの動作のために、１つ以上の上位層パラメータは、ランダムアクセスプロシージャのための少なくとも１つの初期ＵＬ  ＢＷＰを示すことができる。ＵＥがプライマリセルでのセカンダリキャリアを用いて構成される場合、ＵＥは、セカンダリキャリアでのランダムアクセスプロシージャのための初期ＢＷＰを用いて構成され得る。
【００７９】
一例において、ペアになっていないスペクトル動作の場合、ＵＥは、ＤＬ  ＢＷＰの場合の中心周波数がＵＬ  ＢＷＰの場合の中心周波数と同じであり得ることを予期し得る。
【００８０】
例えば、１つ以上のＤＬ  ＢＷＰまたは１つ以上のＵＬ  ＢＷＰのセット内の、それぞれのＤＬ  ＢＷＰまたはＵＬ  ＢＷＰの場合、基地局は、以下のうちの少なくとも１つを示す１つ以上のパラメータを用いてセルのためのＵＥを準統計学的に構成することができ、それらのパラメータは、サブキャリア間隔、サイクリックプレフィックス、連続ＰＲＢの数、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからの、ＤＬ  ＢＷＰとＵＬ  ＢＷＰとの間のリンク、ＰＤＳＣＨ受信タイミングに対するＤＣＩ検出、ＨＡＲＱ−ＡＣＫ送信タイミング値に対するＰＤＳＣＨ受信、ＰＵＳＣＨ送信タイミング値に対するＤＣＩ検出、帯域幅の第１のＰＲＢに対する、それぞれ、ＤＬ帯域幅またはＵＬ帯域幅の第１のＰＲＢのオフセットである。
【００８１】
一例において、ＰＣｅｌｌでの１つ以上のＤＬ  ＢＷＰのセット内のＤＬ  ＢＷＰの場合、基地局は、共通探索空間および／または１つのＵＥ固有の探索空間のうちの少なくとも１つのタイプに対する１つ以上の制御リソースセットを用いてＵＥを構成することができる。例えば、基地局は、能動ＤＬ  ＢＷＰにおいて、ＰＣｅｌｌ上の共通探索空間なしで、またはＰＳＣｅｌｌ上で、ＵＥを構成することはできない。
【００８２】
１つ以上のＵＬ  ＢＷＰのセット内にＵＬ  ＢＷＰがある場合、基地局は、１つ以上のＰＵＣＣＨ送信に対する１つ以上のリソースセットを用いてＵＥを構成することができる。
【００８３】
一例において、ＤＣＩがＢＷＰインジケータフィールドを含む場合、ＢＷＰインジケータフィールド値は、１つ以上のＤＬ受信に対して構成されたＤＬ  ＢＷＰセットからの能動ＤＬ  ＢＷＰを示すことができる。ＤＣＩがＢＷＰインジケータフィールドを含む場合、ＢＷＰインジケータフィールド値は、１つ以上のＵＬ送信に対して構成されたＵＬ  ＢＷＰセットからの能動ＵＬ  ＢＷＰを示すことができる。
【００８４】
一例において、ＰＣｅｌｌの場合、基地局は、構成されたＤＬ  ＢＷＰ間のデフォルトＤＬ  ＢＷＰを用いてＵＥを準統計学的に構成することができる。ＵＥがデフォルトＤＬ  ＢＷＰを提供されない場合、デフォルトＢＷＰは、初期能動ＤＬ  ＢＷＰとなり得る。
【００８５】
一例において、基地局は、ＰＣｅｌｌのタイマ値を用いてＵＥを構成することができる。例えば、ＵＥが、ペアになっているスペクトル動作に対して、デフォルトＤＬ  ＢＷＰ以外の能動ＤＬ  ＢＷＰを示すＤＣＩを検出した場合、または、ＵＥが、ペアになっていないスペクトル動作に対して、デフォルトＤＬ  ＢＷＰまたはＵＬ  ＢＷＰ以外の能動ＤＬ  ＢＷＰまたはＵＬ  ＢＷＰを示すＤＣＩを検出した場合、ＵＥは、ＢＷＰ停止タイマと呼ばれるタイマを開始することができる。ＵＥが、ペアになっているスペクトル動作またはペアになっていないスペクトル動作に対しての期間中にＤＣＩを検出しない場合、ＵＥは、第１の値の期間（例えば、第１の値が１ミリ秒または０．５ミリ秒であり得る）までタイマをインクリメントすることができる。一例において、タイマは、タイマがそのタイマ値に等しくなったときに、満了し得る。ＵＥは、タイマが満了したときに、能動ＤＬ  ＢＷＰからデフォルトＤＬ  ＢＷＰに切り替えることができる。
【００８６】
一例において、基地局は、１つ以上のＢＷＰを用いてＵＥを準統計学的に構成することができる。ＵＥは、第２のＢＷＰを能動ＢＷＰとして示すＤＣＩを受信することに応答して、および／または、ＢＷＰ停止タイマの満了（例えば、第２のＢＷＰがデフォルトＢＷＰとなり得ること）に応答して、第１のＢＷＰから第２のＢＷＰに能動ＢＷＰを切り替えることができる。例えば、図１０は、ＢＷＰ１（１０１０および１０５０）、ＢＷＰ２（１０２０および１０４０）、およびＢＷＰ３（１０３０）の、構成された３つのＢＷＰの例示的な略図である。ＢＷＰ２（１０２０および１０４０）は、デフォルトＢＷＰであってもよい。ＢＷＰ１（１０１０）は、初期能動ＢＷＰであってもよい。一例において、ＵＥは、ＢＷＰ停止タイマの満了に応答して、ＢＷＰ１  １０１０からＢＷＰ２  １０２０に能動ＢＷＰを切り替えることができる。例えば、ＵＥは、ＢＷＰ３  １０３０を能動ＢＷＰとして示すＤＣＩを受信することに応答して、ＢＷＰ２  １０２０からＢＷＰ３  １０３０に能動ＢＷＰを切り替えることができる。ＢＷＰ３  １０３０からＢＷＰ２  １０４０に、および／またはＢＷＰ２  １０４０からＢＷＰ１  １０５０に能動ＢＷＰを切り替えることは、能動ＢＷＰを示すＤＣＩを受信することに応答するものであり、かつ／またはＢＷＰ停止タイマの満了に応答するものであってもよい。
【００８７】
一例において、ＵＥが、構成されたＤＬ  ＢＷＰおよびタイマ値の間にデフォルトＤＬ  ＢＷＰを用いてセカンダリセルのために構成される場合、セカンダリセルでのＵＥプロシージャは、セカンダリセルのタイマ値、およびセカンダリセルのデフォルトＤＬ  ＢＷＰを使用するプライマリセルと同じであってもよい。
【００８８】
一例において、基地局が、セカンダリセルまたはキャリア上で第１の能動ＤＬ  ＢＷＰおよび第１の能動ＵＬ  ＢＷＰを用いてＵＥを構成する場合、ＵＥは、セカンダリセル上での表示されたＤＬ  ＢＷＰ、および表示されたＵＬ  ＢＷＰを、セカンダリセルまたはキャリア上での、それぞれの第１の能動ＤＬ  ＢＷＰ、および第１の能動ＵＬ  ＢＷＰとして用いることができる。
【００８９】
図１１Ａおよび図１１Ｂは、マルチ接続（例えば、デュアル接続、マルチ接続、緊密なインターワーキング、および／または同様のもの）を用いるパケットフローを示す。図１１Ａは、実施形態の一態様に基づく、ＣＡおよび／またはマルチ接続を有する無線デバイス１１０（例えば、ＵＥ）のプロトコル構造の例示的な略図である。図１１Ｂは、実施形態の一態様に基づく、ＣＡおよび／またはマルチ接続を有する複数の基地局のプロトコル構造の例示的な略図である。複数の基地局は、マスタノード、ＭＮ１１３０（例えば、マスタノード、マスタ基地局、マスタｇＮＢ、マスタｅＮＢ、および／または同様のもの）、およびセカンダリノード、ＳＮ１１５０（例えば、セカンダリノード、セカンダリ基地局、セカンダリｇＮＢ、セカンダリｅＮＢ、および／または同様のもの）を含むことができる。マスタノード１１３０およびセカンダリノード１１５０は、無線デバイス１１０と通信するように協働することができる。
【００９０】
マルチ接続が無線デバイス１１０に対して構成されている場合、無線デバイス１１０は、ＲＲＣが接続された状態で複数の受信／伝送機能をサポートし得、複数の基地局の複数のスケジューラにより提供された無線リソースを利用するように構成することができる。複数の基地局は、非理想的または理想的なバックホール（例えば、Ｘｎインターフェース、Ｘ２インターフェース、および／または同様のもの）を介して相互接続することができる。特定の無線デバイスに対するマルチ接続に必要とされる基地局は、２つの異なる役割のうちの少なくとも一方を実行し得、すなわち、基地局は、マスタ基地局として、またはセカンダリ基地局としていずれかの機能を果たすことができる。マルチ接続において、無線デバイスは、１つのマスタ基地局、および１つ以上のセカンダリ基地局に接続することができる。一例において、マスタ基地局（例えば、ＭＮ１１３０）は、無線デバイス（例えば、無線デバイス１１０）に対して、１つのプライマリセル、および／または１つ以上のセカンダリセルを含むマスタセルグループ（ＭＣＧ）を提供することができる。セカンダリ基地局（例えば、ＳＮ１１５０）は、無線デバイス（例えば、無線デバイス１１０）に対して、１つのプライマリセカンダリセル（ＰＳＣｅｌｌ）、および／または１つ以上のセカンダリセルを含むセカンダリセルグループ（ＳＣＧ）を提供することができる。
【００９１】
マルチ接続において、ベアラが用いる無線プロトコルアーキテクチャは、ベアラがどのように設定されるかに依存し得る。一例において、ベアラ設定オプションのうちの３つの異なるタイプ、すなわち、ＭＣＧベアラ、ＳＣＧベアラ、および／または分割ベアラをサポートすることができる。無線デバイスは、ＭＣＧの１つ以上のセルを介して、ＭＣＧベアラのパケットを受信／伝送し得、かつ／または、ＳＣＧの１つ以上のセルを介して、ＳＣＧベアラのパケットを受信／伝送することができる。マルチ接続はまた、セカンダリ基地局により提供される無線リソースを使用するように構成された少なくとも１つのベアラを有するものとして、説明することもできる。マルチ接続は、いくつかの例示的な実施形態において、構成／実装されてもされなくてもよい。
【００９２】
一例において、無線デバイス（例えば、無線デバイス１１０）は、ＳＤＡＰ層（例えば、ＳＤＡＰ１１１０）、ＰＤＣＰ層（例えば、ＮＲ  ＰＤＣＰ１１１１）、ＲＬＣ層（例えば、ＭＮ  ＲＬＣ１１１４）、およびＭＡＣ層（例えば、ＭＮ  ＭＡＣ１１１８）を介してＭＣＧベアラのパケット、ＳＤＡＰ層（例えば、ＳＤＡＰ１１１０）、ＰＤＣＰ層（例えば、ＮＲ  ＰＤＣＰ１１１２）、マスタまたはセカンダリＲＬＣ層（例えば、ＭＮ  ＲＬＣ１１１５、ＳＮ  ＲＬＣ１１１６）のうちの一方、および、マスタまたはセカンダリＭＡＣ層（例えば、ＭＮ  ＭＡＣ１１１８、ＳＮ  ＭＡＣ１１１９）のうちの一方を介して分割ベアラのパケット、および／またはＳＤＡＰ層（例えば、ＳＤＡＰ１１１０）、ＰＤＣＰ層（例えば、ＮＲ  ＰＤＣＰ１１１３）、ＲＬＣ層（例えば、ＳＮ  ＲＬＣ１１１７）、およびＭＡＣ層（例えば、ＭＮ  ＭＡＣ１１１９）を介してＳＣＧベアラのパケット、を伝送および／または受信することができる。
【００９３】
一例において、マスタ基地局（例えば、ＭＮ１１３０）および／またはセカンダリ基地局（例えば、ＳＮ１１５０）は、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２１、ＮＲ  ＰＤＣＰ１１４２）、マスタノードＲＬＣ層（例えば、ＭＮ  ＲＬＣ１１２４、ＭＮ  ＲＬＣ１１２５）、およびマスタノードＭＡＣ層（例えば、ＭＮ  ＭＡＣ１１２８）を介してＭＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２２、ＮＲ  ＰＤＣＰ１１４３）、セカンダリノードＲＬＣ層（例えば、ＳＮ  ＲＬＣ１１４６、ＳＮ  ＲＬＣ１１４７）、およびセカンダリノードＭＡＣ層（例えば、ＳＮ  ＭＡＣ１１４８）を介してＳＣＧベアラのパケット、マスタもしくはセカンダリノードＳＤＡＰ層（例えば、ＳＤＡＰ１１２０、ＳＤＡＰ１１４０）、マスタもしくはセカンダリノードＰＤＣＰ層（例えば、ＮＲ  ＰＤＣＰ１１２３、ＮＲ  ＰＤＣＰ１１４１）、マスタもしくはセカンダリノードＲＬＣ層（例えば、ＭＮ  ＲＬＣ１１２６、ＳＮ  ＲＬＣ１１４４、ＳＮ  ＲＬＣ１１４５、ＭＮ  ＲＬＣ１１２７）、および、マスタもしくはセカンダリノードＭＡＣ層（例えば、ＭＮ  ＭＡＣ１１２８、ＳＮ  ＭＡＣ１１４８）を介して、分割ベアラのパケットを伝送／受信することができる。
【００９４】
マルチ接続において、無線デバイスは、複数のＭＡＣエンティティ、マスタ基地局に対する１つのＭＡＣエンティティ（例えば、ＭＮ  ＭＡＣ１１１８）、および、セカンダリ基地局に対する他のＭＡＣエンティティ（例えば、ＳＮ  ＭＡＣ１１１９）を構成することができる。マルチ接続において、無線デバイスに対するサービングセルの構成されたセットは、２つのサブセット、すなわち、マスタ基地局のサービングセルを含むＭＣＧ、およびセカンダリ基地局のサービングセルを含むＳＣＧを含むことができる。ＳＣＧの場合、以下の構成のうちの１つ以上が、適用され得、すなわち、ＳＣＧのうちの少なくとも１つのセルが、構成されたＵＬ  ＣＣを有し、プライマリセカンダリセル（ＳＣＧのうちのＰＳＣｅｌｌ、ＰＣｅｌｌ、または場合によっては、ＰＣｅｌｌと呼ばれる）と呼ばれるＳＣＧの少なくとも１つのセルが、ＰＵＣＣＨリソースを用いて構成され、ＳＣＧが構成される場合には、少なくとも１つのＳＣＧベアラまたは１つの分割ベアラが存在し得、ＰＳＣｅｌｌ上の物理層問題もしくはランダムアクセス問題、または、ＳＣＧと関連付けられて到着されたＮＲ  ＲＬＣ再伝送の数の検出時に、または、ＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止されてもよく、マスタ基地局は、無線デバイスによってＳＣＧ故障タイプに関して通知されてもよく、分割ベアラの場合には、マスタ基地局にわたるＤＬデータ転送が、維持され得、ＮＲ  ＲＬＣ肯定モード（ＡＭ）ベアラは、分割ベアラのために構成され得、ＰＣｅｌｌおよび／またはＰＳＣｅｌｌは、停止されなくてもよく、ＰＳＣｅｌｌは、ＳＣＧ変更プロシージャを用いて（例えば、セキュリティキー変更およびＲＡＣＨプロシージャを用いて）変更され得、かつ／または分割ベアラとＳＣＧベアラとの間のベアラタイプ変更、またはＳＣＧおよび分割ベアラの同時構成は、サポートされてもされなくてもよい。
【００９５】
マルチ接続の場合の、マスタ基地局とセカンダリ基地局との間の相互作用については、以下のうちの１つ以上が適用され得、マスタ基地局および／またはセカンダリ基地局は、無線デバイスのＲＲＭ測定構成を維持することができ、マスタ基地局は、（例えば、受信された測定レポート、トラフィック条件、および／またはベアラタイプに基づいて）セカンダリ基地局に、無線デバイスのための追加リソース（例えばサービングセル）を提供するように要求することを決定することができ、マスタ基地局からの要求を受信すると、セカンダリ基地局は、無線デバイスのための追加サービングセルの構成となり得るコンテナを創出／変更する（または、セカンダリ基地局がそのようにするための利用可能なリソースを有さないと判定する）ことができ、ＵＥ能力協調のため、マスタ基地局は、ＡＳ構成およびＵＥ能力（の一部）をセカンダリ基地局に提供することができ、マスタ基地局およびセカンダリ基地局は、Ｘｎメッセージを介して搬送されたＲＲＣコンテナ（ノード間メッセージ）を用いることによって、ＵＥ構成についての情報を交換することができ、セカンダリ基地局は、セカンダリ基地局既存サービングセル（例えば、セカンダリ基地局に向かうＰＵＣＣＨ）の再構成を開始することができ、セカンダリ基地局は、どちらのセルがＳＣＧ内のＰＳＣｅｌｌであるかを判定することができ、マスタ基地局は、セカンダリ基地局により提供されたＲＲＣ構成の内容を変更してもしなくてもよく、ＳＣＧ追加および／またはＳＣＧ  ＳＣｅｌｌ追加の場合には、マスタ基地局は、ＳＣＧセル（複数可）のための最近（または最新）の測定結果を提供することができ、マスタ基地局およびセカンダリ基地局は、ＯＡＭからの、および／もしくはＸｎインターフェースを介した、互いのＳＦＮおよび／またはサブフレームオフセットの情報を受信することができる（例えば、ＤＲＸ調整および／または測定ギャップの識別を目的として）。一例において、新しいＳＣＧ  ＳＣｅｌｌを追加する場合には、ＳＣＧのＰＳＣｅｌｌのＭＩＢから取得されたＳＦＮを除き、専用ＲＲＣシグナリングを、ＣＡについてのセルの要求されたシステム情報を送信するために使用することができる。
【００９６】
図１２は、ランダムアクセスプロシージャの例示的な略図である。１つ以上のイベントが、ランダムアクセスプロシージャをトリガすることができる。例えば、１つ以上のイベントとは、以下のうちの少なくとも１つであり得、すなわち、ＲＲＣ＿ＩＤＬＥからの初期アクセス、ＲＲＣ接続再確立プロシージャ、ハンドオーバ、ＵＬ同期ステータスが同期されていないときのＲＲＣ＿ＣＯＮＮＥＣＴＥＤ中のＤＬまたはＵＬデータ到着、ＲＲＣ＿Ｉｎａｃｔｉｖｅからの遷移、および／または他のシステム情報の要求である。例えば、ＰＤＣＣＨ命令、ＭＡＣエンティティ、および／またはビーム障害表示により、ランダムアクセスプロシージャを開始させることができる。
【００９７】
例示的な実施形態において、ランダムアクセスプロシージャは、競合ベースランダムアクセスプロシージャおよび競合なしランダムアクセスプロシージャのうちの少なくとも１つであり得る。例えば、競合ベースランダムアクセスプロシージャは、１つ以上のＭｓｇ１、１２２０伝送、１つ以上のＭｓｇ２、１２３０伝送、１つ以上のＭｓｇ３、１２４０伝送、および競合解決１２５０を含むことができる。例えば、競合なしランダムアクセスプロシージャは、１つ以上のＭｓｇ１、１２２０伝送および１つ以上のＭｓｇ２、１２３０伝送を含むことができる。
【００９８】
一例において、基地局は、１つ以上のビームを介して、ＵＥに、ＲＡＣＨ構成１２１０を伝送（例えば、ユニキャスト、マルチキャスト、またはブロードキャスト）することができる。ＲＡＣＨ構成１２１０は、ランダムアクセスプリアンブルの伝送のためのＰＲＡＣＨリソースの利用可能なセット、初期プリアンブルパワー（例えば、ランダムアクセスプリアンブル初期受信ターゲットパワー）、ＳＳブロックおよび対応するＰＲＡＣＨリソースの選択のためのＲＳＲＰ閾値、パワーランピングファクタ（例えば、ランダムアクセスプリアンブルパワーランピングステップ）、ランダムアクセスプリアンブルインデックス、プリアンブル伝送の最大数、プリアンブルグループＡおよびグループＢ、ランダムアクセスプリアンブルのグループを決定するための閾値（例えば、メッセージサイズ）、システム情報要求の１つ以上のランダムアクセスプリアンブルと対応するＰＲＡＣＨリソース（複数可）とのセット、存在する場合に、ビーム障害回復プロシージャの１つ以上のランダムアクセスプリアンブルのセットと対応するＰＲＡＣＨリソース（複数可）とのセット、存在する場合に、ＲＡ応答（複数可）をモニタするための時間ウィンドウ、ビーム障害回復プロシージャでの応答（複数可）をモニタするための時間ウィンドウ、および／または競合解決タイマ、のうちの少なくとも１つを示す１つ以上のパラメータを含むことができる。
【００９９】
一例において、Ｍｓｇ１、１２２０は、ランダムアクセスプリアンブルの１つ以上の伝送であり得る。競合ベースランダムアクセスプロシージャの場合、ＵＥは、ＲＳＲＰ閾値超のＲＳＲＰを有するＳＳブロックを選択することができる。ランダムアクセスプリアンブルグループＢが存在する場合、ＵＥは、可能性のあるＭｓｇ３、１２４０サイズに応じて、グループＡまたはグループＢから１つ以上のランダムアクセスプリアンブルを選択することができる。ランダムアクセスプリアンブルグループＢが存在しない場合、ＵＥは、グループＡから１つ以上のランダムアクセスプリアンブルを選択することができる。ＵＥは、選択されたグループと関連付けられた１つ以上のランダムアクセスプリアンブルからランダムアクセスプリアンブルインデックスをランダムに（例えば、等しい確率、または正規分布を使って）選択することができる。基地局が、ランダムアクセスプリアンブルとＳＳブロックとの間の関連付けを用いてＵＥを準統計学的に構成する場合、ＵＥは、選択されたＳＳブロックおよび選択されたグループと関連付けられた１つ以上のランダムアクセスプリアンブルからランダムアクセスプリアンブルインデックスをランダムに、同様の確率を使って選択することができる。
【０１００】
例えば、ＵＥは、下位層からのビーム障害表示に基づいて、競合なしランダムアクセスプロシージャを開始させることができる。例えば、基地局は、ＳＳブロックおよび／またはＣＳＩ−ＲＳのうちの少なくとも１つと関連付けられたビーム障害回復プロシージャのための１つ以上の競合なしＰＲＡＣＨリソースを用いてＵＥを準統計学的に構成することができる。関連付けられたＳＳブロック中の第１のＲＳＲＰ閾値を上回るＲＳＲＰを有するＳＳブロックのうちの少なくとも１つ、または、関連付けられたＣＳＩ−ＲＳ中の第２のＲＳＲＰ閾値を上回るＲＳＲＰを有するＣＳＩ−ＲＳのうちの少なくとも１つが利用可能である場合、ＵＥは、ビーム障害回復プロシージャのための１つ以上のランダムアクセスプリアンブルのセットから、選択されたＳＳブロックまたはＣＳＩ−ＲＳに対応するランダムアクセスプリアンブルインデックスを選択することができる。
【０１０１】
例えば、ＵＥは、基地局から、競合なしランダムアクセスプロシージャのために、ＰＤＣＣＨまたはＲＲＣを介して、ランダムアクセスプリアンブルインデックスを受信することができる。基地局が、ＳＳブロックまたはＣＳＩ−ＲＳと関連付けられた少なくとも１つの競合なしＰＲＡＣＨリソースを用いてＵＥを構成しない場合、ＵＥは、ランダムアクセスプリアンブルインデックスを選択することができる。基地局が、ＳＳブロックと関連付けられた１つ以上の競合なしＰＲＡＣＨリソースを用いてＵＥを構成し、かつ、関連付けられたＳＳブロック中で第１のＲＳＲＰ閾値超のＲＳＲＰを有する少なくとも１つのＳＳブロックが利用可能である場合、ＵＥは、少なくとも１つのＳＳブロックを選択し、その少なくとも１つのＳＳブロックに対応するランダムアクセスプリアンブルを選択することができる。基地局が、ＣＳＩ−ＲＳと関連付けられた１つ以上の競合なしＰＲＡＣＨリソースを用いてＵＥを構成し、かつ、関連付けられたＣＳＩ−ＲＳ中で第２のＲＳＰＲ閾値超のＲＳＲＰを有する少なくとも１つのＣＳＩ−ＲＳが利用可能である場合、ＵＥは、少なくとも１つのＣＳＩ−ＲＳを選択し、その少なくとも１つのＣＳＩ−ＲＳに対応するランダムアクセスプリアンブルを選択することができる。
【０１０２】
ＵＥは、選択されたランダムアクセスプリアンブルを伝送することによって、１つ以上のＭｓｇ１、１２２０伝送を実行することができる。例えば、ＵＥが、ＳＳブロックを選択し、１つ以上のＰＲＡＣＨ機会と１つ以上のＳＳブロックとの間の関連付けを用いて構成される場合、ＵＥは、選択されたＳＳブロックに対応する１つ以上のＰＲＡＣＨ機会からＰＲＡＣＨ機会を決定することができる。例えば、ＵＥが、ＣＳＩ−ＲＳを選択し、１つ以上のＰＲＡＣＨ機会と１つ以上のＣＳＩ−ＲＳとの間の関連付けを用いて構成される場合、ＵＥは、選択されたＣＳＩ−ＲＳに対応する１つ以上のＰＲＡＣＨ機会からＰＲＡＣＨ機会を決定することができる。ＵＥは、基地局に、選択されたＰＲＡＣＨ機会を介して、選択されたランダムアクセスプリアンブルを伝送することができる。ＵＥは、少なくとも初期プリアンブルパワーおよびパワーランピングファクタに基づいて、選択されたランダムアクセスプリアンブルの伝送のための伝送パワーを決定することができる。ＵＥは、選択されたランダムアクセスプリアンブルが伝送される選択されたＰＲＡＣＨ機会と関連付けられたＲＡ−ＲＮＴＩを決定することができる。例えば、ＵＥは、ビーム障害回復プロシージャのためのＲＡ−ＲＮＴＩを決定しなくてもよい。ＵＥは、少なくとも、第１のＯＦＤＭシンボルのインデックス、選択されたＰＲＡＣＨ機会の第１のスロットのインデックス、および／またはＭｓｇ１、１２２０の伝送のためのアップリンクキャリアインデックスに基づいて、ＲＡ−ＲＮＴＩを決定することができる。
【０１０３】
一例において、ＵＥは、基地局から、ランダムアクセス応答、Ｍｓｇ２、１２３０を受信することができる。ＵＥは、時間ウインドウ（例えば、ｒａ−ＲｅｓｐｏｎｓｅＷｉｎｄｏｗ）を開始してランダムアクセス応答をモニタすることができる。ビーム障害回復プロシージャの場合、基地局は、異なる時間ウインドウ（例えば、ｂｆｒ−ＲｅｓｐｏｎｓｅＷｉｎｄｏｗ）を用いてＵＥを構成し、ビーム障害回復プロシージャへの応答をモニタすることができる。例えば、ＵＥは、プリアンブル伝送の終わりから、１つ以上のシンボルの固定持続時間後の最初のＰＤＣＣＨ機会の開始時に時間ウインドウ（例えば、ｒａ−ＲｅｓｐｏｎｓｅＷｉｎｄｏｗまたはｂｆｒ−ＲｅｓｐｏｎｓｅＷｉｎｄｏｗ）を開始することができる。ＵＥが、複数のプリアンブルを伝送する場合、ＵＥは、第１のプリアンブル伝送の終わりから、１つ以上のシンボルの固定持続時間後の第１のＰＤＣＣＨ機会の開始時に時間ウインドウを開始することができる。ＵＥは、時間ウインドウのタイマが動作している間、ＲＡ−ＲＮＴＩにより識別された少なくとも１つのランダムアクセス応答、またはＣ−ＲＮＴＩにより識別されたビーム障害回復プロシージャへの少なくとも１つの応答、に対するセルのＰＤＣＣＨをモニタすることができる。
【０１０４】
一例において、少なくとも１つのランダムアクセス応答が、ＵＥにより伝送されたランダムアクセスプリアンブルに対応するランダムアクセスプリアンブル識別子を含む場合、ＵＥは、ランダムアクセス応答の受信を正常とみなすことができる。ＵＥは、ランダムアクセス応答の受信が正常である場合、競合なしランダムアクセスプロシージャが正常に完了したとみなすことができる。競合なしランダムアクセスプロシージャが、ビーム障害回復プロシージャのためにトリガされた場合、ＵＥは、ＰＤＣＣＨ伝送がＣ−ＲＮＴＩにアドレス指定される場合に、競合なしランダムアクセスプロシージャが正常に完了したとみなすことができる。一例において、少なくとも１つのランダムアクセス応答がランダムアクセスプリアンブル識別子を含む場合、ＵＥは、ランダムアクセスプロシージャが正常に完了したとみなすことができ、上位層へのシステム情報要求に対する肯定応答の受信を示すことができる。ＵＥが複数のプリアンブル伝送を送った場合、ＵＥは、対応するランダムアクセス応答の正常な受信に応答して、残ったプリアンブル（もし、あれば）を伝送することを停止することができる。
【０１０５】
一例において、ＵＥは、ランダムアクセス応答（例えば、競合ベースランダムアクセスプロシージャの場合）の正常な受信に応答して、１つ以上のＭｓｇ３、１２４０伝送を実行することができる。ＵＥは、ランダムアクセス応答により示されたタイミングアドバンスドコマンドに基づいて、アップリンク伝送タイミングを調節し得、ランダムアクセス応答により示されたアップリンク許可に基づいて、１つ以上のトランスポートブロックを伝送することができる。Ｍｓｇ３、１２４０のＰＵＳＣＨ伝送のためのサブキャリア間隔は、少なくとも１つの上位層（例えば、ＲＲＣ）パラメータによって提供されることができる。ＵＥは、ＰＲＡＣＨを介してランダムアクセスプリアンブルを、また、同じセル上のＰＵＳＣＨを介してＭｓｇ３、１２４０を、伝送することができる。基地局は、システム情報ブロックを介して、Ｍｓｇ３、１２４０のＰＵＳＣＨ伝送のためのＵＬ  ＢＷＰを示すことができる。ＵＥは、Ｍｓｇ３、１２４０の再伝送のためにＨＡＲＱを用いることができる。
【０１０６】
一例において、複数のＵＥは、同じプリアンブルを基地局に伝送することによってＭｓｇ１、１２２０を実行し得、アイデンティティを含む同じランダムアクセス応答（例えば、ＴＣ−ＲＮＴＩ）を、基地局から受信することができる。競合解決１２５０は、ＵＥが別のＵＥのアイデンティティを誤って使用しないことを確実にすることができる。例えば、競合解決１２５０は、ＰＤＣＣＨ上のＣ−ＲＮＴＩ、または、ＤＬ−ＳＣＨ上のＵＥ競合解決アイデンティティに基づくことができる。例えば、基地局がＣ−ＲＮＴＩをＵＥに割り当てる場合、ＵＥは、Ｃ−ＲＮＴＩにアドレス指定されているＰＤＣＣＨ伝送の受信に基づいて、競合解決１２５０を実行することができる。ＰＤＣＣＨでのＣ−ＲＮＴＩの検出に応答して、ＵＥは、競合解決１２５０が正常であるとみすことができ、ランダムアクセスプロシージャが正常に完了したとみなすことができる。ＵＥが適正なＣ−ＲＮＴＩを有さない場合、競合解決は、ＴＣ−ＲＮＴＩを用いることによってアドレス指定することができる。例えば、ＭＡＣ  ＰＤＵが正常に復号化され、ＭＡＣ  ＰＤＵが、Ｍｓｇ３、１２５０に伝送されたＣＣＣＨ  ＳＤＵに一致するＵＥ競合解決アイデンティティＭＡＣ  ＣＥを含む場合、ＵＥは、競合解決１２５０が正常であるとみなすことができ、ランダムアクセスプロシージャが正常に完了したとみなすことができる。
【０１０７】
図１３は、本開示の実施形態の一態様に基づく、ＭＡＣエンティティのための例示的な構造である。一例において、無線デバイスは、マルチ接続モードで動作するように構成することができる。複数のＲＸ／ＴＸを有するＲＲＣ＿ＣＯＮＮＥＣＴＥＤの無線デバイスは、複数の基地局内に設置された複数のスケジューラによって提供される無線リソースを利用するように構成することができる。この複数の基地局は、Ｘｎインターフェースを介して非理想的または理想的なバックホールを介して接続することができる。一例において、複数の基地局内の基地局は、マスタ基地局としての、またはセカンダリ基地局としての機能を果たすことができる。無線デバイスは、１つのマスタ基地局、および１つ以上のセカンダリ基地局に接続することができる。無線デバイスは、複数のＭＡＣエンティティ、例えば、マスタ基地局に対して１つのＭＡＣエンティティ、およびセカンダリ基地局（複数可）に対して１つ以上の他のＭＡＣエンティティを用いて構成することができる。一例において、無線デバイスのために構成されたサービングセルのセットは、２つのサブセット、すなわち、マスタ基地局のサービングセルを含むＭＣＧ、および、セカンダリ基地局（複数可）のサービングセルを含む１つ以上のＳＣＧを含むことができる。図１３は、ＭＣＧおよびＳＣＧが無線デバイスのために構成されている場合の、ＭＡＣエンティティの例示的な構造を示す。
【０１０８】
一例において、ＳＣＧ内の少なくとも１つのセルは、構成されたＵＬ  ＣＣを有し得、少なくとも１つのセルのうちの１つのセルは、ＳＣＧのＰＳＣｅｌｌもしくはＰＣｅｌｌと呼ばれることがあり、または、場合によっては、単にＰＣｅｌｌと呼ばれることがある。ＰＳＣｅｌｌは、ＰＵＣＣＨリソースを用いて構成することができる。一例において、ＳＣＧが構成される場合、少なくとも１つのＳＣＧベアラ、または１つの分割ベアラが存在し得る。一例において、ＰＳＣｅｌｌでの物理層問題もしくはランダムアクセス問題を検出することについて、または、ＳＣＧと関連付けられたＲＬＣ再伝送の数に達したことについて、または、ＳＣＧ追加もしくはＳＣＧ変更中にＰＳＣｅｌｌでのアクセス問題を検出することについて、ＲＲＣ接続再確立プロシージャは、トリガされ得ず、ＳＣＧのセルに向かうＵＬ伝送は、中止されることができ、マスタ基地局は、ＵＥによってＳＣＧ障害のタイプに関して通知することができ、マスタ基地局を通じてＤＬデータ転送を維持することができる。
【０１０９】
一例において、ＭＡＣサブレイヤは、データ転送および無線リソース割り当てなどのサービスを上位層（例えば、１３１０または１３２０）に提供することができる。ＭＡＣサブレイヤは、複数のＭＡＣエンティティ（例えば１３５０および１３６０）を含むことができる。ＭＡＣサブレイヤは、データ転送サービスを論理チャネル上に提供することができる。異なる種類のデータ転送サービスに対応するために、複数のタイプの論理チャネルを定義することができる。論理チャネルは、特定のタイプの情報の転送をサポートすることができる。論理チャネルタイプは、どのタイプの情報（例えば、制御またはデータ）が転送されるかによって定義することができる。例えば、ＢＣＣＨ、ＰＣＣＨ、ＣＣＣＨ、およびＤＣＣＨは、制御チャネルであり得、ＤＴＣＨは、トラフィックチャネルであり得る。一例において、第１のＭＡＣエンティティ（例えば１３１０）は、ＰＣＣＨ、ＢＣＣＨ、ＣＣＣＨ、ＤＣＣＨ、ＤＴＣＨ、およびＭＡＣ制御要素上でサービスを提供することができる。一例において、第２のＭＡＣエンティティ（例えば１３２０）は、ＢＣＣＨ、ＤＣＣＨ、ＤＴＣＨ、およびＭＡＣ制御要素上でサービスを提供することができる。
【０１１０】
ＭＡＣサブレイヤは、物理層（例えば１３３０または１３４０）から、データ転送サービス、ＨＡＲＱフィードバックのシグナリング、スケジューリング要求または測定値のシグナリング（例えば、ＣＱＩ）などのサービスを予期することができる。一例において、デュアル接続では、２つのＭＡＣエンティティが、無線デバイスのために構成され得、すなわち、それらは、ＭＣＧに対する１つ、およびＳＣＧに対する１つである。無線デバイスのＭＡＣエンティティは、複数のトランスポートチャネルを処理することができる。一例において、第１のＭＡＣエンティティは、ＭＣＧのＰＣＣＨ、ＭＣＧの第１のＢＣＨ、ＭＣＧの１つ以上の第１のＤＬ−ＳＣＨ、ＭＣＧの１つ以上の第１のＵＬ−ＳＣＨ、およびＭＣＧの１つ以上の第１のＲＡＣＨを含む第１のトランスポートチャネルを処理することができる。一例において、第２のＭＡＣエンティティは、ＳＣＧの第２のＢＣＨ、ＳＣＧの１つ以上の第２のＤＬ−ＳＣＨ、ＳＣＧの１つ以上の第２のＵＬ−ＳＣＨ、およびＳＣＧの１つ以上の第２のＲＡＣＨを含む第２のトランスポートチャネルを処理することができる。
【０１１１】
一例において、ＭＡＣエンティティが１つ以上のＳＣｅｌｌを用いて構成されている場合、複数のＤＬ−ＳＣＨが存在し得、複数のＵＬ−ＳＣＨ、ならびにＭＡＣエンティティ毎に複数のＲＡＣＨが存在し得る。一例において、ＳｐＣｅｌｌに、１つのＤＬ−ＳＣＨおよびＵＬ−ＳＣＨが存在し得る。一例において、ＳＣｅｌｌに対して、１つのＤＬ−ＳＣＨ、ゼロまたは１つのＵＬ−ＳＣＨ、および、ゼロまたは１つのＲＡＣＨが存在し得る。ＤＬ−ＳＣＨは、ＭＡＣエンティティ内の異なるヌメロロジおよび／またはＴＴＩ持続時間を使用して受信をサポートすることができる。また、ＵＬ−ＳＣＨは、ＭＡＣエンティティ内の異なるヌメロロジおよび／またはＴＴＩ持続時間を使用して伝送をサポートすることができる。
【０１１２】
一例において、ＭＡＣサブレイヤは、異なる機能をサポートすることができ、制御（例えば１３５５または１３６５）要素を用いてこれらの機能を制御することができる。ＭＡＣエンティティにより実行される機能は、論理チャネルとトランスポートチャネル（例えば、アップリンクまたはダウンリンクで）との間のマッピング、トランスポートチャネル（例えば、アップリンクで）上の物理層に送達されるべき、１つまたは異なる論理チャネルからトランスポートブロック（ＴＢ）へのＭＡＣ  ＳＤＵの多重化（例えば、１３５２または１３６２）、トランスポートチャネル（例えば、ダウンリンクで）上の物理層から送達されるトランスポートブロック（ＴＢ）から１つまたは異なるの論理チャネルへのＭＡＣ  ＳＤＵの分割化（例えば１３５２または１３６２）、スケジューリング情報レポーティング（例えば、アップリンクで）、アップリンクまたはダウンリンク内のＨＡＲＱを通じての誤り訂正（例えば、１３６３）、およびアップリンクでの論理チャネル優先度付け（例えば１３５１または１３６１）、を含むことができる。ＭＡＣエンティティは、ランダムアクセスプロセス（例えば、１３５４または１３６４）を処理することができる。
【０１１３】
図１４は、１つ以上の基地局を含むＲＡＮアーキテクチャの例示的な略図である。一例において、プロトコルスタック（例えば、ＲＲＣ、ＳＤＡＰ、ＰＤＣＰ、ＲＬＣ、ＭＡＣ、およびＰＨＹ）は、ノードにおいてサポートすることができる。基地局（例えば、ｇＮＢ１２０Ａまたは１２０Ｂ）は、基地局集約ユニット（ＣＵ）（例えば、ｇＮＢ−ＣＵ１４２０Ａまたは１４２０Ｂ）、および、機能的な分割が構成される場合の、少なくとも１つの基地局分散ユニット（ＤＵ）（例えば、ｇＮＢ−ＤＵ１４３０Ａ、１４３０Ｂ、１４３０Ｃ、または１４３０Ｄ）を含むことができる。基地局の上位プロトコル層は、基地局ＣＵ内に設置されることができ、基地局の下位層は、基地局ＤＵ内に設置されることができる。基地局ＣＵおよび基地局ＤＵを接続するＦ１インターフェース（例えば、ＣＵ−ＤＵインターフェース）は、理想的または非理想的バックホールであり得る。Ｆ１−Ｃは、Ｆ１インターフェースを介して制御プレーン接続を提供することができ、Ｆ１−Ｕは、Ｆ１インターフェースを介してユーザプレーン接続を提供することができる。一例において、Ｘｎインターフェースは、基地局ＣＵ間に構成することができる。
【０１１４】
一例において、基地局ＣＵは、ＲＲＣ機能、ＳＤＡＰ層、およびＰＤＣＰ層を含むことができ、基地局ＤＵは、ＲＬＣ層、ＭＡＣ層、およびＰＨＹ層を含むことができる。一例において、基地局ＣＵと基地局ＤＵとの間の様々な機能的分割オプションは、基地局ＣＵ内の上位プロトコル層（ＲＡＮ機能）の異なる組み合わせ、および、基地局ＤＵ内の下位プロトコル層（ＲＡＮ機能）の異なる組み合わせを設定することによって可能となり得る。機能的分割は、フレキシブル性をサポートし、サービス要件および／またはネットワーク環境に応じて、基地局ＣＵと基地局ＤＵとの間でプロトコル層を移動させることができる。
【０１１５】
一例において、機能的分割オプションは、基地局毎、基地局ＣＵ毎、基地局ＤＵ毎、ＵＥ毎、ベアラ毎、スライス毎に構成され、または他の粒度を用いて構成することができる。基地局ＣＵ分割毎において、基地局ＣＵは、固定分割オプションを有し得、基地局ＤＵは、基地局ＣＵの分割オプションに一致するように構成することができる。基地局ＤＵ分割毎において、基地局ＤＵは、異なる分割オプションを用いて構成され得、基地局ＣＵは、異なる基地局ＤＵに対して異なる分割オプションを提供することができる。ＵＥ分割において、基地局（基地局ＣＵ、および少なくとも１つの基地局ＤＵ）は、異なる無線デバイスに対して異なる分割オプションを提供することができる。ベアラ分割毎において、異なる分割オプションを、異なるベアラに対して利用することができる。スライス毎のスプライスでは、異なるスライスに異なる分割オプションを適用することができる。
【０１１６】
図１５は、無線デバイスのＲＲＣ状態遷移を示す例示的な略図である。一例において、無線デバイスは、ＲＲＣ接続状態（例えば、ＲＲＣ接続１５３０、ＲＲＣ＿Ｃｏｎｎｅｃｔｅｄ）、ＲＲＣアイドル状態（例えば、ＲＲＣアイドル１５１０、ＲＲＣ＿Ｉｄｌｅ）、および／またはＲＲＣ停止状態（例えば、ＲＲＣ停止１５２０、ＲＲＣ＿Ｉｎａｃｔｉｖｅ）の中の少なくとも１つのＲＲＣ状態にあり得る。一例において、ＲＲＣ接続状態では、無線デバイスは、少なくとも１つの基地局（例えば、ｇＮＢおよび／またはｅＮＢ）との、少なくとも１つのＲＲＣ接続を有することができ、それらの基地局は、無線デバイスのＵＥコンテキストを有することができる。ＵＥコンテキスト（例えば、無線デバイスコンテキスト）は、アクセス層コンテキスト、１つ以上の無線リンク構成パラメータ、ベアラ（例えば、データ無線ベアラ（ＤＲＢ）、シグナリング無線ベアラ（ＳＲＢ）、論理チャネル、ＱｏＳフロー、ＰＤＵセッション、および／または同様のもの）構成情報、セキュリティ情報、ＰＨＹ／ＭＡＣ／ＲＬＣ／ＰＤＣＰ／ＳＤＡＰ層構成情報、および／または、無線デバイスのための同様の構成情報、のうちの少なくとも１つを含むことができる。一例において、ＲＲＣアイドル状態では、無線デバイスは、基地局とのＲＲＣ接続を有さなくてもよく、無線デバイスのＵＥコンテキストは、基地局内に格納されない場合がある。一例において、ＲＲＣ停止状態では、無線デバイスは、基地局とのＲＲＣ接続を有さない場合がある。無線デバイスのＵＥコンテキストは、基地局内に格納され得、その基地局は、アンカー基地局（例えば、最終サービング基地局）と呼ばれることがある。
【０１１７】
一例において、無線デバイスは、ＲＲＣアイドル状態とＲＲＣ接続状態との間で両方向に（例えば、接続解放１５４０もしくは接続確立１５５０、または接続再確立）、および／またはＲＲＣ停止状態とＲＲＣ接続状態との間で両方向に（例えば、接続停止１５７０または接続再開１５８０）、ＵＥ  ＲＲＣ状態を遷移させることができる。一例において、無線デバイスは、ＲＲＣ停止状態からＲＲＣアイドル状態に、そのＲＲＣ状態を遷移させることができる（例えば、接続解放１５６０）。
【０１１８】
一例において、アンカー基地局は、無線デバイスがアンカー基地局のＲＡＮ通知エリア（ＲＮＡ）にとどまる、かつ／または、無線デバイスがＲＲＣ停止状態にとどまるような時間帯の少なくともその間中、無線デバイスのＵＥコンテキスト（無線デバイスコンテキスト）を保持することができる基地局であり得る。一例において、アンカー基地局は、ＲＲＣ停止状態にある無線デバイスが最新のＲＲＣ接続状態で最後に接続されている、または、無線デバイスがＲＮＡ更新プロシージャを内部で最後に実行した基地局であり得る。一例において、ＲＮＡは、１つ以上の基地局によって動作された１つ以上のセルを含むことができる。一例において、基地局は、１つ以上のＲＮＡに属し得る。一例において、セルは、１つ以上のＲＮＡに属し得る。
【０１１９】
一例において、無線デバイスは、基地局において、ＵＥ  ＲＲＣ状態をＲＲＣ接続状態からＲＲＣ停止状態に遷移させることができる。無線デバイスは、基地局からＲＮＡ情報を受信することができる。ＲＮＡ情報は、ＲＮＡ識別子のうちの少なくとも１つ、ＲＮＡの１つ以上のセルの１つ以上のセル識別子、基地局識別子、基地局のＩＰアドレス、無線デバイスのＡＳコンテキスト識別子、再開識別子、および／または同様のものを含むことができる。
【０１２０】
一例において、アンカー基地局は、メッセージ（例えば、ＲＡＮページングメッセージ）をＲＮＡの基地局にブロードキャストして、無線デバイスをＲＲＣ停止状態に到達させることができ、および／またはアンカー基地局からメッセージを受信する基地局は、別のメッセージ（例えば、ページングメッセージ）を、エアインターフェースを通して、ＲＮＡと関連付けられた、基地局のカバレッジエリア、セルカバレッジエリア、および／またはビームカバレッジエリア内の無線デバイスにブロードキャストおよび／またはマルチキャストすることができる。
【０１２１】
一例において、ＲＲＣ停止状態にある無線デバイスが新しいＲＮＡ中に移動すると、無線デバイスは、ＲＮＡ更新（ＲＮＡＵ）プロシージャを実行することができ、そのプロシージャは、無線デバイスおよび／またはＵＥコンテキスト検索プロシージャによりランダムアクセスプロシージャを実行することができる。ＵＥコンテキスト検索は、基地局によって、無線デバイスから、ランダムアクセスプリアンブルを検索すること、および、基地局によって、以前のアンカー基地局から無線デバイスのＵＥコンテキストをフェッチすることを含むことができる。フェッチすることは、再開識別子を含む検索ＵＥコンテキスト要求メッセージを、以前のアンカー基地局に送信すること、および、無線デバイスのＵＥコンテキストを含む検索ＵＥコンテキスト応答メッセージを、以前のアンカー基地局から受信することを含むことができる。
【０１２２】
例示的な実施形態において、ＲＲＣ停止状態にある無線デバイスは、少なくとも１つ以上のセルに対する測定結果に基づいて、キャンプオンする１つのセルを選択することができ、そこでは、無線デバイスは、基地局からのＲＮＡページングメッセージおよび／またはコアネットワークページングメッセージをモニタすることができる。一例において、ＲＲＣ停止状態にある無線デバイスは、ランダムアクセスプロシージャを実行するためのセルを選択してＲＲＣ接続を再開し、かつ／または基地局に（例えば、ネットワークに）１つ以上のパケットを伝送することができる。一例において、選択されたセルが、ＲＲＣ停止状態にある無線デバイスのためのＲＮＡとは異なるＲＮＡに属する場合、無線デバイスは、ランダムアクセスプロシージャを開始してＲＮＡ更新プロシージャを実行することができる。一例において、ＲＲＣ停止状態にある無線デバイスが、バッファ内に、ネットワークに伝送するための１つ以上のパケットを有する場合、無線デバイスは、ランダムアクセスプロシージャを開始して、無線デバイスが選択するセルの基地局に１つ以上のパケットを伝送することができる。ランダムアクセスプロシージャは、無線デバイスと基地局との間で、２つのメッセージ（例えば、２ステージランダムアクセス）、および／または４つのメッセージ（例えば、４ステージランダムアクセス）を用いて実行することができる。
【０１２３】
例示的な実施形態において、ＲＲＣ停止状態にある無線デバイスから１つ以上のアップリンクパケットを受信する基地局は、無線デバイスから受信されたＡＳコンテキスト識別子、ＲＮＡ識別子、基地局識別子、再開識別子、および／またはセル識別子のうちの少なくとも１つに基づいて、無線デバイスのための検索ＵＥコンテキスト要求メッセージを無線デバイスのアンカー基地局に伝送することによって、無線デバイスのＵＥコンテキストをフェッチすることができる。ＵＥコンテキストをフェッチすることに応答して、基地局は、無線デバイスのためのパス切り替え要求をコアネットワークエンティティ（例えば、ＡＭＦ、ＭＭＥ、および／または同様のもの）に伝送することができる。コアネットワークエンティティは、ユーザプレーンコアネットワークエンティティ（例えば、ＵＰＦ、Ｓ−ＧＷ、および／または同様のもの）とＲＡＮノード（例えば、基地局）との間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから基地局のアドレスに変更することができる。
【０１２４】
ｇＮＢは、１つ以上の新しい無線技術を用いる無線ネットワークを介して無線デバイスと通信することができる。この１つ以上の無線技術は、物理層に関する複数の技術、媒体アクセス制御層に関する複数の技術、および／または無線リソース制御層に関する複数の技術、のうちの少なくとも１つを含むことができる。この１つ以上の無線技術を強化する例示的な実施形態は、無線ネットワークの性能を向上させることができる。例示的な実施形態は、システムスループット、またはデータ伝送率を高めることができる。例示的な実施形態は、無線デバイスのバッテリ消費を低減することができる。例示的な実施形態は、ｇＮＢと無線デバイスとの間のデータ伝送の待ち時間を改善することができる。例示的な実施形態は、無線ネットワークのネットワークカバレッジを向上させることができる。例示的な実施形態は、無線ネットワークの伝送効率を向上させることができる。
【０１２５】
ｇＮＢおよび／または無線デバイスは、ＮＲシステムにおいて高データレートでの伝送をサポートするために、複数のアンテナを有することができる。複数のアンテナで構成されている場合、無線デバイスは、図９Ｂに示されるように、１つ以上のビーム管理プロシージャを実行することができる。
【０１２６】
無線デバイスは、１つ以上のＣＳＩ−ＲＳ、および／または１つ以上のＳＳＢに基づいてダウンリンクビーム管理を実行することができる。ビーム管理プロシージャでは、無線デバイスは、ビームペアリンクのチャネル品質を測定することができる。ビームペアリンクは、ｇＮＢからの伝送ビームと無線デバイスにおける受信ビームとを含むことができる。複数のＣＳＩ−ＲＳまたはＳＳＢと関連付けられた複数のビームで構成されている場合、無線デバイスは、ｇＮＢと無線デバイスとの間の複数のビームペアリンクを測定することができる。
【０１２７】
一例では、無線デバイスは、１つ以上のビーム管理レポートをｇＮＢに伝送することができる。ビーム管理レポートでは、無線デバイスは、少なくとも、１つ以上のビーム識別、ＲＳＲＰ、構成された複数のビームの少なくともサブセットのＰＭＩ／ＣＱＩ／ＲＩを含む、１つ以上のビームペア品質パラメータを示すことができる。
【０１２８】
一例では、ｇＮＢおよび／または無線デバイスは、図９Ｂに示されるように、１つ以上の伝送および受信ポイント（ＴＲＰ）上でダウンリンクビーム管理プロシージャを実行することができる。無線デバイスのビーム管理レポートに基づいて、ｇＮＢが、新しいビームペアリンクがサービングビームであることを示す信号を無線デバイスに伝送することができる。ｇＮＢは、サービングビームを使用してＰＤＣＣＨおよびＰＤＳＣＨを無線デバイスに伝送することができる。
【０１２９】
一例では、無線デバイスまたはｇＮＢは、ビーム障害回復メカニズムをトリガすることができる。無線デバイスは、例えば、少なくともビーム障害が発生したときに、ビーム障害回復（ＢＦＲ）プロシージャをトリガすることができる。一例では、少なくとも１つのＰＤＣＣＨのビームペアリンク（複数可）の品質が低下して閾値を下回ると、ビーム障害が発生する可能性がある。閾値は、ＲＳＲＰ値（例えば、−１４０ｄｂｍ、−１１０ｄｂｍ）またはＳＩＮＲ値（例えば、−３ｄＢ、−１ｄＢ）であってもよく、これはＲＲＣメッセージに構成されてもよい。
【０１３０】
図１６Ａは、第１のビーム障害シナリオの例を示す。この例では、ｇＮＢがＴＲＰから、伝送（Ｔｘ）ビームからのＰＤＣＣＨを無線デバイスの受信（Ｒｘ）ビームに伝送することができる。（ｇＮＢのＴｘビームと無線デバイスのＲｘビームとの間の）ビームペアリンク上のＰＤＣＣＨが、ビームペアリンクが（例えば、移動車または建物によって）ブロックされることに起因して閾値ＲＳＲＰ／ＳＩＮＲよりも低い値を有する場合、ｇＮＢおよび無線デバイスは、ＴＲＰ上でビーム障害回復プロシージャを開始することができる。
【０１３１】
図１６Ｂは、第２のビーム障害シナリオの例を示す。この例では、ｇＮＢは第１のＴＲＰから、ビームからのＰＤＣＣＨを無線デバイスに伝送することができる。ビーム上のＰＤＣＣＨがブロックされると、ｇＮＢおよび無線デバイスは、第２のＴＲＰ上の新しいビーム上でビーム障害回復プロシージャを開始することができる。
【０１３２】
一例では、無線デバイスが、１つ以上のＲＳを使用して、ビームペアリンクの品質を測定することができる。１つ以上のＲＳは、１つ以上のＳＳＢ、または１つ以上のＣＳＩ−ＲＳリソースであり得る。ＣＳＩ−ＲＳリソースが、ＣＳＩ−ＲＳリソースインデックス（ＣＲＩ）によって識別されてもよい。一例では、ビームペアリンクの品質は、ＲＳＲＰ値、または基準信号受信品質（例えば、ＲＳＲＱ）値、および／またはＲＳリソース上で測定されたＣＳＩ（例えば、ＳＩＮＲ）値として定義されてもよい。一例では、ｇＮＢは、ビームペアリンク品質を測定するために使用されるＲＳリソースが、ＰＤＣＣＨのＤＭ−ＲＳとＱＣＬされる（おおよそ同じ場所に配置される）かどうかを示すことができる。ＰＤＣＣＨのＲＳリソースおよびＤＭ−ＲＳは、ＲＳ上の伝送から無線デバイスへの、およびＰＤＣＣＨ上の伝送から無線デバイスへのチャネル特性が、構成された基準の下で類似している、または同じであるときに、ＱＣＬされたと呼ばれることがある。一例では、ＲＳ上の伝送から無線デバイスへの、およびＰＤＣＣＨ上の伝送から無線デバイスへのチャネルのドップラーシフトおよび／またはドップラーシフトが同じであるとき、ＰＤＣＣＨのＲＳリソースおよびＤＭ−ＲＳは、ＱＣＬされたと呼ばれることがある。
【０１３３】
一例では、無線デバイスは、Ｍ個のビーム（例えば、２、４、８）ペアリンク上のＰＤＣＣＨを同時にモニタすることができ、ここでＭ≧１であり、Ｍの値は、少なくとも無線デバイスの能力に依存し得る。一例では、ＰＤＣＣＨをモニタすることは、共通探索空間および／または無線デバイス固有の探索空間上で伝送されたＰＤＣＣＨを介してＤＣＩを検出することを含むことができる。一例では、複数のビームペアリンクをモニタすることは、ビームペアリンクのブロッキングに対するロバスト性を増大させることができる。一例では、ｇＮＢは、異なるＯＦＤＭシンボル内の異なるビームペアリンク（複数可）上でＰＤＣＣＨをモニタするための無線デバイスを示すパラメータを含む１つ以上のメッセージを伝送することができる。
【０１３４】
一例では、ｇＮＢは、複数のビームペアリンク上のＰＤＣＣＨをモニタするための無線デバイスのＲｘビーム設定を示すパラメータを含む１つ以上のＲＲＣメッセージまたはＭＡＣ  ＣＥを伝送することができる。ｇＮＢは、ＤＬ制御チャネルの復調のために、ＤＬ  ＲＳアンテナポート（複数可）とＤＬ  ＲＳアンテナポート（複数可）との間の空間ＱＣＬの表示を伝送することができる。一例では、表示は、ＭＡＣ  ＣＥ、またはＲＲＣメッセージ、またはＤＣＩにおけるパラメータ、および／またはこれらのシグナリングの組み合わせであり得る。
【０１３５】
一例では、ＰＤＳＣＨ上のデータパケットの受信のために、ｇＮＢは、ＤＬデータチャネルのＤＬ  ＲＳアンテナポート（複数可）とＤＭ−ＲＳアンテナポート（複数可）との間の空間ＱＣＬパラメータを示すことができる。ｇＮＢは、ＤＭ−ＲＳアンテナポート（複数可）とＱＣＬされたＲＳアンテナポートを示すパラメータを含むＤＣＩを伝送することができる。
【０１３６】
一例では、ｇＮＢがＰＤＣＣＨのＣＳＩ−ＲＳとＤＭ−ＲＳとの間のＱＣＬパラメータを示す信号を伝送すると、無線デバイスは、ＰＤＣＣＨのＤＭ−ＲＳとＱＣＬされたＣＳＩ−ＲＳに基づいてビームペアリンク品質を測定することができる。一例では、複数の隣接するビーム障害が発生すると、無線デバイスは、ＢＦＲプロシージャを開始することができる。
【０１３７】
一例では、無線デバイスは、ＢＦＲプロシージャを開始するときに、アップリンク物理チャネル上でＢＦＲ信号をｇＮＢに伝送する。ｇＮＢは、アップリンク物理チャネル上のＢＦＲ信号を受信することに応答して、コアセットでのＰＤＣＣＨを介してＤＣＩを伝送することができる。無線は、コアセットでのＰＤＣＣＨを介してＤＣＩを受信するときに、ＢＦＲプロシージャが正常に完了したと見なすことができる。
【０１３８】
一例では、ｇＮＢは、ビーム障害回復要求を伝送するためのアップリンク物理チャネルまたは信号の構成パラメータを含む１つ以上のメッセージを伝送することができる。アップリンク物理チャネルまたは信号は、他のＰＲＡＣＨ伝送のリソースに対して直交するリソースであり得る競合なしＰＲＡＣＨ（ＢＦＲ−ＰＲＡＣＨ）、ＰＵＣＣＨ（ＢＦＲ−ＰＵＣＣＨ）、および／または競合ベースのＰＲＡＣＨリソース（ＣＦ−ＰＲＡＣＨ）、のうちの１つに基づくことができる。これらの候補信号／チャネルの組み合わせは、ｇＮＢによって構成されてもよい。一例では、ＢＦＲ信号のための複数のリソースで構成されるとき、無線デバイスは、ＢＦＲ信号を伝送するための第１のリソースを自律的に選択することができる。一例では、ＢＦＲ−ＰＲＡＣＨリソース、ＢＦＲ−ＰＵＣＣＨリソース、およびＣＦ−ＰＲＡＣＨリソースで構成される場合、無線デバイスは、ＢＦＲ信号を伝送するためのＢＦＲ−ＰＲＡＣＨリソースを選択することができる。一例では、ＢＦＲ−ＰＲＡＣＨリソース、ＢＦＲ−ＰＵＣＣＨリソース、およびＣＦ−ＰＲＡＣＨリソースで構成される場合、ｇＮＢは、ＢＦＲ信号を伝送するためのリソースを示すメッセージを無線デバイスに伝送することができる。
【０１３９】
一例では、ｇＮＢは、１つ以上のＢＦＲ信号を受信後に、無線デバイスに応答を伝送することができる。応答は、無線デバイスが１つ以上のＢＦＲ信号で示す候補ビームと関連付けられたＣＲＩを含むことができる。
【０１４０】
一例では、ｇＮＢは、スケジューリング割り当て／許可、スロットフォーマット通知、プリエンプション表示、および／またはパワー制御コメンド、のうちの少なくとも１つのために、ＰＤＣＣＨを介してＤＣＩを伝送することができる。より具体的には、ＤＣＩは、ＤＣＩフォーマットの識別子、ダウンリンクスケジューリング割り当て（複数可）、アップリンクスケジューリング許可（複数可）、スロットフォーマットインジケータ、プリエンプション表示、ＰＵＣＣＨ／ＰＵＳＣＨのパワー制御、および／またはＳＲＳのパワー制御、のうちの少なくとも１つを含むことができる。
【０１４１】
一例では、ダウンリンクスケジューリング割り当てＤＣＩは、ＤＣＩフォーマットの識別子、ＰＤＳＣＨリソース表示、トランスポートフォーマット、ＨＡＲＱ情報、複数のアンテナ方式に関連する制御情報、および／またはＰＵＣＣＨのパワー制御のためのコマンド、のうちの少なくとも１つを示すパラメータを含むことができる。
【０１４２】
一例では、アップリンクスケジューリング許可ＤＣＩは、ＤＣＩフォーマットの識別子、ＰＵＳＣＨリソース表示、トランスポートフォーマット、ＨＡＲＱ関連情報、および／またはＰＵＳＣＨのパワー制御コマンド、のうちの少なくとも１つを示すパラメータを含むことができる。
【０１４３】
一実施例では、異なるタイプの制御情報が、異なるＤＣＩペイロードサイズに対応し得る。例えば、空間領域における複数ビームおよび／または空間多重化と、周波数領域におけるＲＢの非連続割り当てと、をサポートすることは、周波数連続割り当てを可能とするアップリンク許可と比較して、より大きなスケジューリングメッセージを必要とし得る。ＤＣＩは、フォーマットが特定のメッセージサイズおよび／または使用に対応する場合に、異なるＤＣＩフォーマットに分類されてもよい。
【０１４４】
一例では、無線デバイスは、共通探索空間または無線デバイス固有の探索空間において、１つ以上のＤＣＩフォーマットを有する１つ以上のＤＣＩを検出するために１つ以上のＰＤＣＣＨをモニタすることができる。一例では、無線デバイスは、パワー消費を節減するために、限定されたセットのＤＣＩフォーマットを有するＰＤＣＣＨをモニタすることができる。検出されるＤＣＩフォーマットが多いほど、無線デバイスでより多くのパワーが消費される。
【０１４５】
一例では、ダウンリンクスケジューリングのためのＤＣＩフォーマットの情報は、ＤＣＩフォーマットの識別子、キャリアインジケータ、ＲＢ割り当て、時間リソース割り当て、帯域幅部インジケータ、ＨＡＲＱプロセス数、１つ以上のＭＣＳ、１つ以上のＮＤＩ、１つ以上のＲＶ、ＭＩＭＯ関連情報、ダウンリンク割り当てインデックス（ＤＡＩ）、ＰＵＣＣＨのＴＰＣ、ＳＲＳ要求、および必要に応じてパディング、のうちの少なくとも１つを含むことができる。一例では、ＭＩＭＯ関連情報は、ＰＭＩ、プリコーディング情報、トランスポートブロックスワップフラグ、ＰＤＳＣＨと基準信号との間のパワーオフセット、基準信号スクランブルシーケンス、層の数、および／または伝送用アンテナポート、および／または伝送構成表示（ＴＣＩ）のうちの少なくとも１つを含むことができる。
【０１４６】
一例では、アップリンクスケジューリングに使用されるＤＣＩフォーマットの情報は、ＤＣＩフォーマットの識別子、キャリアインジケータ、帯域幅部表示、リソース割り当てタイプ、ＲＢ割り当て、時間リソース割り当て、ＭＣＳ、ＮＤＩ、アップリンクＤＭＲＳの位相回転、プリコーディング情報、ＣＳＩ要求、ＳＲＳ要求、アップリンクインデックス／ＤＡＩ、ＰＵＳＣＨのＴＰＣ、および／または必要に応じてパディング、のうちの少なくとも１つを含むことができる。
【０１４７】
一実施例では、ｇＮＢは、ＰＤＣＣＨを介してＤＣＩを伝送する前に、ＤＣＩに対してＣＲＣスクランブリングを実行し得る。ｇＮＢは、ＤＣＩのＣＲＣビット上の少なくとも１つの無線デバイス識別子（例えば、Ｃ−ＲＮＴＩ、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＳＰ  ＣＳＩ  Ｃ−ＲＮＴＩ、ＳＲＳ−ＴＰＣ−ＲＮＴＩ、ＩＮＴ−ＲＮＴＩ、ＳＦＩ−ＲＮＴＩ）の複数のビットを二進加算することによってＣＲＣスクランブリングを実行することができる。無線デバイスは、ＤＣＩを検出すると、ＤＣＩのＣＲＣビットを検査し得る。無線デバイスは、少なくとも１つの無線デバイス識別子と同じであるビットのシーケンスによってＣＲＣがスクランブルされると、ＤＣＩを受信し得る。
【０１４８】
一例では、広帯域幅動作をサポートするために、ｇＮＢは、異なる制御リソースセット（コアセット）での１つ以上のＰＤＣＣＨを伝送することができる。ｇＮＢは、１つ以上のコアセットの構成パラメータを含む１つ以上のＲＲＣメッセージを伝送することができる。コアセットは、第１のＯＦＤＭシンボル、いくつかの連続するＯＦＤＭシンボル、リソースブロックのセット、ＣＣＥ対ＲＥＧマッピング、のうちの少なくとも１つを含むことができる。一例では、ｇＮＢは、特定の目的のために、例えば、ビーム障害回復の確認のために、専用コアセットでのＰＤＣＣＨを伝送することができる。
【０１４９】
一例では、無線デバイスは、パワー消費を低減するために、１つ以上の構成されたコアセットでのＤＣＩを検出するためにＰＤＣＣＨをモニタすることができる。
【０１５０】
ＮＲシステムでは、複数のビームで構成される場合、ｇＮＢおよび／または無線デバイスは、１つ以上のビーム管理プロシージャを実行することができる。例えば、無線デバイスは、ｇＮＢと無線デバイスとの間の１つ以上のビームペアリンクが失敗した場合、ＢＦＲプロシージャを実行することができる。
【０１５１】
図１７は、セル（例えば、ＰＣｅｌｌまたはＳＣｅｌｌ）のＢＦＲプロシージャの例を示す。無線デバイスは、ＢＦＲパラメータを含む１つ以上のＲＲＣメッセージを受信することができる（１７０１）。１つ以上のＲＲＣメッセージは、ＲＲＣメッセージ（例えば、ＲＲＣ接続再構成メッセージ、またはＲＲＣ接続再確立メッセージ、またはＲＲＣ接続設定メッセージ）を含むことができる。無線デバイスは、ＢＦＲパラメータのうちの少なくとも１つに従って、少なくとも１つのビーム障害を検出することができる（１７０２）。無線デバイスは、少なくとも１つのビーム障害を検出することに応答して構成される場合、第１のタイマを開始することができる。無線デバイスは、少なくとも１つのビーム障害を検出することに応答して、選択されたビームを選択することができる（１７０３）。選択されたビームは、候補ビームのセットからの良好なチャネル品質（例えば、ＲＳＲＰ、ＳＩＮＲ、またはＢＬＥＲ）を有するビームであってもよい。候補ビームは、基準信号のセット（例えば、ＳＳＢ、またはＣＳＩ−ＲＳ）によって識別されてもよい。無線デバイスは、選択されたビームを選択することに応答して、少なくとも第１のＢＦＲ信号をｇＮＢに伝送することができる（１７０４）。少なくとも第１のＢＦＲ信号は、選択されたビームと関連付けられてもよい。少なくとも第１のＢＦＲ信号は、ＰＲＡＣＨリソース上で伝送されるプリアンブル、またはＰＵＣＣＨリソース上で伝送されるＳＲ信号、またはＰＵＣＣＨ／ＰＵＳＣＨリソース上で伝送されるビーム表示であり得る。無線デバイスは、選択されたビームと関連付けられた受信ビームに対応する伝送ビームで少なくとも第１のＢＦＲ信号を伝送することができる。無線デバイスは、少なくとも第１のＢＦＲ信号を伝送することに応答して応答ウィンドウを開始することができる。一例では、応答ウィンドウは、ｇＮＢによって構成された値を有するタイマであり得る。応答ウィンドウが動作中であるとき、無線デバイスは、第１のコアセットでのＰＤＣＣＨをモニタすることができる（１７０５）。第１のコアセットは、ＢＦＲプロシージャと関連付けられてもよい。一例では、無線デバイスは、少なくとも第１のＢＦＲ信号を伝送する条件で第１のコアセットでのＰＤＣＣＨをモニタすることができる。無線デバイスは、応答ウィンドウが動作中であるときに、第１のコアセットでのＰＤＣＣＨを介して第１のＤＣＩを受信することができる（１７０６）。無線デバイスは、応答ウィンドウが満了する前に、第１のコアセットでのＰＤＣＣＨを介して第１のＤＣＩを受信するときに、ＢＦＲプロシージャが正常に完了したと見なすことができる（１７０７）。無線デバイスは、ＢＦＲプロシージャが正常に完了したことに応答して構成される場合、第１のタイマを停止することができる。無線デバイスは、ＢＦＲプロシージャが正常に完了したことに応答して、応答ウィンドウを停止することができる。
【０１５２】
一例では、応答ウィンドウが満了し、かつ無線デバイスがＤＣＩを受信しない場合、無線デバイスは、伝送数をインクリメントすることができ、ＢＦＲプロシージャがトリガされる前に、伝送数は第１の数（例えば、０）に初期化される。伝送数が、構成された最大伝送数未満の数を示す場合（１７０８）、無線デバイスは、ＢＦＲ信号伝送、応答ウィンドウを開始すること、ＰＤＣＣＨをモニタすること、応答ウィンドウの動作中に応答が受信されない場合に伝送数をインクリメントすること、のうちの少なくとも１つを含む１つ以上のアクションを繰り返すことができる。伝送数が、構成された最大伝送数以上の数を示す場合、無線デバイスは、ＢＦＲプロシージャが正常に完了していないと宣言することができる（１７０９）。
【０１５３】
一例では、無線デバイスは、無線デバイスが新しい伝送を有するとき、ＵＬ−ＳＣＨリソースを要求するためのＳＲをトリガすることができる。ｇＮＢは、ゼロ、１つ、またはそれより多いＳＲ構成を示すパラメータを含む少なくとも１つのメッセージを無線デバイスに伝送することができる。ＳＲ構成は、１つ以上のＢＷＰおよび／または１つ以上のセル上のＳＲのためのＰＵＣＣＨリソースのセットを含むことができる。ＢＷＰ上では、ＳＲのための最大１つのＰＵＣＣＨリソースが構成され得る。各ＳＲ構成は、１つ以上の論理チャネルに対応することができる。各論理チャネルは、少なくとも１つのメッセージによって構成されたゼロまたは１つのＳＲ構成にマッッピングされ得る。バッファステータスレポート（ＢＳＲ）をトリガする論理チャネル（ＬＣＨ）のＳＲ構成は、トリガされたＳＲの対応するＳＲ構成と見なされ得る。
【０１５４】
一例では、各ＳＲ構成について、少なくとも１つのメッセージは、ＳＲ禁止タイマ、ＳＲ伝送の最大数、ＳＲ伝送の周期性およびオフセットを示すパラメータ、および／またはＰＵＣＣＨリソースのうちの少なくとも１つを示す１つ以上のパラメータをさらに含むことができる。一例では、ＳＲ禁止タイマは、無線デバイスがＳＲを伝送することを許可されない可能性がある間の持続時間であり得る。一例では、ＳＲ伝送の最大数は、無線デバイスが最大でＳＲを伝送することを許可され得る伝送数であり得る。
【０１５５】
一例では、ＰＵＣＣＨリソースは、少なくとも、周波数位置（例えば、開始ＰＲＢ）、基本シーケンスの初期サイクリックシフトおよび時間領域位置（例えば、開始シンボルインデックス）と関連付けられたＰＵＣＣＨフォーマット、によって識別されてもよい。一例では、ＰＵＣＣＨフォーマットは、ＰＵＣＣＨフォーマット０、またはＰＵＣＣＨフォーマット１、またはＰＵＣＣＨフォーマット２、またはＰＵＣＣＨフォーマット３、またはＰＵＣＣＨフォーマット４であり得る。ＰＵＣＣＨフォーマット０は、１または２個のＯＦＤＭシンボルの長さを有することができ、２ビット以下である。ＰＵＣＣＨフォーマット１は、４〜１４個の数のＯＦＤＭシンボルを占有することができ、２ビット以下である。ＰＵＣＣＨフォーマット２は、１または２個のＯＦＤＭシンボルを占有することができ、２ビットを超える大きさである。ＰＵＣＣＨフォーマット３は、４〜１４個の数のＯＦＤＭシンボルを占有することができ、２ビットを超える大きさである。ＰＵＣＣＨフォーマット４は、４〜１４個の数のＯＦＤＭシンボルを占有することができ、２ビットを超える大きさである。
【０１５６】
一例では、ＳＲ伝送のためのＰＵＣＣＨフォーマットは、ＰＵＣＣＨフォーマット０またはＰＵＣＣＨフォーマット１であり得る。無線デバイスは、無線デバイスがポジティブＳＲを伝送するときにのみ、対応するＳＲ構成のＰＵＣＣＨリソースでＰＵＣＣＨを伝送することができる。ＰＵＣＣＨフォーマット０を使用するポジティブＳＲ伝送の場合、無線デバイスは、サイクリックシフトを第１の値（例えば、０）に設定することにより、ＰＵＣＣＨを伝送することができる。ＰＵＣＣＨフォーマット１を使用するポジティブＳＲ伝送の場合、無線デバイスは、ＢＰＳＫがシーケンスで変調される前に第１のビットを第１の値（例えば、０）に設定することにより、ＰＵＣＣＨを伝送することができる。
【０１５７】
一例では、ＳＲは、ＰＵＣＣＨフォーマット上でＨＡＲＱ−ＡＣＫまたはＣＳＩと多重化されてもよい。ポジティブＳＲがＨＡＲＱ−ＡＣＫと多重化されると、無線デバイスは、１つ以上のＨＡＲＱ−ＡＣＫビットの１つ以上の値に基づいて、初期サイクリックシフトおよび第１のサイクリックシフトに基づいて基本シーケンスのサイクリックシフトを決定することができる。ネガティブＳＲがＨＡＲＱ−ＡＣＫと多重化されると、無線デバイスは、１つ以上のＨＡＲＱ−ＡＣＫビットの１つ以上の値に基づいて、初期サイクリックシフトおよび第２のサイクリックシフトに基づいて基本シーケンスのサイクリックシフトを決定することができる。第１のサイクリックシフトは、第２のサイクリックシフトとは異なる。
【０１５８】
一例では、無線デバイスは、ＳＲ構成と関連付けられたＳＲ伝送カウンタ（例えば、ＳＲ＿ＣＯＵＮＴＥＲ）を維持することができる。
【０１５９】
一例では、ＳＲ構成のＳＲがトリガされ、かつ同じＳＲ構成に対応して保留状態である他のＳＲが存在しない場合、無線デバイスは、ＳＲ構成のＳＲ＿ＣＯＵＮＴＥＲを第１の値（例えば、０）に設定することができる。
【０１６０】
一例では、ＳＲがトリガされると、無線デバイスは、キャンセルされるまでＳＲが保留状態であると見なすことができる。一例では、１つ以上のＵＬ許可が伝送に利用可能なすべての保留状態のデータに対応するとき、すべての保留状態のＳＲ（複数可）がキャンセルされてもよい。
【０１６１】
一例では、無線デバイスは、ＳＲ伝送機会時に、能動ＢＷＰ上の１つ以上のＰＵＣＣＨリソースを有効なＰＵＣＣＨリソースとして決定することができる。
【０１６２】
一例では、無線デバイスは、無線デバイスがポジティブＳＲを伝送するときに、ＳＲ構成と関連付けられたＰＵＣＣＨリソースでＰＵＣＣＨを伝送することができる。一例では、無線デバイスは、ＰＵＣＣＨ構成に従って、ＰＵＣＣＨフォーマット０またはＰＵＣＣＨフォーマット１を使用してＰＵＣＣＨを伝送することができる。
【０１６３】
図１８は、実施形態の一例を示す。この例では、無線デバイスは、１つ以上のＳＲ構成のパラメータを含む１つ以上のＲＲＣメッセージを受信することができる。一例では、１つ以上のＳＲ構成の各々について、パラメータは、ＳＲ禁止タイマ、ＳＲ伝送の最大数、ＳＲ伝送の周期性およびオフセットを示すパラメータ、および／またはＰＵＣＣＨリソースインデックスによって識別されるＰＵＣＣＨリソース、のうちの少なくとも１つを示すことができる。一例では、ＳＲ構成に対応するＬＣＨ上でＢＳＲがトリガされたことに応答してＳＲ構成のＳＲがトリガされる（したがって、現在保留状態にある）と、ＳＲ構成に対応する他の保留状態のＳＲが存在しない場合、無線デバイスは、ＳＲ＿ＣＯＵＮＴＥＲを第１の値（例えば、０）に設定することができる。
【０１６４】
一例では、無線デバイスは、ＳＲ伝送機会に、保留状態のＳＲのための少なくとも１つの有効なＰＵＣＣＨリソースがあるかどうかを決定することができる。保留状態のＳＲに有効なＰＵＣＣＨリソースが存在しない場合、無線デバイスは、ＰＣｅｌｌ上でランダムアクセスプロシージャを開始することができる。無線デバイスは、保留状態のＳＲに有効なＰＵＣＣＨリソースが存在しないことに応答して、保留状態のＳＲをキャンセルすることができる。
【０１６５】
一例では、保留状態のＳＲにに有効な少なくとも１つのＰＵＣＣＨリソースがある場合、無線デバイスは、ＳＲ伝送の周期性およびオフセットに基づいて、少なくとも１つの有効なＰＵＣＣＨリソース上のＳＲ伝送機会を決定することができる。一例では、ＳＲ禁止タイマが動作中である場合、無線デバイスは、別のＳＲ伝送機会を待つことができる。一例では、ＳＲ禁止タイマが動作中でなく、かつＳＲ＿ＣＯＵＮＴＥＲがＳＲ伝送の最大数未満である場合、無線デバイスは、ＳＲ＿ＣＯＵＮＴＥＲを（例えば、１だけ）インクリメントし、無線デバイスの物理層に、ＳＲに有効な少なくとも１つのＰＵＣＣＨリソース上でＳＲを信号伝達するように命令することができる。無線デバイスの物理層は、ＳＲに有効な少なくとも１つのＰＵＣＣＨリソース上でＰＵＣＣＨを伝送することができる。無線デバイスは、ＰＵＣＣＨを伝送することに応答して、アップリンク許可のためのＤＣＩを検出するためにＰＤＣＣＨをモニタすることができる。
【０１６６】
一例では、無線デバイスが、伝送に利用可能なすべての保留状態のデータに対応することができる１つ以上のアップリンク許可を受信した場合、無線デバイスは、保留状態のＳＲをキャンセルし、および／またはＳＲ禁止タイマを停止することができる。
【０１６７】
一例では、無線デバイスが、伝送に利用可能なすべての保留状態のデータに対応することができる１つ以上のアップリンク許可を受信しない場合、無線デバイスは、少なくとも１つの有効なＰＵＣＣＨリソースを決定すること、ＳＲ禁止タイマが動作中であるかどうかを検査すること、ＳＲ＿ＣＯＵＮＴＥＲがＳＲ伝送の最大数以上であるかどうか、ＳＲ＿ＣＯＵＮＴＥＲをインクリメントし、ＳＲを伝送し、ＳＲ禁止タイマを開始すること、アップリンク許可のためのＰＤＣＣＨをモニタすること、を含む１つ以上のアクションを繰り返すことができる。
【０１６８】
一例では、ＳＲ＿ＣＯＵＮＴＥＲがＳＲ伝送の最大数以上の数を示す場合、無線デバイスは、１つ以上のサービングセルのＰＵＣＣＨを解放し、および／または１つ以上のサービングセルのＳＲＳを解放し、および／またはまたは、１つ以上の構成されたダウンリンク割り当ておよびアップリンク許可をクリアし、ＰＣｅｌｌ上でランダムアクセスプロシージャを開始し、および／または保留状態のＳＲをキャンセルすることができる。
【０１６９】
一例では、ｇＮＢおよび無線デバイスは、ｇＮＢと無線デバイスとの間にビーム対応が存在する場合、少なくとも１つのビーム障害インスタンスが識別されると、ＰＲＡＣＨベースのＢＦＲプロシージャを実行することができる。一例では、無線デバイスが、ｇＮＢからダウンリンク信号を受信するための受信ビームに対応する伝送ビームを使用してアップリンク信号を伝送するときに、ビーム対応が存在してもよい。無線デバイスが、例えば、ｇＮＢからダウンリンク信号を受信するためのＲＦおよび／またはデジタルビームフォーミングパラメータを決定することによって受信ビームを識別すると、無線デバイスは、受信ビームのビームフォーミングパラメータに対応するＲＦおよび／またはデジタルビームフォーミングパラメータを使用することによって伝送ビームを決定することができる。例えば、伝送ビームのビームフォーミングパラメータ（例えば、アンテナ素子のビーム重み係数）は、ビーム対応が存在する場合における受信ビームのビームフォーミングパラメータと同じであってもよい。無線デバイスが受信ビームに基づいて伝送ビームを決定することができるため、ビーム対応の存在は、場合によっては送受信機設計を簡易化することができる。一例では、ビーム対応を用いて、ｇＮＢが、ダウンリンク伝送またはアップリンク伝送に使用される伝送ビームを必ずしも示さず、したがって、シグナリングのオーバーヘッドを低減してもよい。一例では、ビーム対応を用いて、無線デバイスが、ｇＮＢが適切なアップリンクビームを見つけることに寄与するためにアップリンクビーム掃引を回避し、したがって、無線デバイスのパワー消費を低減してもよい。一例では、適切なビームは、無線デバイスの方向にあってもよい。いくつかのシナリオで、例えばＴＤＤの場合、または伝送と受信とが同じ物理アンテナ素子のセットを共有する場合、および／または伝送と受信とが同じまたは同様のビーム幅を有する場合に、ビーム対応が存在してもよい。
【０１７０】
一例では、伝送用の物理アンテナが受信用の物理アンテナから分離されている場合、および／または伝送のビーム幅と受信のビーム幅とが異なる場合、ビーム対応は存在しなくてもよい。一例では、無線デバイスは、受信ビームに基づいて伝送ビームを決定しなくてもよい。受信ビームは、ダウンリンク信号を受信するために使用されてもよい。そのような場合、ｇＮＢは、例えば、ＲＲＣメッセージ、またはＭＡＣ  ＣＥ、またはＤＣＩによって、ＰＵＣＣＨ／ＰＵＳＣＨ伝送の伝送ビームを明示的に示すことができる。一例では、ｇＮＢおよび無線デバイスは、ビーム対応が存在しない場合に少なくとも１つのビーム障害インスタンスが識別されると、ＰＲＡＣＨベースのＢＦＲプロシージャを実行しなくてもよい。
【０１７１】
ビーム対応が存在しない場合、既存のＰＲＡＣＨベースのＢＦＲプロシージャでは、無線デバイスは、ＰＲＡＣＨプリアンブル伝送について、候補ビームを受信するための受信ビームと関連付けられた伝送ビームを決定することができる。ただし、ｇＮＢは、無線デバイスがＰＲＡＣＨプリアンブルを伝送する伝送ビーム上にアップリンク伝送が存在すると予期しないため、ｇＮＢは、ｇＮＢおよび／または無線デバイスでの伝送ビームと受信ビームとの間のビーム対応がないことに起因して、ＰＲＡＣＨプリアンブルを検出しない場合がある。この場合、ＰＲＡＣＨベースのＢＦＲプロシージャは、ビーム障害回復の失敗をもたらし得る。失敗したビーム障害回復は、無線リンク障害にさらにつながり得る。
【０１７２】
一例では、ビーム対応が存在しない場合、無線デバイスは、少なくとも１つのビーム障害インスタンスが識別されると、ＢＦＲプロシージャがトリガされたことを示すＰＵＣＣＨ信号をｇＮＢに伝送することができる。ＰＵＣＣＨ信号の伝送ビームは、ＲＲＣメッセージ、またはＭＡＣ  ＣＥ、またはＤＣＩによって示されてもよい。一例では、ＨＡＲＱは、既存のＰＵＣＣＨ伝送ではサポートされない。既存のＰＵＣＣＨベースの伝送技術を実装することにより、無線デバイスは、ｇＮＢがＢＦＲプロシージャのためのＰＵＣＣＨ信号を受信するかどうかを決定することに困難を有する可能性がある。一例では、無線デバイスは、ＳＲベースのＢＦＲプロシージャを用いることができ、ＳＲは、図１８の例に基づいて実装されてもよい。ＳＲベースのＢＦＲプロシージャを実装することにより、無線デバイスは、ＢＦＲプロシージャのためのＳＲの伝送後、ｇＮＢから応答を受信することができる。
【０１７３】
多くのシナリオでは、無線デバイスは、時間的に重複する複数のＰＵＣＣＨベースのプロシージャを実行することができる。一例では、無線デバイスは、バッファステータスレポートプロシージャに基づいて１つ以上の第１のＳＲをトリガすることができる。例えば、１つ以上の第１のＳＲの各々は、論理チャネルと関連付けられてもよい。無線デバイスは、無線デバイスがビーム障害回復を開始するとき（例えば、図１７の例を実装することによってビーム障害回復が開始される）、第２のＳＲをトリガすることができる。無線デバイスは、複数のＰＵＣＣＨベースのプロシージャを実行するときに、ＰＤＣＣＨを介してＤＣＩを受信することができる。既存のＳＲ技術を実装することにより、無線デバイスは、すべての保留状態のＳＲ（例えば、１つ以上の第１のＳＲおよび第２のＳＲ）を一緒にキャンセルすることができる。例えば、ＳＲのうちの１つに応答してアップリンク許可が受信されてもよい。例えば、レガシー技術では、無線デバイスが、（例えば、利用可能なアップリンクデータ伝送に対応し得る）１つ以上のアップリンク許可を含むＤＣＩを受信すると、すべてのＳＲプロシージャがキャンセルされてもよい。一例では、ＤＣＩは、第２のＳＲの伝送への応答でなくてもよい（例えば、ＤＣＩが、ビーム障害回復のための専用制御リソースセットで伝送されない場合）。既存の技術を実装すること（例えば、すべてのＳＲプロシージャをキャンセルすること）は、アップリンク伝送スペクトル効率を低下させ、ビーム障害回復の待ち時間を増大させ、アップリンク伝送パワーを増大させ、および／またはアップリンク伝送干渉を増大させ得る。既存のＳＲ技術を実装する一例では、無線デバイスは、ＤＣＩがアップリンク許可を含む場合、またはＤＣＩが専用制御リソースセットで受信されない場合、第２のＳＲをキャンセルすることができる。このことは、ビーム障害回復プロシージャの失敗をもたらし得る。既存のＳＲ技術を実装することにより、無線デバイスは、ＤＣＩが第２のＳＲへの応答である場合、１つ以上の第１のＳＲをキャンセルすることができる。ＳＲプロセスは終了／キャンセルされる可能性があり、その結果、非効率的なアップリンクスケジューリングをもたらす。ＢＦＲプロシージャのために既存のＳＲ技術を改善する必要がある。例示的な実施形態は、複数のＰＵＣＣＨベースのプロシージャが時間的に重複するときの拡張されたメカニズムを提供する。例えば、改良された実施形態は、１つ以上のビーム障害回復プロシージャ（例えば、ＰＵＣＣＨベース／ＳＲベースのビーム障害回復）およびＳＲプロシージャが時間的に重複している場合、アップリンクおよび／またはダウンリンク無線リンク性能を改善する。例示的な実施形態は、第２のＳＲへの応答の受信に基づいて、バッファステータスレポートプロシージャのための第１のＳＲを保留し続けること、および／またはビーム障害回復のための第２のＳＲをキャンセルすることを含むことができる。
【０１７４】
既存のＳＲ技術では、ＳＲ要求を伝送することを使用して、ＰＵＣＣＨベースのビーム障害回復が実装され得る。無線デバイスは、バッファステータスレポートプロシージャに基づく（例えば、ＰＵＣＣＨを介した１または２ビット情報での）ＳＲを伝送することができる。例えば、ＳＲは、オンオフキーイング（ＯＯＫ）技術に基づいて伝送されてもよい。ＯＯＫ技術では、無線デバイスは、構成されたＰＵＣＣＨリソースを介して（「オン」を示す）信号を伝送して、アップリンクデータが伝送に利用可能であることを示すことができる。ＯＯＫ技術では、無線デバイスは、構成されたＰＵＣＣＨリソースを介して（「オフ」を示す）信号を伝送することをスキップして、利用可能であるアップリンクデータが存在しないことを示すことができる。例えば、基地局は、構成されたＰＵＣＣＨリソース上にこの信号が存在するかどうかに基づいて、アップリンク許可要求が伝送されるかどうかを決定することができる。既存のＳＲベースのビーム障害回復技術の実装は、ビーム障害を回復するための十分な情報を基地局に提供しない場合がある。例えば、無線デバイスは、ビーム障害を解決するために基地局が必要とする情報を提供することができない場合がある。ＰＵＣＨベースのビーム障害回復プロシージャを実装するには、既存のＳＲプロシージャおよび信号フォーマットを改善する必要がある。例示的な実施形態は、ＰＵＣＣＨベースのビーム障害回復プロシージャを実装するための拡張されたＳＲプロシージャおよび信号フォーマットを提供する。例示的な実施形態は、ビーム障害回復と関連付けられたＳＲのためのＰＵＣＣＨリソースを介して候補ビーム情報（例えば、候補ビームおよび候補ビームのチャネル品質）を伝送することを含むことができる。
【０１７５】
レガシー技術では、無線デバイスは、１つ以上の（アップリンク許可要求のための）第１のＳＲまたは（ＢＦＲプロシージャのための）第２のＳＲの基地局からの応答を受信しない場合があり、最大ＳＲ伝送数に達する場合がある。既存のＳＲ技術では、無線デバイスは、無線デバイスが最大ＳＲ伝送数に達した場合、すべての保留状態のＳＲ（例えば、１つ以上の第１のＳＲおよび第２のＳＲ）をキャンセルすることができる。既存のＳＲ技術を実装することにより、無線デバイスは、ＳＲ伝送カウンタがＳＲ伝送の最大数に達すると、すべての保留状態のＳＲをキャンセルすることができる。一例では、ＳＲ伝送カウンタは、ビーム障害回復プロシージャの第２のＳＲ用であり得、すべてのＳＲプロシージャのキャンセルをもたらす。ＳＲプロセスが終了／キャンセルされる可能性があり、その結果、非効率的なアップリンクスケジューリングをもたらす。既存の技術を実装すること（例えば、すべてのＳＲプロシージャをキャンセルすること）は、アップリンク伝送スペクトル効率を低下させ、ビーム障害回復の待ち時間を増大させ、アップリンク伝送パワーを増大させ、および／またはアップリンク伝送干渉を増大させ得る。このことは、ビーム障害回復プロシージャの失敗をもたらし得る。ＳＲプロセスは終了／キャンセルされる可能性があり、その結果、非効率的なアップリンクスケジューリングをもたらす。ＢＦＲプロシージャのために既存のＳＲ技術を改善する必要がある。例示的な実施形態は、複数のＰＵＣＣＨベースのプロシージャが時間的に重複するときの拡張されたメカニズムを提供する。例えば、改良された実施形態は、１つ以上のビーム障害回復プロシージャ（例えば、ＰＵＣＣＨベース／ＳＲベースのビーム障害回復）およびＳＲプロシージャが時間的に重複している場合、アップリンクおよび／またはダウンリンク無線リンク性能を改善する。例示的な実施形態は、無線デバイスがビーム障害回復のためのＳＲ伝送の最大数に達すると、ビーム障害回復のためのＳＲをキャンセルし、かつバッファステータスレポートプロシージャのための他のＳＲを保留し続けることを含むことができる。
【０１７６】
一例では、無線デバイスは、ビーム障害回復のためのＳＲと、ビーム障害回復のための１つ以上のＲＡＣＨリソースと、で構成されてもよい。レガシー技術では、無線デバイスは、無線デバイスがビーム障害回復を開始すると、ＳＲをトリガすることができる。あるいは、無線デバイスは、１つ以上のＲＡＣＨリソースのうちの１つ上でランダムアクセスベースのビーム障害回復を開始することができる。既存のビーム障害回復プロシージャを実装することにより、無線デバイスは、ビーム障害回復を実行するために、ＳＲリソースまたはＲＡＣＨリソースのいずれかの、１つのアップリンクリソースを選択することができる。例えば、ビーム障害回復用に１つのタイプ（ＳＲまたはＲＡＣＨのいずれか）のアップリンクリソースを限定することは、アップリンク伝送スペクトル効率を低下させ、ビーム障害回復の待ち時間を増大させ、アップリンク伝送パワーを増大させ、および／またはアップリンク伝送干渉を増大させ得る。したがって、ＳＲリソースとＲＡＣＨリソースとの両方がＢＦＲプロシージャ用に構成される場合、既存のＢＦＲプロシージャを改善する必要がある。例示的な実施形態は、ビーム障害回復要求メッセージの伝送または再伝送のためのＳＲリソースまたはＲＡＣＨリソースを選択することを含む、拡張されたビーム障害回復プロシージャを実装することができる。例えば、ビーム障害回復要求メッセージの伝送または再伝送の選択は、ビーム障害回復のためのＳＲリソースおよび／またはＲＡＣＨリソースの可用性に基づくことができる。例示的な実施形態は、ＳＲベースのビーム障害回復とＲＡＣＨベースのビーム障害回復とを単一のプロセスとして扱う（例えば、ＲＡＣＨベースのビーム障害回復とＳＲベースのビーム障害回復との両方のための再伝送カウンタを維持する）ことによってビーム障害回復プロシージャを行うことを含むことができる。
【０１７７】
例示的な実施形態は、ビーム障害回復のための既存のＳＲ技術を改善することができる。例示的な実施形態は、第２のＳＲへの応答の受信に基づいて、バッファステータスレポートプロシージャのための第１のＳＲを保留し続けること、および／またはビーム障害回復のための第２のＳＲをキャンセルすることを含むことができる。例示的な実施形態は、ビーム障害回復と関連付けられたＳＲのためのＰＵＣＣＨリソースを介して候補ビーム情報を伝送することを含むことができる。例示的な実施形態は、ＰＵＣＣＨリソースを介した候補ビーム情報の伝送の応答について専用制御リソースセットをモニタすることを含むことができる。例示的な実施形態は、無線デバイスがビーム障害回復のためのＳＲ伝送の最大数に達すると、ビーム障害回復のためのＳＲをキャンセルし、バッファステータスレポートプロシージャのための他のＳＲを保留し続けることを含むことができる。例示的な実施形態は、ビーム障害回復要求メッセージの伝送または再伝送のためのＳＲリソースまたはＲＡＣＨリソースを選択することによってビーム障害回復プロシージャを行うことを含むことができる。例示的な実施形態は、ＳＲベースのビーム障害回復とＲＡＣＨベースのビーム障害回復とを単一のプロセスとして扱う（例えば、ＲＡＣＨベースのビーム障害回復とＳＲベースのビーム障害回復との両方のための再伝送カウンタを維持する）ことによってビーム障害回復プロシージャを行うことを含むことができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０１７８】
ＳＲ構成では、ＳＲ構成は、少なくとも１つの論理チャネルに対応してもよい。ＳＲ構成は、ＳＲ禁止タイマ、ＳＲ伝送の最大数、ＳＲ伝送の周期性およびオフセットを示すパラメータ、および／またはＰＵＣＣＨリソース、のうちの少なくとも１つを含む複数のパラメータと関連付けられてもよい。
【０１７９】
一例では、ＢＦＲプロシージャにＳＲプロシージャが使用される場合、ＢＦＲプロシージャのＳＲ構成は、少なくとも１つの論理チャネルと関連付けられたＳＲ構成とは異なっていてもよい。例えば、無線デバイスは、少なくとも１つの論理チャネルと関連付けられたＳＲ構成について、保留状態のＳＲを最大で６４回伝送することができる。一例では、例えば、無線デバイスは、ビーム対応が存在しない可能性があることを考慮して、ＢＦＲプロシージャのためのＳＲ構成について最大で２００回ＳＲを伝送することができる。一例では、ＢＦＲプロシージャのための応答ウィンドウは、ＵＬ−ＳＣＨリソースを要求するためのＳＲの応答ウィンドウよりも短くてもよい。例えば、ＢＦＲプロシージャと関連付けられた応答タイマは、最大で８０スロットであり得る。ＵＬ−ＳＣＨリソースを要求するためのＳＲ構成のＳＲ禁止タイマは、最大で１２８ミリ秒であり得る。したがって、ＢＦＲプロシージャのためのＳＲ構成は、ＵＬ−ＳＣＨリソースを要求するためのＳＲ構成とは別個にまたは独立して構成されてもよい。例示的な実施形態は、ＢＦＲプロシージャのためのＳＲ構成を定義するための方法を提供することができる。
【０１８０】
一例では、ＢＦＲプロシージャにＳＲプロシージャが使用される場合、ＢＦＲプロシージャによってトリガされるＳＲプロシージャは、ＵＬ−ＳＣＨリソースを要求することによってトリガされる（例えば、ＢＳＲによってトリガされる）ＳＲプロシージャとは異なっていてもよい。一例では、ＢＦＲプロシージャの保留状態のＳＲと、１つ以上のＵＬ−ＳＣＨリソースを要求するための１つ以上の保留状態のＳＲと、を含む複数の保留状態のＳＲが存在する場合、複数の保留状態のＳＲのための既存のＳＲプロシージャを改善する必要がある（バッファステータスレポートのためのＳＲとビーム障害回復のためのＳＲとを含む）。無線デバイスおよびｇＮＢは、既存のＳＲプロシージャを実装する場合、複数の保留状態のＳＲに関して不整合なアクションを実行することがある。例示的な実施形態は、（例えば、ＢＦＲプロシージャのための、およびＵＬ−ＳＣＨリソースを要求するための）複数のＳＲが保留状態である場合に、ｇＮＢと無線デバイス間の不整合を改善することができる。
【０１８１】
図１９は、実施形態の一例を示す。ｇＮＢは、第１のセットのＲＳ（例えば、ＲＳ０）および第２のセットのＲＳ（例えば、ＲＳ１、ＲＳ２、およびＲＳ３）を示すパラメータを含む少なくとも１つのメッセージを伝送することができる。少なくとも１つのメッセージは、ＲＲＣメッセージ（例えば、ＲＲＣ接続再構成メッセージ、またはＲＲＣ接続再確立メッセージ、またはＲＲＣ接続設定メッセージ）であってもよい。第１のセットのＲＳは、ｇＮＢがＰＤＣＣＨ／ＰＤＳＣＨを伝送するビームとＱＣＬされた１つ以上のビームを識別することができる。第２のセットのＲＳは、第１のセットのＲＳと関連付けられた１つ以上のビームが失敗したときに、無線デバイスが第１の閾値よりも優れた品質を有する候補ビームを中から選択し得る１つ以上の候補ビームを識別することができる。一例では、第１／第２のセットのＲＳの各々は、ＳＳＢまたはＣＳＩ−ＲＳであってもよい。第１の閾値は、ＢＬＥＲ、またはＳＩＮＲ、またはＬ１−ＲＳＲＰに基づいて構成された値であってもよい。一例では、第１のセットのＲＳ上での測定が、構成された第２の閾値（例えば、ＲＳＲＰまたはＢＬＥＲ）よりも悪い場合、第１のセットのＲＳと関連付けられた１つ以上のビームは失敗する。
【０１８２】
一例では、少なくとも１つのメッセージは、構成パラメータを含むことができる。一例では、構成パラメータは、第１の要求（例えば、スケジューリング要求、またはビーム失敗要求、またはビーム要求）構成、および少なくとも第２のＳＲ（例えば、スケジューリング要求）構成を示すことができる。第１の要求構成は、第１のＰＵＣＣＨリソース、第１の値を有する第１のタイマ、第１の伝送数、第１の要求の伝送の第１の周期性、および／または第１の要求の伝送の第１のオフセット、のうちの少なくとも１つと関連付けられてもよい。一例では、少なくとも第２のｓｒ構成は、第２のＰＵＣＣＨリソース、第２の値を有する第２のタイマ、第２の伝送数、第２の周期性、および／または第２のオフセットのうちの少なくとも１つと関連付けられてもよい。一例では、少なくとも第２のＳＲ構成は、少なくとも１つの論理チャネルと関連付けられてもよい。
【０１８３】
本明細書では、無線デバイスは、ビーム障害回復を開始することに応答して、ＰＵＣＣＨを介して要求信号を伝送することができる。このプロセスは、ＳＲベースのビーム障害回復と呼ばれる場合がある。このプロセスは、異なる名称、例えば、ＰＵＣＣＨベースのビーム障害回復、制御チャネルベースのビーム回復、ＳＲベースのビーム障害回復、および／または同様のものと等しく呼ばれる場合がある。ビーム障害回復のための要求は、ＳＲ要求、ビーム障害要求、ＰＵＣＣＨビーム要求、またはビーム要求、および／または同様のものと呼ばれる場合がある。例えば、本明細書では、基地局がビーム障害回復のためのＳＲの構成パラメータを含む少なくとも１つのメッセージ（例えば、ＲＲＣ）を無線デバイスに伝送する場合、構成パラメータは、ＰＵＣＣＨベースのビーム障害回復構成パラメータ、ビーム障害回復のＳＲパラメータ、またはビーム障害回復のためのＰＵＣＣＨ要求パラメータ、および／または同様のものと呼ばれる場合がある。
【０１８４】
一例では、第１のタイマの第１の値は、第２のタイマの第２の値とは異なっていてもよい。一例では、第１の伝送数は、第２の伝送数とは異なっていてもよい。一例では、第１の周期性は、第２の周期性とは異なっていてもよい。一例では、第１のオフセットは、第２のオフセットとは異なっていてもよい。一例では、第１のＰＵＣＣＨリソースは、第２のＰＵＣＣＨリソースとは異なっていてもよい。
【０１８５】
一例では、無線デバイスは、第１の要求構成のための第１のカウンタを維持することができる。一例では、無線デバイスは、少なくとも第２のｓｒ構成の各々について第２のカウンタを維持することができる。
【０１８６】
一例では、少なくとも１つのメッセージは、第１の制御リソースセットおよび少なくとも第２の制御リソースセットを示すパラメータを含むことができる。第１の制御リソースセットは、第１の要求構成と関連付けられてもよい。一例では、無線デバイスがＢＦＲプロシージャのための第１のＰＵＣＣＨリソース上で第１の要求を伝送するとき、無線デバイスは、第１の制御リソースセット上の第１のＰＤＣＣＨをモニタすることができる。一例では、無線デバイスが少なくとも第２のｓｒ構成の第２のｓｒを伝送するとき、無線デバイスは、少なくとも第２の制御リソースセット上の第２のＰＤＣＣＨをモニタすることができる。例示的な実施形態によって、無線デバイスは、無線デバイスがＤＣＩを受信する制御リソースセットに基づいて、受信されたＤＣＩがビーム障害回復用であるか、またはアップリンク許可要求用であるかを決定することができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０１８７】
図２０は、ＢＦＲプロシージャのフローチャートの例示的な実施形態を示す。一例では、無線デバイスが第１のセットのＲＳ上で少なくとも１つのビーム障害インスタンスを識別するときに、ＢＦＲプロシージャがトリガされてもよい。無線デバイスは、第２のセットのＲＳから候補ビームを選択することができる。無線デバイスは、候補ビームを選択することに応答して、第１の要求構成と関連付けられた第１の要求をトリガすることができる。一例では、論理チャネルがＢＳＲをトリガすると、無線デバイスは、論理チャネルに対応する少なくとも第２のｓｒ構成と関連付けられた第２のｓｒをトリガすることができる。一例では、無線デバイスは、少なくとも第２のｓｒ構成の構成パラメータに基づいて、第２のｓｒの通常のｓｒプロシージャを実行することができる。一例では、通常のｓｒプロシージャは、アップリンク伝送（例えば、ＰＵＳＣＨ）のためのアップリンク許可を要求することを含むことができる。
【０１８８】
一例では、第１の要求がトリガされると、第１の要求がキャンセルされるまで、第１の要求を保留し続けることができる。一例では、第２のｓｒがトリガされると、第２のｓｒがキャンセルされるまで第２のｓｒを保留し続けることができる。
【０１８９】
一例では、無線デバイスが第１の要求構成の第１の要求をトリガすると、無線デバイスは、第１の要求伝送の機会時に、第１のＰＵＣＣＨリソースが有効なＰＵＣＣＨリソースであると決定することができる。有効なＰＵＣＣＨリソースは、要求伝送機会時に能動的であるＢＷＰ上のＰＵＣＣＨリソースであってもよい。第１の要求伝送の機会は、第１の周期性、および／または少なくとも１つのメッセージによって構成された第１のオフセット、および／または第１の要求がトリガされる時機に依存してもよい。
【０１９０】
図２１は、実施形態の一例を示す。無線デバイスは、バッファステータスレポートと関連付けられた第１のＳＲと、セル上のビーム障害回復と関連付けられた第２のＳＲと、の構成パラメータを含む１つ以上のＲＲＣメッセージを受信することができる。１つ以上のＲＲＣメッセージは、ＲＲＣ接続再構成メッセージ、ＲＲＣ接続再確立メッセージ、および／またはＲＲＣ接続設定メッセージを含むことができる。一例では、セルは、ＰＣｅｌｌまたはＳＣｅｌｌであり得る。一例では、無線デバイスは、バッファステータスレポートに基づいて第１の要求（例えば、図２１に示されるような第１のＳＲ）をトリガすることができる。無線デバイスは、ビーム障害回復プロシージャのための第２のＳＲ（例えば、図２１に示されるような第２のＳＲ）をトリガすることができる。
【０１９１】
無線デバイスが第２の要求をトリガすると、無線デバイスは、第１のカウンタを第１の値（例えば、０）に設定することができる。無線デバイスが第２の要求伝送の機会に有効なＰＵＣＣＨリソースを決定すると、無線デバイスは、第１のカウンタが第１の伝送数未満の値を示す場合、有効なＰＵＣＣＨリソース上で第２の要求をトリガすることができる。
【０１９２】
一例では、無線デバイスは、第２の要求をトリガするときに、有効なＰＵＣＣＨリソース上でＰＵＣＣＨ信号を伝送することができる。例えば、既存のＳＲ技術のＰＵＣＣＨ伝送（ＯＯＫ）とは異なり、ビーム障害回復のためのＰＵＣＣＨ信号は、候補ビームを識別するＲＳインデックス、および／または候補ビームの測定品質（例えば、ＲＳＲＰ）のうちの一方を含む少なくとも１つのパラメータを含むことができる。例示的な実施形態により、無線デバイスは、ビーム障害回復と関連付けられたＳＲのためのＰＵＣＣＨリソースを介して候補ビーム情報を伝送することができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０１９３】
一例では、第２の要求は、少なくとも１つのメッセージに複数のＰＵＣＣＨリソースで構成されてもよい。各ＰＵＣＣＨリソースは、第２のセットのＲＳのうちの１つと関連付けられてもよい。ＢＦＲプロシージャがトリガされると、無線デバイスは、第２のセットのＲＳから候補ビームを選択することができる。無線デバイスは、候補ビームと関連付けられた複数のＰＵＣＣＨリソースの中のＰＵＣＣＨリソースを決定することができる。一例では、無線デバイスは、ＰＵＣＣＨリソース上でＰＵＣＣＨ信号を伝送することができる。一例では、ＰＵＣＣＨ信号はビットであってもよい。一例では、ビットは、ＢＦＲプロシージャがトリガされること、および／またはＰＵＣＣＨリソースと関連付けられた候補ビームが識別されること、を示す第１の値（例えば、１）に設定されてもよい。
【０１９４】
一例では、無線デバイスは、第２の要求を伝送することに応答して、第１のカウンタを（例えば、１だけ）インクリメントし、および／または第１の値で第１のタイマを開始することができる。一例では、第１のタイマが動作中であるとき、無線デバイスは、第１の制御リソースセット上のＰＤＣＣＨをモニタし得る。一例では、第１のタイマが動作中である間に無線デバイスがＰＤＣＣＨを介してＤＣＩを検出すると、無線デバイスは、ＢＦＲプロシージャを正常に完了することができる。無線デバイスは、第２の要求構成と関連付けられた（保留状態の）第２の要求をキャンセルすることができる。無線デバイスは、少なくとも第１のｓｒ構成と関連付けられた第１のｓｒを保留し続けることができる。第１のｓｒは、バッファステータスレポートに基づいてトリガされてもよい。無線デバイスは、ＢＦＲプロシージャが正常に完了することに応答して、第１のタイマを停止し、および／または第１のカウンタをリセットすることができる。例示的な実施形態によって、無線デバイスは、バッファステータスレポートプロシージャのための第１のＳＲを保留し続け、および／または第２のＳＲへの応答の受信に基づいてビーム障害回復のための第２のＳＲをキャンセルすることができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０１９５】
一例では、無線デバイスは、ビーム障害回復のための第２の制御リソースセットとは異なる第１の制御リソースセット上のＰＤＣＣＨを介してＤＣＩを検出する。ＤＣＩは、アップリンク許可を含むことができる。ＤＣＩを受信することに応答して、無線デバイスは、ビーム障害回復のための要求を保留し続け、および／またはバッファステータスレポートのためのＳＲをキャンセルすることができる。
【０１９６】
一例では、ＰＤＣＣＨ上で受信されたＤＣＩが１つ以上のアップリンク許可を含む場合、無線デバイスは、第１の要求構成と関連付けられた第１の（保留状態の）要求、および少なくとも第２のｓｒ構成と関連付けられた第２の（保留状態の）ｓｒをキャンセルすることができる。一例では、１つ以上のアップリンク許可は、伝送に利用可能な保留状態のデータに対応することができる。一例では、ＰＤＣＣＨで受信されたＤＣＩが１つ以上のダウンリンク割り当てを含む場合、無線デバイスは、第１の要求構成と関連付けられた第１の（保留状態の）要求をキャンセルし、少なくとも第２のｓｒ構成と関連付けられた第２のｓｒを保留し続けることができる。第１のｓｒは、バッファステータスレポートに基づいてトリガされてもよい。
【０１９７】
一例では、無線デバイスが第２の要求構成の構成パラメータに従って第２の要求伝送のための有効なＰＵＣＣＨリソースを識別しない、例えば、第１のＰＵＣＣＨリソースが解放された場合、無線デバイスは、ビーム障害回復、または第１のランダムアクセスプロシージャのためのランダムアクセスプロシージャを開始することができる。無線デバイスは、第１の要求構成と関連付けられた第１の要求を保留し続けることができる。第１のｓｒは、バッファステータスレポートに基づいてトリガされてもよい。無線デバイスは、少なくとも第２のｓｒ構成と関連付けられた第２のｓｒをキャンセルすることができる。
【０１９８】
一例では、第１のカウンタが第１の伝送数以上の数を示す場合、無線デバイスは、ＢＦＲプロシージャを失敗して完了し得る。一例では、無線デバイスの下位層（例えば、ＭＡＣ層またはＰＨＹ層）は、無線デバイスの上位層（例えば、ＲＲＣ層）にＢＦＲプロシージャの失敗を示すことができる。一例では、無線デバイスは、第２の要求構成と関連付けられた第２の要求をキャンセルすることができる。一例では、無線デバイスは、少なくとも第１のｓｒ構成と関連付けられた第１の（保留状態の）ｓｒをキャンセルすることができる。第１のｓｒは、バッファステータスレポートに基づいてトリガされてもよい。
【０１９９】
一例では、第１のカウンタが第１の伝送数以上の数を示す場合、無線デバイスは、ビーム障害回復のためのランダムアクセスプロシージャを開始することができる。例えば、ビーム障害回復のためのランダムアクセスプロシージャは、図１７の例によって実装されてもよい。一例では、第１のカウンタが第１の伝送数以上の数を示すことに応答して、無線デバイスは、第２の要求構成と関連付けられた第２の要求をキャンセルすることができる。一例では、既存のＳＲ技術とは異なり、無線デバイスは、第１のカウンタが第１の伝送数以上の数を示すことに応答して、少なくとも第１のｓｒ構成と関連付けられた第１のｓｒを保留し続けることができる。第１のｓｒは、バッファステータスレポートに基づいてトリガされてもよい。例示的な実施形態により、無線デバイスは、無線デバイスがビーム障害回復のためのＳＲ伝送の最大数に達すると、バッファステータスレポートプロシージャのための第１のＳＲを保留し続け、および／またはビーム障害回復のための第２のＳＲをキャンセルすることができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０２００】
一例では、第１のカウンタが第１の伝送数以上の数を示す場合、無線デバイスは、第１のＰＵＣＣＨリソースを解放するように無線デバイスの上位層（例えば、ＲＲＣ）に通知し、すべてのＰＵＣＣＨリソースは、すべてのサービングセルに対し少なくとも第２のＰＵＣＣＨリソースを含むことができる。無線デバイスは、無線デバイスの上位層に通知して、すべてのサービングセルに対しＳＲＳを解放することができる。無線デバイスは、あらゆる構成されたダウンリンク割り当てとアップリンク許可もクリアすることができる。
【０２０１】
一例では、ｇＮＢは、第１のセットのＲＳおよび第２のセットのＲＳを示すパラメータを含む少なくとも１つのメッセージを伝送することができる。第１のセットのＲＳは、ｇＮＢがＰＤＣＣＨ／ＰＤＳＣＨを伝送するビームとＱＣＬされた１つ以上のビームを識別することができる。第２のセットのＲＳは、第１のセットのＲＳと関連付けられた１つ以上のビームが失敗したときに、無線デバイスが閾値よりも優れた品質の候補ビームを選択することができる１つ以上の候補ビームを識別することができる。
【０２０２】
一例では、少なくとも１つのメッセージは、ＢＦＲプロシージャと関連付けられた第１の要求構成の構成パラメータを含むことができる。第１の要求構成は、第１のＰＵＣＣＨリソース、リクエスト伝送の第１の周期性、および／または要求伝送の第１のオフセット、のうちの少なくとも１つと関連付けられてもよい。
【０２０３】
一例では、少なくとも１つのメッセージは、ＢＦＲプロシージャを伴うＰＲＡＣＨ構成の構成パラメータを含むことができる。構成パラメータは、第２のセットのＲＳからのＲＳインデックス、プリアンブルインデックス、時間リソースインデックス、周波数リソースインデックス、のうちの少なくとも１つを含むことができる。
【０２０４】
一例では、少なくとも１つのメッセージは、第１の値を有する第１のタイマ、第１の伝送数、第１の制御リソースセット、のうちの少なくとも１つを含むことができる。一例では、無線デバイスは、ＢＦＲプロシージャと関連付けられた第１のカウンタを維持することができる。第１のカウンタは、第１の値（例えば、ゼロ）に初期化されてもよい。
【０２０５】
一例では、無線デバイスが第１のセットのＲＳ上で少なくとも１つのビーム障害インスタンスを識別すると、無線デバイスは、第２のセットのＲＳから候補ビームを選択することができる。一例では、無線デバイスは、第１の要求のための第１のＰＵＣＣＨリソースと、ＰＲＡＣＨ構成のＰＲＡＣＨリソースと、の可用性に基づいて、第１の要求またはＰＲＡＣＨを（再）伝送するかどうかを決定することができる。ＰＲＡＣＨリソースは、プリアンブルインデックス、時間リソースインデックス、および周波数リソースインデックスを含むことができる。
【０２０６】
図２２は、実施形態の一例を示し、ＢＦＲプロシージャがトリガされることに応答して候補ビームが選択されると、無線デバイスは、候補ビームと関連付けられたＰＲＡＣＨリソースとの比較時に、第１の要求構成の第１のＰＵＣＣＨリソースが最初に利用可能である場合、第１の要求構成の第１の要求を（再）伝送することを決定することができる。例えば、無線デバイスは、第１の要求構成の第１のＰＵＣＣＨリソースとの比較時に、候補ビームと関連付けられたＰＲＡＣＨリソースが最初に利用可能である場合、ＰＲＡＣＨリソースを介してプリアンブルを（再）伝送することを決定することができる。例示的な実施形態により、無線デバイスは、ビーム障害回復要求メッセージの伝送または再伝送のためのＳＲリソースまたはＲＡＣＨリソースを選択することによって、ビーム障害回復プロシージャを行うことができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０２０７】
一例では、無線デバイスが第１の要求構成の第１の要求、またはＰＲＡＣＨを伝送するとき、無線デバイスは、第１のカウンタを（例えば、１だけ）インクリメントし、第１のタイマを開始することができる。一例では、第１のタイマが動作中である間、無線デバイスは、第１の制御リソースセット上のＰＤＣＣＨをモニタすることができる。ＰＤＣＣＨ上のＤＣＩを検出すると、無線デバイスは、ＢＦＲプロシージャを正常に完了することができる。
【０２０８】
一例では、第１のタイマが動作中である間にＤＣＩが検出されない場合、無線デバイスは、第１のＰＵＣＣＨリソースとＰＲＡＣＨ構成のＰＲＡＣＨリソースとの可用性に基づいて次の伝送機会を決定することができる。例えば、第１の要求の第１のＰＵＣＣＨリソースがＰＲＡＣＨリソースとの比較時に最初に利用可能である場合、無線デバイスは、次の伝送機会にＰＵＣＣＨ信号を伝送することを決定することができる。例えば、ＰＲＡＣＨリソースが第１の要求の第１のＰＵＣＣＨリソースとの比較時に最初に利用可能である場合、無線デバイスは、次の伝送機会にＰＲＡＣＨを伝送することを決定することができる。一例では、無線デバイスは、ＰＵＣＣＨ信号またはＰＲＡＣＨを伝送することに応答して、第１のカウンタを（例えば、１つずつ）インクリメントすることができる。例示的な実施形態により、無線デバイスは、ＳＲベースのビーム障害回復とＲＡＣＨベースのビーム障害回復とを単一のプロセスとして扱うことにより（例えば、ＲＡＣＨベースのビーム障害回復とＳＲベースのビーム障害回復との両方のための単一の再伝送カウンタを維持することにより）ビーム障害回復プロシージャを行うことができる。例示的な実施形態は、アップリンク伝送スペクトル効率を増大させ、ビーム障害回復の待ち時間を低減し、アップリンク伝送パワーを低減し、および／またはアップリンク伝送干渉を低減することができる。
【０２０９】
一例では、第１のカウンタが第１の伝送数以上の値を示す場合、無線デバイスは、ＢＦＲプロシージャを失敗して完了し得る。無線デバイスは、第１の要求構成の保留状態の要求をキャンセルすることができる。無線デバイスは、上位層（例えば、ＲＲＣ層）にＢＦＲの失敗を示すことができる。実施形態を実装することにより、無線デバイスは、ＢＦＲプロシージャの待ち時間を改善することができる。無線デバイスは、ＢＦＲ信号を伝送するために、より早い時間に利用可能であるアップリンクリソース（例えば、ＰＵＣＣＨリソースまたはＰＲＡＣＨリソース）を選択することができる。
【０２１０】
一例では、無線デバイスが、基地局から、セル（例えば、ＰＣｅｌｌまたはＳＣｅｌｌ）の構成パラメータを含む少なくとも１つのメッセージを受信することができる。構成パラメータは、少なくとも第１の要求構成と少なくとも第２のｓｒ構成とを示すことができる。一例では、少なくとも第１の要求構成は、１つ以上の第１のＰＵＣＣＨリソースによって識別されてもよい。少なくとも第２のｓｒ構成は、１つ以上の第２のＰＵＣＣＨリソースによって識別されてもよい。一例では、少なくとも第１の要求構成は、ＢＦＲプロシージャと関連付けられてもよい。一例では、少なくとも第２のｓｒ構成は、論理チャネルと関連付けられてもよい。
【０２１１】
一例では、無線デバイスは、ＢＦＲプロシージャがセル（例えば、ＰＣｅｌｌまたはＳＣｅｌｌ）上で開始されることに応答して、少なくとも第１のｓｒ構成の第１の要求をトリガすることができる。一例では、無線デバイスは、論理チャネルがＢＳＲをトリガすることと関連付けられた少なくとも第２のｓｒ構成の第２のｓｒをトリガすることができる。
【０２１２】
一例では、無線デバイスは、第１の要求をトリガすることに応答して、１つ以上の第１のＰＵＣＣＨリソースのうちの１つを介して第１の要求を伝送することができる。一例では、無線デバイスは、第２のｓｒをトリガすることに応答して、１つ以上の第２のＰＵＣＣＨリソースのうちの１つを介して第２のｓｒを伝送することができる。
【０２１３】
一例では、無線デバイスは、第１のダウンリンク制御情報を受信することに応答して、第１の要求をキャンセルすることができる。一例では、無線デバイスは、第１のダウンリンク制御情報を受信することに応答して、第２のｓｒを保留状態に保持することができる。
【０２１４】
一例では、少なくとも１つのメッセージは、少なくとも、１つ以上の第１のＲＳリソースおよび／または１つ以上の第２のＲＳリソースをさらに含むことができる。１つ以上の第２のＲＳリソースの各々は、１つ以上の第１のＰＵＣＣＨリソースの各々と関連付けられてもよい。
【０２１５】
一例では、少なくとも第１の要求構成は、少なくとも、第１のタイマ、第１の伝送アンバー、第１の周期性および第１のオフセットによって識別される第１の要求リソース構成インデックス、と関連付けられてもよい。一例では、少なくとも第２のｓｒ構成は、少なくとも、第２のタイマ、第２の伝送アンバー、第２の周期および第２のオフセットによって識別される関連付けられた第２のｓｒリソース構成インデックス、と関連付けられてもよい。
【０２１６】
一例では、ＢＦＲプロシージャを開始することは、第１の閾値よりも低い信号強度を有する１つ以上の第１のＲＳリソースに基づいて少なくとも１つのダウンリンク制御チャネルを測定することと、第２の閾値に基づいて１つ以上の第２のＲＳの中の選択されるＲＳを選択することと、を含むことができる。
【０２１７】
一例では、第１のＰＵＣＣＨリソースは、選択されたＲＳと関連付けられたＰＵＣＣＨリソースであってもよい。
【０２１８】
実施形態は、必要に応じて動作するように構成されてもよい。開示されたメカニズムは、例えば、無線デバイス、基地局、無線環境、ネットワーク、上記の組み合わせなどで、特定の基準が満たされるときに実行され得る。例示的な基準は、例えば、無線デバイスまたはネットワークノード構成、トラフィック負荷、初期システム設定、パケットサイズ、トラフィック特性、上記の組み合わせなどに少なくとも部分的に基づいてもよい。１つ以上の基準が満たされると、様々な例示的な実施形態が適用され得る。したがって、開示されたプロトコルを選択的に実装する例示的な実施形態を実装することが可能であり得る。
【０２１９】
基地局は、様々な無線デバイスと通信することができる。無線デバイスおよび／または基地局は、複数の技術、および／または同じ技術の複数のリリースをサポートすることができる。無線デバイスは、無線デバイスのカテゴリおよび／または能力に応じて、いくつかの特定の能力を有してもよい。基地局は、複数のセクタを含んでもよい。本開示が複数の無線デバイスと通信する基地局に言及する場合、本開示は、カバレッジエリア内の全無線デバイスのサブセットに言及し得る。本開示は、例えば、所定の能力を備え、基地局の所定のセクタにある、所定のＬＴＥまたは５Ｇリリースの複数の無線デバイスに言及し得る。本開示における複数の無線デバイスは、選択された複数の無線デバイス、および／または開示された方法などに従って実行するカバレッジエリア内の全無線デバイスのサブセットを指し得る。例えば、それらの無線デバイスまたは基地局は、ＬＴＥまたは５Ｇ技術のより古いリリースに基づいて実行されるため、開示された方法に準拠しない場合があるカバレッジエリアに複数の基地局または複数の無線デバイスが存在し得る。
【０２２０】
様々な実施形態によれば、例えば、無線デバイス、オフネットワーク無線デバイス、基地局、および／または同様のものなどのデバイスは、１つ以上のプロセッサと、メモリと、を備えることができる。メモリは、１つ以上のプロセッサによって実行されると、デバイスに一連のアクションを実行させる命令を格納し得る。例示的なアクションの実施形態は、添付の図および明細書に示されている。様々な実施形態からの特徴を組み合わせてさらなる実施形態を作り出すことができる。
【０２２１】
図２３は、本開示の実施形態の一態様による例示的な流れ図である。２３１０において、無線デバイスは、バッファステータスレポートプロシージャに基づく第１のスケジューリング要求（ＳＲ）を伝送し得る。２３３０で、ビーム障害回復を開始する（２３２０）ことに応答して、第２のＳＲがトリガされ得る。２３４０で、第２のＳＲは、第２のＳＲのために構成されたアップリンク制御チャネルリソースを介して伝送され得る。２３５０で、第１のダウンリンク制御情報は、第２のＳＲへの応答として、ダウンリンク制御チャネルを介して受信され得る。第１のダウンリンク制御情報を受信することに基づいて、２３６０で第１のＳＲが保留され続け、２３７０で、ビーム障害回復のための第２のＳＲがキャンセルされ得る。例示的な実施形態によれば、第２のＳＲをキャンセルする（２３７０）ことに応答して、２３８０で、ビーム障害回復が完了され得る。
【０２２２】
例示的な実施形態によれば、アップリンク制御チャネルリソースは、周波数無線リソースを含む。例示的な実施形態によれば、アップリンク制御チャネルリソースは、アップリンク制御チャネルフォーマットを含む。例示的な実施形態によれば、アップリンク制御チャネルリソースは、ベースシーケンスのサイクリックシフトを含む。例示的な実施形態によれば、アップリンク制御チャネルリソースは、時間無線リソースを含む。例示的な実施形態によれば、第１のダウンリンク制御情報は、ダウンリンク割り当てを含むことができる。例示的な実施形態によれば、第１のダウンリンク制御情報は、アップリンク許可を含むことができる。例示的な実施形態によれば、第１のＳＲを含む第１の複数のＳＲの第１の構成パラメータを含む１つ以上のメッセージが受信されてもよい。例示的な実施形態によれば、第２のＳＲの第２の構成パラメータを含む１つ以上のメッセージが受信されてもよい。例示的な実施形態によれば、無線デバイスは、第２の構成パラメータに基づいて第２のＳＲをトリガすることができる。例示的な実施形態によれば、第２の構成パラメータは、第２のＳＲのためのアップリンク制御チャネルリソースを示すことができる。例示的な実施形態によれば、無線デバイスは、ビーム障害インスタンス数を検出することに応答して、ビーム障害回復を開始することができる。例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、無線デバイスは、複数の基準信号から、ビーム障害回復を開始することに応答して１つ以上の第２の閾値に基づいて第１の基準信号をさらに選択することができる。例示的な実施形態によれば、第２のＳＲは、第１の基準信号の基準信号受信パワー値を示すことができる。例示的な実施形態によれば、第２のＳＲは、ビーム障害インスタンス数が検出されたことを示すことができる。例示的な実施形態によれば、第２のＳＲは、第１の基準信号が選択されたことを示すことができる。例示的な実施形態によれば、ダウンリンク制御チャネルは、第１のダウンリンク制御情報についてモニタされてもよい。例示的な実施形態によれば、無線デバイスは、ダウンリンク制御チャネルの少なくとも１つの制御リソースセット上のダウンリンク制御チャネルをモニタすることができる。例示的な実施形態によれば、無線デバイスは、ダウンリンク制御チャネルの少なくとも１つの探索空間上のダウンリンク制御チャネルをモニタすることができる。例示的な実施形態によれば、ダウンリンク制御チャネルは、第２のＳＲと関連付けられてもよい。例示的な実施形態によれば、第２のＳＲと関連付けられたダウンリンク制御チャネルは、第２のＳＲに基づいてダウンリンク制御チャネルの少なくとも１つの制御リソースセットが決定されることを含むことができる。例示的な実施形態によれば、第２のＳＲと関連付けられたダウンリンク制御チャネルは、第２のＳＲに基づいてダウンリンク制御チャネルの少なくとも１つの探索空間が決定されることを含むことができる。例示的な実施形態によれば、第１のＳＲは、第１のＳＲを保留状態に保持することに応答して、第１のＳＲのために構成された第２のアップリンク制御チャネルリソースを介して伝送されてもよい。例示的な実施形態によれば、１つ以上のアップリンク許可を含む１つ以上の第２のダウンリンク制御情報が第２のダウンリンク制御チャネルを介して受信されてもよいことをさらに含む。例示的な実施形態によれば、第１のＳＲは、アップリンク伝送に利用可能なデータに対応した１つ以上のアップリンク許可に応答してキャンセルされてもよい。
【０２２３】
図２４は、本開示の実施形態の一態様による例示的な流れ図である。２４１０で、無線デバイスは、バッファステータスレポートプロシージャに基づく第１のスケジューリング要求（ＳＲ）を伝送することができる。２４３０で、ビーム障害回復を開始する（２４２０）ことに基づいて、第２のＳＲがトリガされ得る。２４４０で、第２のＳＲが伝送され得る。２４５０で、第２のＳＲに応答して、第１のダウンリンク制御情報が受信され得る。第１のダウンリンク制御情報を受信することに基づいて、２４６０で第１のＳＲが保留され続け、２４７０で第２のＳＲがキャンセルされ得る。
【０２２４】
図２５は、本開示の実施形態の一態様に基づく、例示的な流れ図である。２５１０で、基地局は、１つ以上の無線リソース制御メッセージを伝送し得る。１つ以上の無線リソース制御メッセージは、セルの構成パラメータを含むことができる。セルは、ＰＣｅｌｌまたはＳＣｅｌｌであり得る。構成パラメータは、論理チャネルと関連付けられた第１のスケジューリング要求（ＳＲ）構成を示すことができる。構成パラメータは、ビーム障害回復と関連付けられた第２のＳＲ構成を示すことができる。２５２０で、第１のＳＲ構成に基づく第１のＳＲは、バッファステータスレポートプロシージャに基づく第１のアップリンク制御リソースを介して受信され得る。２５３０で、第２のＳＲ構成に基づく第２のＳＲは、ビーム障害回復のための第２のアップリンク制御リソースを介して受信され得る。２５４０で、ダウンリンク制御情報の伝送のために設定された制御リソースは、第２のＳＲへの応答として決定され得る。２５５０で、１つ以上のアップリンク許可を含むダウンリンク制御情報が、第１のＳＲおよび第２のＳＲに基づいて、制御リソースセット上のダウンリンク制御チャネルを介して伝送され得る。
【０２２５】
例示的な実施形態によれば、第１のＳＲ構成は、第１のアップリンク制御リソースを含むことができる。例示的な実施形態によれば、第２のＳＲ構成は、第２のアップリンク制御リソースを含むことができる。例示的な実施形態によれば、第１のアップリンク制御リソースは、第１の周波数無線リソースを含むことができる。例示的な実施形態によれば、第１のアップリンク制御リソースは、第１のアップリンク制御チャネルフォーマットを含むことができる。例示的な実施形態によれば、第１のアップリンク制御リソースは、基本シーケンスの第１のサイクリックシフトを含むことができる。例示的な実施形態によれば、第１のアップリンク制御リソースは、第１の時間無線リソースを含むことができる。例示的な実施形態によれば、第２のアップリンク制御リソースは、第２の周波数無線リソースを含むことができる。例示的な実施形態によれば、第２のアップリンク制御リソースは、第２のアップリンク制御チャネルフォーマットを含むことができる。例示的な実施形態によれば、第２のアップリンク制御リソースは、基本シーケンスの第２のサイクリックシフトを含むことができる。例示的な実施形態によれば、第２のアップリンク制御リソースは、第２の時間無線リソースを含むことができる。例示的な実施形態によれば、第２のＳＲは、第１の基準信号の基準信号受信パワー値を示すことができる。例示的な実施形態によれば、第２のＳＲは、ビーム障害インスタンス数が検出されたことを示すことができる。例示的な実施形態によれば、第２のＳＲは、第１の基準信号が選択されたことを示すことができる。例示的な実施形態によれば、無線デバイスが、ビーム障害インスタンス数を検出することに応答して、ビーム障害回復を開始することができる。例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、ビーム障害回復を開始することに応答して１つ以上の第２の閾値に基づいて、複数の基準信号から第１の基準信号が選択されてもよい。例示的な実施形態によれば、第２のＳＲは、第１の基準信号の基準信号受信パワー値を示すことができる。例示的な実施形態によれば、第２のＳＲは、ビーム障害インスタンス数が検出されたことを示すことができる。例示的な実施形態によれば、第２のＳＲは、第１の基準信号が選択されたことを示すことができる。
【０２２６】
図２６は、本開示の実施形態の一態様に基づく、例示的な流れ図である。２６１０で、論理チャネルと関連付けられた、第１のＳＲ構成に基づく第１のＳＲは、バッファステータスレポートプロシージャに基づいて第１のアップリンク制御リソースを介して受信され得る。２６２０で、ビーム障害回復と関連付けられた、第２のＳＲ構成に基づく第２のＳＲは、ビーム障害回復のための第２のアップリンク制御リソースを介して受信され得る。２６３０で、ダウンリンク制御情報の伝送のために設定された制御リソースは、第２のＳＲに応答して決定され得る。２６４０で、アップリンク許可を含むダウンリンク制御情報は、第１のＳＲおよび第２のＳＲに基づいて、制御リソースセットを介して伝送され得る。
【０２２７】
図２７は、本開示の実施形態の一態様に基づく、例示的な流れ図である。２７２０で、無線デバイスが、ビーム障害回復を開始する（２７１０）ことに応答して、スケジューリング要求をトリガすることができる。２７３０で、基準信号は、複数の基準信号から決定され得る。２７４０で、スケジューリング要求のアップリンク制御情報が、アップリンク制御チャネルリソースを介して伝送され得る。アップリンク制御情報は、基準信号を示す基準信号識別子を含むことができる。アップリンク制御情報は、基準信号の基準信号受信パワー値を含むことができる。２７５０で、アップリンク制御情報への応答として、ビーム障害回復と関連付けられた制御リソースセット上のダウンリンク制御チャネルを介してダウンリンク制御情報が受信され得る。２７６０で、スケジューリング要求は、ダウンリンク制御情報に基づいてキャンセルされ得る。２７８５で、ビーム障害回復は、スケジューリング要求をキャンセルすることに応答して完了され得る。
【０２２８】
例示的な実施形態によれば、無線デバイスは、１つ以上の閾値に基づいて基準信号を決定することができる。例示的な実施形態によれば、ビーム障害回復と関連付けられたスケジューリング要求構成の第１の構成パラメータを含む１つ以上のメッセージが受信されてもよい。第１の構成パラメータは、スケジューリング要求のためのアップリンク制御チャネルリソースを示すことができる。例示的な実施形態によれば、アップリンク制御チャネルリソースの１つ以上の構成パラメータは、周波数無線リソースを含むことができる。例示的な実施形態によれば、アップリンク制御チャネルリソースの１つ以上の構成パラメータは、アップリンク制御チャネルフォーマットを含むことができる。例示的な実施形態によれば、アップリンク制御チャネルリソースの１つ以上の構成パラメータは、ベースシーケンスのサイクリックシフトを含むことができる。例示的な実施形態によれば、アップリンク制御チャネルリソースの１つ以上の構成パラメータは、時間無線リソースを含むことができる。例示的な実施形態によれば、制御リソースセットの１つ以上の構成パラメータは、制御リソースセットインデックスを含むことができる。例示的な実施形態によれば、制御リソースセットの１つ以上の構成パラメータは、シンボル数を含むことができる。例示的な実施形態によれば、制御リソースセットの１つ以上の構成パラメータは、リソースブロックのセットを含むことができる。例示的な実施形態によれば、制御リソースセットの１つ以上の構成パラメータは、制御チャネル要素対リソース要素グループマッピング表示を含むことができる。例示的な実施形態によれば、ダウンリンク制御情報は、ダウンリンクトランスポートブロック伝送のためのダウンリンク無線リソース割り当てを含むことができる。例示的な実施形態によれば、ダウンリンク制御情報は、アップリンクトランスポートブロック伝送のためのアップリンク許可を含むことができる。例示的な実施形態によれば、無線デバイスは、ビーム障害インスタンス数を検出することに応答して、ビーム障害回復を開始することができる。例示的な実施形態によれば、無線デバイスは、１つ以上の基準信号リソースのチャネル品質が１つ以上の閾値よりも低いことに応答して、ビーム障害インスタンス数を検出することができる。例示的な実施形態によれば、ビーム障害回復と関連付けられたスケジューリング要求構成の第１の構成パラメータを含む１つ以上のメッセージが受信されてもよく、この場合に第１の構成パラメータは、ビーム障害回復のための制御リソースセットを示す。例示的な実施形態によれば、１つ以上のメッセージは、論理チャネルと関連付けられた少なくとも第２のスケジューリング要求構成の第２の構成パラメータを含むことができ、この場合に第２の構成パラメータは第２のアップリンク制御チャネルリソースを示す。例示的な実施形態によれば、第２のスケジューリング要求は、論理チャネルのバッファステータスレポートプロシージャのための少なくとも第２のスケジューリング要求構成に基づいて伝送されてもよい。例示的な実施形態によれば、無線デバイスは、第２のアップリンク制御チャネルリソースを介して第２のスケジューリング要求を伝送することができる。例示的な実施形態によれば、ダウンリンク制御チャネルは、ビーム障害回復のためのアップリンク制御情報を伝送することに応答して、制御リソースセット上で、応答ウィンドウでモニタされてもよい。例示的な実施形態によれば、応答ウィンドウの持続時間は、無線リソース制御メッセージに構成されてもよい。例示的な実施形態によれば、応答ウィンドウは、タイマ値を有するタイマを含むことができる。例示的な実施形態によれば、応答ウィンドウは、アップリンク制御情報を伝送することに応答して開始されてもよい。例示的な実施形態によれば、アップリンク制御情報は、応答ウィンドウ内で応答を受信しないことに応答して再伝送している可能性がある。例示的な実施形態によれば、要求カウンタは、応答ウィンドウ内で応答を受信しないことに応答してインクリメントされてもよい。例示的な実施形態によれば、スケジューリング要求は、要求カウンタが第１の値以上であることに応答してキャンセルされてもよい。例示的な実施形態によれば、ビーム障害回復は、スケジューリング要求をキャンセルすることに応答して完了されてもよい。
【０２２９】
図２８は、本開示の実施形態の一態様に基づく、例示的な流れ図である。２８２０で、無線デバイスは、ビーム障害回復を開始する（２８１０）ことに基づいてスケジューリング要求をトリガすることができる。２８３０で、複数の基準信号からの基準信号が決定され得る。２８４０で、スケジューリング要求のためのアップリンク制御情報は、アップリンク制御チャネルリソースを介して伝送され得る。２８５０で、アップリンク制御情報に基づくダウンリンク制御情報は、ビーム障害回復と関連付けられた制御リソースセットを介して受信され得る。２８６０で、スケジューリング要求は、ダウンリンク制御情報に基づいてキャンセルされ得る。２８７０で、ビーム障害回復は、スケジューリング要求をキャンセルすることに応答して完了され得る。
【０２３０】
図２９は、本開示の実施形態の一態様に基づく、例示的な流れ図である。２９１０で、無線デバイスは、バッファステータスレポートプロシージャに基づいて第１のスケジューリング要求（ＳＲ）を伝送することができる。２９３０で、第２のＳＲは、ビーム障害回復を開始する（２９２０）ことに応答してトリガされ得る。２９４０で、第２のＳＲは、第２のＳＲのために構成されたアップリンクリソースを介して伝送され得る。２９５０で、第１のダウンリンク制御情報は、第２のＳＲに応答して受信され得る。第１のダウンリンク制御情報がアップリンク許可を含む（２９６０）ことに基づいて、２９７０で、第１のＳＲがキャンセルされ得、２９８０で、ビーム障害回復のための第２のＳＲがキャンセルされ得る。
【０２３１】
例示的な実施形態によれば、アップリンクリソースは、周波数無線リソースを含むことができる。例示的な実施形態によれば、アップリンクリソースは、アップリンク制御チャネルフォーマットを含むことができる。例示的な実施形態によれば、アップリンクリソースは、ベースシーケンスのサイクリックシフトを含むことができる。例示的な実施形態によれば、アップリンクリソースは、時間無線リソースを含むことができる。例示的な実施形態によれば、ビーム障害回復は、第２のＳＲをキャンセルすることに応答して、完了されてもよい。例示的な実施形態によれば、第１のＳＲを含む第１の複数のＳＲの第１の構成パラメータを含む１つ以上のメッセージが受信されてもよい。例示的な実施形態によれば、第２のＳＲの第２の構成パラメータを含む１つ以上のメッセージが受信されてもよい。例示的な実施形態によれば、無線デバイスは、第２の構成パラメータに基づいて第２のＳＲをトリガすることができる。例示的な実施形態によれば、第２の構成パラメータは、第２のＳＲのためのアップリンク制御チャネルのアップリンクリソースを示すことができる。例示的な実施形態によれば、無線デバイスは、ビーム障害インスタンス数を検出することに応答して、ビーム障害回復を開始することができる。例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、第１の基準信号は、ビーム障害回復を開始することに応答して１つ以上の第２の閾値に基づいて、複数の基準信号から選択されてもよい。例示的な実施形態によれば、第２のＳＲは、第１の基準信号の基準信号受信パワー値を示すことができる。例示的な実施形態によれば、第２のＳＲは、ビーム障害インスタンス数が検出されたことを示すことができる。例示的な実施形態によれば、第２のＳＲは、第１の基準信号が選択されたことを示すことができる。例示的な実施形態によれば、ダウンリンク制御チャネルは、第１のダウンリンク制御情報についてモニタされてもよい。例示的な実施形態によれば、無線デバイスは、ダウンリンク制御チャネルの少なくとも１つの制御リソースセット上のダウンリンク制御チャネルをモニタすることができる。例示的な実施形態によれば、無線デバイスは、ダウンリンク制御チャネルの少なくとも１つの探索空間上のダウンリンク制御チャネルをモニタすることができる。例示的な実施形態によれば、ダウンリンク制御チャネルは、第２のＳＲと関連付けられてもよい。例示的な実施形態によれば、ダウンリンク制御チャネルは、ダウンリンク制御チャネルの少なくとも１つの制御リソースセットが第２のＳＲに基づいて決定されることを第２のＳＲが含むことと、関連付けられてもよい。例示的な実施形態によれば、ダウンリンク制御チャネルは、ダウンリンク制御チャネルの少なくとも１つの探索空間が第２のＳＲに基づいて決定されることを第２のＳＲが含むことと、関連付けられてもよい。
【０２３２】
図３０は、本開示の実施形態の一態様に基づく、例示的な流れ図である。３０１０で、無線デバイスは、バッファステータスレポートプロシージャに基づいて第１のスケジューリング要求（ＳＲ）を伝送することができる。３０３０で、第２のＳＲは、ビーム障害回復を開始する（３０２０）ことに応答してトリガされ得る。３０４０で、第２のＳＲは、第２のＳＲのために構成されたアップリンクリソースを介して伝送され得る。３０５０で、第１のダウンリンク制御情報は、第２のＳＲに応答して受信され得る。第１のダウンリンク制御情報がダウンリンク割り当てを含む（３０６０）ことに基づいて、３０７０で、第１のＳＲは保留され続け得、３０８０で、ビーム障害回復のための第２のＳＲはキャンセルされ得る。
【０２３３】
例示的な実施形態によれば、アップリンクリソースは、周波数無線リソースを含むことができる。例示的な実施形態によれば、アップリンクリソースは、アップリンク制御チャネルフォーマットを含むことができる。例示的な実施形態によれば、アップリンクリソースは、ベースシーケンスのサイクリックシフトを含むことができる。例示的な実施形態によれば、アップリンクリソースは、時間無線リソースを含むことができる。例示的な実施形態によれば、ビーム障害回復は、第２のＳＲをキャンセルすることに応答して、完了されてもよい。例示的な実施形態によれば、第１のＳＲを含む第１の複数のＳＲの第１の構成パラメータを含む１つ以上のメッセージが受信されてもよい。例示的な実施形態によれば、第２のＳＲの第２の構成パラメータを含む１つ以上のメッセージが受信されてもよい。例示的な実施形態によれば、無線デバイスは、第２の構成パラメータに基づいて第２のＳＲをトリガすることができる。例示的な実施形態によれば、第２の構成パラメータは、第２のＳＲのためのアップリンク制御チャネルのアップリンクリソースを示すことができる。例示的な実施形態によれば、無線デバイスは、ビーム障害インスタンス数を検出することに応答して、ビーム障害回復を開始することができる。例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、ビーム障害回復を開始することに応答して１つ以上の第２の閾値に基づく第１の基準信号が複数の基準信号から選択されてもよいことをさらに含む。例示的な実施形態によれば、第２のＳＲは、第１の基準信号の基準信号受信パワー値を示すことができる。例示的な実施形態によれば、第２のＳＲは、ビーム障害インスタンス数が検出されたことを示すことができる。例示的な実施形態によれば、第２のＳＲは、第１の基準信号が選択されたことを示すことができる。例示的な実施形態によれば、ダウンリンク制御チャネルが、第１のダウンリンク制御情報についてモニタされてもよい。例示的な実施形態によれば、無線デバイスは、ダウンリンク制御チャネルの少なくとも１つの制御リソースセット上のダウンリンク制御チャネルをモニタすることができる。例示的な実施形態によれば、無線デバイスは、ダウンリンク制御チャネルの少なくとも１つの探索空間上のダウンリンク制御チャネルをモニタすることができる。例示的な実施形態によれば、ダウンリンク制御チャネルは、第２のＳＲと関連付けられてもよい。例示的な実施形態によれば、第２のＳＲと関連付けられたダウンリンク制御チャネルがダウンリンク制御チャネルの少なくとも１つの制御リソースセットを含み得ることは、第２のＳＲに基づいて決定される。例示的な実施形態によれば、第２のＳＲと関連付けられたダウンリンク制御チャネルがダウンリンク制御チャネルの少なくとも１つの探索空間を含み得ることは、第２のＳＲに基づいて決定される。例示的な実施形態によれば、第１のＳＲは、第１のＳＲを保留状態に保持することに応答して、第１のＳＲのために構成された第２のアップリンク制御チャネルリソースを介して伝送されてもよい。例示的な実施形態によれば、１つ以上のアップリンク許可を含む１つ以上の第２のダウンリンク制御情報は、第２のダウンリンク制御チャネルを介して受信されてもよい。例示的な実施形態によれば、第１のＳＲは、アップリンク伝送に利用可能なデータに対応した１つ以上のアップリンク許可に応答してキャンセルされてもよい。
【０２３４】
図３１は、本開示の実施形態の一態様による流れ図の一例である。３１１０で、無線デバイスは、バッファステータスレポートプロシージャに基づいて第１のスケジューリング要求（ＳＲ）をトリガし得る。３１３０で、第２のＳＲは、ビーム障害回復を開始する（３１２０）ことに基づいてトリガされ得る。３１４０で、第２のＳＲは、第２のＳＲと関連付けられたアップリンクリソースを介して伝送され得る。３１５０で、ダウンリンク制御チャネルは、第２のＳＲへの応答についてモニタされ得る。ＳＲカウンタが第１の値以上である（３１６０）ことに基づいて、３１７０で、第２のＳＲがキャンセルされ得、３１８０で、第１のＳＲが保留され続け得、３１９０で、ビーム障害回復のためのランダムアクセスプロシージャが開始され得る。
【０２３５】
例示的な実施形態によれば、アップリンクリソースは、周波数無線リソースを含む。例示的な実施形態によれば、アップリンクリソースは、アップリンク制御チャネルフォーマットを含む。例示的な実施形態によれば、アップリンクリソースは、ベースシーケンスのサイクリックシフトを含む。例示的な実施形態によれば、アップリンクリソースは、時間無線リソースを含む。例示的な実施形態によれば、ビーム障害回復は、第２のＳＲをキャンセルすることに応答して完了されてもよいことををさらに含む。例示的な実施形態によれば、第１のＳＲを含む第１の複数のＳＲの第１の構成パラメータを含む１つ以上のメッセージが受信されてもよい。例示的な実施形態によれば、第２のＳＲの第２の構成パラメータを含む１つ以上のメッセージが受信されてもよい。例示的な実施形態によれば、無線デバイスは、第２の構成パラメータに基づいて第２のＳＲをトリガすることができる。例示的な実施形態によれば、第２の構成パラメータは、第２のＳＲのためのアップリンク制御チャネルのアップリンクリソースを示すことができる。例示的な実施形態によれば、無線デバイスは、ビーム障害インスタンス数を検出することに応答して、ビーム障害回復を開始することができる。例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、第１の基準信号は、ビーム障害回復を開始することに応答して、１つ以上の第２の閾値に基づいて、複数の基準信号から選択されてもよい。例示的な実施形態によれば、第２のＳＲは、第１の基準信号の基準信号受信パワー値を示すことができる。例示的な実施形態によれば、第２のＳＲは、ビーム障害インスタンス数が検出されたことを示すことができる。例示的な実施形態によれば、第２のＳＲは、第１の基準信号が選択されたことを示すことができる。例示的な実施形態によれば、ダウンリンク制御チャネルがモニタされてもよく、または応答。例示的な実施形態によれば、無線デバイスは、ダウンリンク制御チャネルの少なくとも１つの制御リソースセット上のダウンリンク制御チャネルをモニタすることができる。例示的な実施形態によれば、無線デバイスは、ダウンリンク制御チャネルの少なくとも１つの探索空間上のダウンリンク制御チャネルをモニタすることができる。例示的な実施形態によれば、ダウンリンク制御チャネルは、第２のＳＲと関連付けられてもよい。例示的な実施形態によれば、ダウンリンク制御チャネルがダウンリンク制御チャネルの少なくとも１つの制御リソースセットを含む第２のＳＲと関連付けられ得ることは、第２のＳＲに基づいて決定される。例示的な実施形態によれば、ダウンリンク制御チャネルがダウンリンク制御チャネルの少なくとも１つの探索空間を含む第２のＳＲと関連付けられ得ることは、第２のＳＲに基づいて決定される。例示的な実施形態によれば、無線デバイスは、応答ウィンドウでダウンリンク制御チャネルをモニタすることができる。例示的な実施形態によれば、応答ウィンドウのサイズは、ＲＲＣメッセージで構成されてもよい。例示的な実施形態によれば、ＳＲカウンタは、応答ウィンドウで応答を受信しないことに基づいてインクリメントされてもよい。例示的な実施形態によれば、第１のＳＲは、第１のＳＲを保留状態に保持することに応答して、第１のＳＲのために構成された第２のアップリンク制御チャネルリソースを介して伝送されてもよい。例示的な実施形態によれば、１つ以上のアップリンク許可を含む１つ以上の第２のダウンリンク制御情報は、第２のダウンリンク制御チャネルを介して受信されてもよい。例示的な実施形態によれば、第１のＳＲは、アップリンク伝送に利用可能なデータに対応した１つ以上のアップリンク許可に応答してキャンセルされてもよい。
【０２３６】
図３２は、本開示の実施形態の一態様による流れ図の一例である。３２２０で、無線デバイスは、ビーム障害インスタンス数を検出する（３２１０）ことに基づいてビーム障害回復を開始し得る。３２３０で、プリアンブルは、ランダムアクセスチャネルリソースを介して、およびビーム障害回復を開始することに応答して伝送され得る。３２４５で、要求伝送カウンタは、プリアンブルへの第１の応答を受信しない（３２４０）ことに応答してインクリメントされ得る。３２５０で、ビーム障害回復のためのアップリンク制御情報は、アップリンク制御チャネルリソースを介して伝送され得る。３２７０で、要求伝送カウンタは、アップリンク制御情報への第２の応答を受信しない（３２６０）ことに応答してインクリメントされ得る。３２９０で、ビーム障害回復は、要求伝送カウンタが第１の値以上である（３２８０）ことに応答して完了され得る。
【０２３７】
例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、アップリンク制御チャネルリソースは、周波数無線リソースを含むことができる。例示的な実施形態によれば、アップリンク制御チャネルリソースは、アップリンク制御チャネルフォーマットを含むことができる。例示的な実施形態によれば、アップリンク制御チャネルリソースは、ベースシーケンスのサイクリックシフトを含むことができる。例示的な実施形態によれば、アップリンク制御チャネルリソースは、時間無線リソースを含むことができる。例示的な実施形態によれば、１つ以上の第２の閾値に基づく第１の基準信号は、ビーム障害回復を開始することに応答して、複数の基準信号から選択されてもよい。例示的な実施形態によれば、ランダムアクセスチャネルリソースは、第１の基準信号と関連付けられてもよい。例示的な実施形態によれば、応答ウィンドウは、プリアンブルを伝送することに基づく第１の時間値で開始されてもよい。例示的な実施形態によれば、無線デバイスは、応答ウィンドウが満了すると、プリアンブルへの第１の応答を受信しないことに応答して、要求伝送カウンタをインクリメントすることができる。例示的な実施形態によれば、応答ウィンドウは、アップリンク制御情報を伝送することに応答して時間値で開始されてもよい。例示的な実施形態によれば、無線デバイスは、応答ウィンドウが満了すると、アップリンク制御情報への第２の応答を受信しないことに応答して、要求伝送カウンタをインクリメントすることができる。
【０２３８】
図３３は、本開示の実施形態の一態様による流れ図の一例である。３３２０で、プリアンブルは、ビーム障害回復を開始する（３３１０）ことに基づいて、ランダムアクセスチャネルリソースを介して伝送され得る。３３４０で、要求伝送カウンタは、プリアンブルへの第１の応答を受信しない（３３３０）ことに基づいて、インクリメントされ得る。３３５０で、ビーム障害回復のためのアップリンク制御情報は、アップリンク制御チャネルリソースを介して伝送され得る。３３７０で、ビーム障害回復は、要求伝送カウンタが第１の値以上である（３３６０）ことに基づいて完了され得る。
【０２３９】
図３４は、本開示の実施形態の一態様による流れ図の一例である。３４２０で、ビーム障害回復のためのプリアンブルは、第１のランダムアクセスチャネルリソースが第１のアップリンク制御チャネルリソースよりも早い（３４１０）ことに基づいて、第１のランダムアクセスチャネルリソースを介して伝送され得る。３４５０で、ビーム障害回復のためのアップリンク制御情報は、応答ウィンドウ中にプリアンブルへの応答を受信しない（３４３０）ことと、第２のアップリンク制御チャネルリソースが第２のランダムアクセスチャネルリソースよりも早い（３４４０）ことと、に基づいて、第２のアップリンク制御チャネルリソースを介して伝送され得る。
【０２４０】
例示的な実施形態によれば、第１のアップリンク制御チャネルリソースは、周波数無線リソースを含むことができる。例示的な実施形態によれば、第１のアップリンク制御チャネルリソースは、アップリンク制御チャネルフォーマットを含むことができる。例示的な実施形態によれば、第１のアップリンク制御チャネルリソースは、ベースシーケンスのサイクリックシフトを含むことができる。例示的な実施形態によれば、第１のアップリンク制御チャネルリソースは、時間無線リソースを含むことができる。例示的な実施形態によれば、応答ウィンドウは、プリアンブルを伝送することに応答して開始されてもよい。例示的な実施形態によれば、応答ウィンドウは、アップリンク制御情報を伝送することに応答して開始されてもよい。例示的な実施形態によれば、ビーム障害回復は、ビーム障害インスタンス数を検出することに基づいて開始されてもよい。例示的な実施形態によれば、無線デバイスは、１つ以上の基準信号リソースのチャネル品質が１つ以上の第１の閾値よりも低いことに応答して、ビーム障害インスタンス数を検出することができる。例示的な実施形態によれば、１つ以上の第２の閾値に基づく第１の基準信号は、ビーム障害回復を開始することに応答して、複数の基準信号から選択されてもよい。例示的な実施形態によれば、第１のランダムアクセスチャネルリソースは、第１の基準信号と関連付けられてもよい。例示的な実施形態によれば、第１のアップリンク制御チャネルリソースは、第１の基準信号と関連付けられてもよい。
【０２４１】
図３５は、本開示の実施形態の一態様による流れ図の一例である。３５２０で、無線デバイスは、ビーム障害インスタンス数を検出する（３５１０）ことに基づいて、ビーム障害回復を開始することができる。３５３０で、ビーム障害回復を開始する（３５２０）ことに応答して、第１のランダムアクセスチャネルリソースが第１のアップリンク制御チャネルリソースよりも早いという決定が行われ得る。３５４０で、ビーム障害回復のためのプリアンブルは、第１のランダムアクセスチャネルリソースを介して伝送され得る。３５５０で、ダウンリンク制御チャネルは、プリアンブルへの応答についてモニタされ得る。３５７０で、応答を受信しない（３５６０）ことに応答して、第２のアップリンク制御チャネルリソースが第２のランダムアクセスチャネルリソースよりも早いという決定が行われ得る。３５８０で、ビーム障害回復のためのアップリンク制御情報は、第２のアップリンク制御チャネルリソースを介して伝送され得る。
【０２４２】
本開示において、「ａ」および「ａｎ」ならびに同様のフレーズは、「少なくとも１つ」および「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続くフレーズが、様々な実施形態のうちの１つ以上に用いられるかもしれない、または用いられないかもしれないという多数の好適な可能性のうちの１つの例であることを暗示している。
【０２４３】
ＡおよびＢがセットであり、Ａのあらゆる要素もまた、Ｂの要素である場合、Ａは、Ｂのサブセットと呼ばれる。本明細書では、空でないセットおよびサブセットのみが考慮されている。例えば、Ｂ＝｛セル１、セル２｝の可能なサブセットは、｛セル１｝、｛セル２｝、および｛セル１、セル２｝である。「に基づいて」（または同等に「に少なくとも基づいて」）というフレーズは、用語「に基づいて」に続くフレーズが様々な実施形態の１つ以上に用いられる場合と用いられない場合とがある多数の好適な可能性の１つの例であることを示す。「に応答して」（または同等に「に少なくとも応答して」）というフレーズは、フレーズ「に応答して」に続くフレーズが様々な実施形態の１つ以上に用いられる場合と用いられない場合とがある多数の好適な可能性の１つの例であることを示す。フレーズ「に応じて」（または同等に「に少なくとも応じて」）は、フレーズ「に応じて」に続くフレーズが様々な実施形態の１つ以上に用いられる場合と用いられない場合とがある多数の好適な可能性の１つの例であることを示す。フレーズ「用いる／使用」（または同等に「少なくとも用いる／少なくとも使用」）は、フレーズ「用いる／使用」に続くフレーズが様々な実施形態の１つ以上に用いられる場合と用いられない場合とがある多数の好適な可能性の１つの例であることを示す。
【０２４４】
用語「構成された」は、デバイスが動作状態にあるか非動作状態にあるかにかかわらず、デバイスの容量に関連する場合がある。「構成された」とは、デバイスが動作状態にあるか非動作状態にあるかにかかわらず、デバイスの動作特性に影響するデバイスの特定の設定を指す場合もある。換言すれば、ハードウェア、ソフトウェア、ファームウェア、レジスタ、メモリ値などは、デバイスが特定の特性を提供するために、デバイスが動作状態または非動作状態にあるかどうかにかかわらず、デバイス内で「構成され」得る。「デバイスにおいて発生する制御メッセージ」などの用語は、デバイスが動作状態か非動作状態かにかかわらず、制御メッセージがデバイスにおける特定の特性を構成するために使用することができるまたはデバイスにおける特定のアクションを実装するために使用することができるパラメータを有することを意味し得る。
【０２４５】
本開示では、様々な実施形態が開示されている。開示された例示的な実施形態からの制限、特徴、および／または要素が組み合わせられ、本開示の範囲内でさらなる実施形態を作成することができる。
【０２４６】
本開示では、パラメータ（または同等にフィールド、または情報要素：ＩＥと呼ばれる）は、１つ以上の情報オブジェクトを含むことができ、情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な実施形態において、１つ以上のメッセージが複数のパラメータを含むとき、それは、複数のパラメータのうちの１つのパラメータが、１つ以上のメッセージのうちの少なくとも１つに含まれるが、１つ以上のメッセージの各々に含まれる必要はないことを意味する。
【０２４７】
さらにまた、上記で提示された多くの特徴は、「ｍａｙ」の使用または括弧の使用により任意選択であるものとして説明されている。簡潔さおよび読みやすさのために、本開示は、任意選択の特徴のセットから選択することによって得られ得るありとあらゆる変更を明示的に記載していない。しかしながら、本開示は、そのようなすべての変更を明示的に開示していると解釈されるべきである。例えば、３つの任意選択の特徴を有するものとして説明されたシステムは、７つの異なる方式、すなわち、３つの可能な特徴の１つのみ、３つの特徴のいずれか２つ、または３つの特徴の３つすべてによって具現化されることができる。
【０２４８】
開示される実施形態で説明される要素の多くは、モジュールとして実装されてもよい。ここでモジュールは、定義された機能を実行し、他の要素への定義されたインターフェースを有する要素として定義される。本開示で説明されるモジュールは、ハードウェア、ハードウェアと組み合わせたソフトウェア、ファームウェア、ウェットウェア（すなわち、生物学的要素を備えたハードウェア）、またはそれらの組み合わせで実装されてもよく、それらのすべては、挙動的に等価とすることができる。例えば、モジュールは、ハードウェアマシン（Ｃ、Ｃ＋＋、Ｆｏｒｔｒａｎ、Ｊａｖａ（登録商標）、Ｂａｓｉｃ、Ｍａｔｌａｂなど）もしくはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔで実行されるように構成されたコンピュータ言語で記述されたソフトウェアルーチンで実装されてもよい。さらに、ディスクリートまたはプログラム可能なアナログ、デジタル、および／または量子ハードウェアを組み込む物理ハードウェアを使用してモジュールを実装することも可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、コンプレックスプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、ＣＰＬＤは、多くの場合、プログラマブルデバイスの機能が少ない内部ハードウェアモジュール間の接続を構成するＶＨＳＩＣハードウェア記述言語（ＶＨＤＬ）またはＶｅｒｉｌｏｇなどのハードウェア記述言語（ＨＤＬ）を使用してプログラムされる。機能モジュールの結果を達成するために、上記の技術がしばしば組み合わせて使用される。
【０２４９】
この特許文書の開示には、著作権保護の対象となる資料が組み込まれている。著作権所有者は、特許商標局の特許ファイルまたは記録にあるように、法律で要求される限られた目的のために、特許文書または特許開示の誰しもによるファクシミリ複製に異議を唱えないが、それ以外はあらゆるすべての著作権を留保する。
【０２５０】
様々な実施形態が上記で説明されてきたが、それらは例として提示されており、限定ではないことを理解されたい。当業者には、範囲から逸脱することなく、形態および詳細の様々な変更を行うことができることは明らかであろう。実際、上記の明細書を読んだ後、代替の実施形態を実装する方法が関連技術分野の当業者に明らかになるであろう。したがって、本実施形態は、上述の例示的な実施形態のいずれによっても限定されるべきではない。
【０２５１】
さらに、機能と利点を強調するいかなる図も、例示のみを目的として提示されていることを理解する必要がある。開示されたアーキテクチャは、示されている以外の方式で利用することができるように、十分に柔軟で構成可能である。例えば、いかなるフローチャートにリストされたアクションも、いくつかの実施形態で並べ替えられ、または任意選択としてのみ使用されてもよい。
【０２５２】
さらに、本開示の要約の目的は、米国特許商標庁および一般大衆、特に特許または法的用語または専門語に精通していない当該技術分野の科学者、技術者および実務家が、一瞥して本出願の技術的な開示の性質と本質を迅速に判断できるようにすることである。本開示の要約は、多少なりとも範囲を限定することを意図するものではない。
【０２５３】
最後に、米国特許法第１１２条の下で、「のための手段」または「のためのステップ」という表現を含む特許請求の範囲のみが解釈されることが出願人の意図である。「する手段」または「するステップ」というフレーズを明示的に含まない特許請求の範囲は、米国特許法第１１２条に基づいて解釈されるべきではない。
【図１】
2021512553.tif 000003
【図２Ａ】
2021512553.tif 000004
【図２Ｂ】
2021512553.tif 000005
【図３】
2021512553.tif 000006
【図４】
2021512553.tif 000007
【図５Ａ】
2021512553.tif 000008
【図５Ｂ】
2021512553.tif 000009
【図６】
2021512553.tif 000010
【図７Ａ】
2021512553.tif 000011
【図７Ｂ】
2021512553.tif 000012
【図８】
2021512553.tif 000013
【図９Ａ】
2021512553.tif 000014
【図９Ｂ】
2021512553.tif 000015
【図１０】
2021512553.tif 000016
【図１１Ａ】
2021512553.tif 000017
【図１１Ｂ】
2021512553.tif 000018
【図１２】
2021512553.tif 000019
【図１３】
2021512553.tif 000020
【図１４】
2021512553.tif 000021
【図１５】
2021512553.tif 000022
【図１６Ａ】
2021512553.tif 000023
【図１６Ｂ】
2021512553.tif 000024
【図１７】
2021512553.tif 000025
【図１８】
2021512553.tif 000026
【図１９】
2021512553.tif 000027
【図２０】
2021512553.tif 000028
【図２１】
2021512553.tif 000029
【図２２】
2021512553.tif 000030
【図２３】
2021512553.tif 000031
【図２４】
2021512553.tif 000032
【図２５】
2021512553.tif 000033
【図２６】
2021512553.tif 000034
【図２７】
2021512553.tif 000035
【図２８】
2021512553.tif 000036
【図２９】
2021512553.tif 000037
【図３０】
2021512553.tif 000038
【図３１】
2021512553.tif 000039
【図３２】
2021512553.tif 000040
【図３３】
2021512553.tif 000041
【図３４】
2021512553.tif 000042
【図３５】
2021512553.tif 000043
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンク制御チャネルリソースを介して前記第２のＳＲを伝送することと、
ダウンリンク制御チャネルを介して、前記第２のＳＲへの応答として第１のダウンリンク制御情報を受信することと、
前記第１のダウンリンク制御情報を受信することに基づいて、
前記第１のＳＲを保留状態に保持し、かつ
前記ビーム障害回復のための前記第２のＳＲをキャンセルすることと
を含む、方法。
【請求項２】
前記アップリンク制御チャネルリソースが、
周波数無線リソースと、
アップリンク制御チャネルフォーマットと、
基本シーケンスのサイクリックシフトと、
時間無線リソースと
のうちの少なくとも１つを含む、請求項１に記載の方法。
【請求項３】
前記第１のダウンリンク制御情報が、ダウンリンク割り当てを含む、請求項１に記載の方法。
【請求項４】
前記第１のダウンリンク制御情報が、アップリンク許可を含む、請求項１に記載の方法。
【請求項５】
前記第２のＳＲをキャンセルすることに応答して、前記ビーム障害回復を完了することをさらに含む、請求項１に記載の方法。
【請求項６】
前記第１のＳＲを含む第１の複数のＳＲの第１の構成パラメータと、
前記第２のＳＲの第２の構成パラメータと
のうちの少なくとも一方を含む１つ以上のメッセージを受信することをさらに含む、請求項１に記載の方法。
【請求項７】
前記無線デバイスが、前記第２の構成パラメータに基づいて前記第２のＳＲをトリガする、請求項６に記載の方法。
【請求項８】
前記第２の構成パラメータが、前記第２のＳＲのための前記アップリンク制御チャネルリソースを示す、請求項６に記載の方法。
【請求項９】
前記無線デバイスが、ビーム障害インスタンス数を検出することに応答して、前記ビーム障害回復を開始する、請求項１に記載の方法。
【請求項１０】
前記無線デバイスは、１つ以上の基準信号リソースのチャネル品質が１つ以上の第１の閾値よりも低いことに応答して、前記ビーム障害インスタンス数を検出する、請求項９に記載の方法。
【請求項１１】
複数の基準信号から、前記ビーム障害回復を開始することに応答して１つ以上の第２の閾値に基づいて第１の基準信号を選択することをさらに含む、請求項９に記載の方法。
【請求項１２】
前記第２のＳＲが、前記第１の基準信号の基準信号受信パワー値を示す、請求項１１に記載の方法。
【請求項１３】
前記第２のＳＲが、
前記ビーム障害インスタンス数が検出されることと、
前記第１の基準信号が選択されることと
のうちの少なくとも一方を示す、請求項１１に記載の方法。
【請求項１４】
前記第１のダウンリンク制御情報について前記ダウンリンク制御チャネルをモニタすることをさらに含む、請求項１に記載の方法。
【請求項１５】
前記無線デバイスが、
前記ダウンリンク制御チャネルの少なくとも１つの制御リソースセットと、
前記ダウンリンク制御チャネルの少なくとも１つの探索空間と
に関して前記ダウンリンク制御チャネルをモニタする、請求項１４に記載の方法。
【請求項１６】
前記ダウンリンク制御チャネルが、前記第２のＳＲと関連付けられる、請求項１４に記載の方法。
【請求項１７】
前記ダウンリンク制御チャネルが前記第２のＳＲと関連付けられることが、
前記第２のＳＲに基づいて前記ダウンリンク制御チャネルの少なくとも１つの制御リソースセットが決定されることと、
前記第２のＳＲに基づいて前記ダウンリンク制御チャネルの少なくとも１つの探索空間が決定されることと
のうちの少なくとも一方を含む、請求項１６に記載の方法。
【請求項１８】
前記第１のＳＲを保留状態に保持することに応答して、前記第１のＳＲのために構成された第２のアップリンク制御チャネルリソースを介して前記第１のＳＲを伝送することをさらに含む、請求項１に記載の方法。
【請求項１９】
第２のダウンリンク制御チャネルを介して、１つ以上のアップリンク許可を含む１つ以上の第２のダウンリンク制御情報を受信することをさらに含む、請求項１８に記載の方法。
【請求項２０】
前記１つ以上のアップリンク許可がアップリンク伝送に利用可能なデータに対応していることに応答して、前記第１のＳＲをキャンセルすることをさらに含む、請求項１９に記載の方法。
【手続補正２】
【補正対象書類名】明細書
【補正対象項目名】０００２
【補正方法】変更
【補正の内容】
【０００２】
本開示の例示的な実施形態は、ビーム障害回復プロシージャの動作を可能にする。本明細書で開示される技術の実施形態は、マルチキャリア通信システムの技術分野で用いられてもよい。より具体的には、本明細書で開示される技術の実施形態は、マルチキャリア通信システムにおけるビーム障害回復プロシージャに関連してもよい。
本発明は、例えば、以下を提供する。
（項目１）
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンク制御チャネルリソースを介して前記第２のＳＲを伝送することと、
ダウンリンク制御チャネルを介して、前記第２のＳＲへの応答として第１のダウンリンク制御情報を受信することと、
前記第１のダウンリンク制御情報を受信することに基づいて、
前記第１のＳＲを保留状態に保持し、かつ
前記ビーム障害回復のための前記第２のＳＲをキャンセルすることと、を含む、方法。
（項目２）
前記アップリンク制御チャネルリソースが、
周波数無線リソースと、
アップリンク制御チャネルフォーマットと、
基本シーケンスのサイクリックシフトと、
時間無線リソースと、のうちの少なくとも１つを含む、項目１に記載の方法。
（項目３）
前記第１のダウンリンク制御情報が、ダウンリンク割り当てを含む、項目１に記載の方法。
（項目４）
前記第１のダウンリンク制御情報が、アップリンク許可を含む、項目１に記載の方法。
（項目５）
前記第２のＳＲをキャンセルすることに応答して、前記ビーム障害回復を完了することをさらに含む、項目１に記載の方法。
（項目６）
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、項目１に記載の方法。
（項目７）
前記無線デバイスが、前記第２の構成パラメータに基づいて前記第２のＳＲをトリガする、項目６に記載の方法。
（項目８）
前記第２の構成パラメータが、前記第２のＳＲのための前記アップリンク制御チャネルリソースを示す、項目６に記載の方法。
（項目９）
前記無線デバイスが、ビーム障害インスタンス数を検出することに応答して、前記ビーム障害回復を開始する、項目１に記載の方法。
（項目１０）
前記無線デバイスは、１つ以上の基準信号リソースのチャネル品質が１つ以上の第１の閾値よりも低いことに応答して、前記ビーム障害インスタンス数を検出する、項目９に記載の方法。
（項目１１）
複数の基準信号から、前記ビーム障害回復を開始することに応答して１つ以上の第２の閾値に基づいて第１の基準信号を選択することをさらに含む、項目９に記載の方法。
（項目１２）
前記第２のＳＲが、前記第１の基準信号の基準信号受信パワー値を示す、項目１１に記載の方法。
（項目１３）
前記第２のＳＲが、
前記ビーム障害インスタンス数が検出されることと、
前記第１の基準信号が選択されることと、のうちの少なくとも一方を示す、項目１１に記載の方法。
（項目１４）
前記第１のダウンリンク制御情報について前記ダウンリンク制御チャネルをモニタすることをさらに含む、項目１に記載の方法。
（項目１５）
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、項目１４に記載の方法。
（項目１６）
前記ダウンリンク制御チャネルが、前記第２のＳＲと関連付けられる、項目１４に記載の方法。
（項目１７）
前記ダウンリンク制御チャネルが前記第２のＳＲと関連付けられることが、
前記第２のＳＲに基づいて前記ダウンリンク制御チャネルの少なくとも１つの制御リソースセットが決定されることと、
前記第２のＳＲに基づいて前記ダウンリンク制御チャネルの少なくとも１つの探索空間が決定されることと、のうちの少なくとも一方を含む、項目１６に記載の方法。
（項目１８）
前記第１のＳＲを保留状態に保持することに応答して、前記第１のＳＲのために構成された第２のアップリンク制御チャネルリソースを介して前記第１のＳＲを伝送することをさらに含む、項目１に記載の方法。
（項目１９）
第２のダウンリンク制御チャネルを介して、１つ以上のアップリンク許可を含む１つ以上の第２のダウンリンク制御情報を受信することをさらに含む、項目１８に記載の方法。
（項目２０）
前記１つ以上のアップリンク許可がアップリンク伝送に利用可能なデータに対応していることに応答して、前記第１のＳＲをキャンセルすることをさらに含む、項目１９に記載の方法。
（項目２１）
方法であって、
無線デバイスによって、バッファステータスレポートプロシージャに基づく第１のスケジューリング要求（ＳＲ）を伝送することと、
ビーム障害回復を開始することに基づいて、第２のＳＲをトリガすることと、
前記第２のＳＲを伝送することと、
前記第２のＳＲに応答して第１のダウンリンク制御情報を受信することと、
前記第１のダウンリンク制御情報を受信することに基づいて、
前記第１のＳＲを保留状態に保持し、かつ
前記第２のＳＲをキャンセルすることと、を含む、方法。
（項目２２）
無線デバイスであって、
１つ以上のプロセッサと、
命令を記憶するメモリと、を備え、前記命令は、前記１つ以上のプロセッサによって実行されると、前記無線デバイスに、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンク制御チャネルリソースを介して前記第２のＳＲを伝送することと、
ダウンリンク制御チャネルを介して、前記第２のＳＲへの応答として第１のダウンリンク制御情報を受信することと、
前記第１のダウンリンク制御情報に基づいて、
前記第１のＳＲを保留状態に保持し、かつ
前記ビーム障害回復のための前記第２のＳＲをキャンセルすることと、を行わせる、無線デバイス。
（項目２３）
方法であって、
基地局によって、セルの構成パラメータを含む１つ以上の無線リソース制御メッセージを伝送することであって、前記構成パラメータが、
論理チャネルと関連付けられた第１のスケジューリング要求（ＳＲ）構成と、
ビーム障害回復と関連付けられた第２のＳＲ構成と、を示す、伝送することと、
バッファステータスレポートプロシージャに基づく第１のアップリンク制御リソースを介して前記第１のＳＲ構成に基づく第１のＳＲを受信することと、
ビーム障害回復のための第２のアップリンク制御リソースを介して前記第２のＳＲ構成に基づく第２のＳＲを受信することと、
前記第２のＳＲへの応答としてダウンリンク制御情報の伝送のための制御リソースセットを決定することと、
前記第１のＳＲおよび前記第２のＳＲに基づいて、前記制御リソースセット上のダウンリンク制御チャネルを介して、１つ以上のアップリンク許可を含む前記ダウンリンク制御情報を伝送することと、を含む、方法。
（項目２４）
前記第１のＳＲ構成が、前記第１のアップリンク制御リソースを含む、項目２３に記載の方法。
（項目２５）
前記第２のＳＲ構成が、前記第２のアップリンク制御リソースを含む、項目２３に記載の方法。
（項目２６）
前記第１のアップリンク制御リソースが、
第１の周波数無線リソースと、
第１のアップリンク制御チャネルフォーマットと、
基本シーケンスの第１のサイクリックシフトと、
第１の時間無線リソースと、のうちの少なくとも１つを含む、項目２３に記載の方法。
（項目２７）
前記第２のアップリンク制御リソースが、
第２の周波数無線リソースと、
第２のアップリンク制御チャネルフォーマットと、
基本シーケンスの第２のサイクリックシフトと、
第２の時間無線リソースと、のうちの少なくとも１つを含む、項目２３に記載の方法。
（項目２８）
前記第２のＳＲが、第１の基準信号の基準信号受信パワー値を示す、項目２３に記載の方法。
（項目２９）
前記第２のＳＲが、
ビーム障害インスタンス数が検出されることと、
第１の基準信号が選択されることと、のうちの少なくとも一方を示す、項目２３に記載の方法。
（項目３０）
ビーム障害インスタンス数を検出することに応答して、無線デバイスが前記ビーム障害回復を開始することをさらに含む、項目２３に記載の方法。
（項目３１）
前記無線デバイスは、１つ以上の基準信号リソースのチャネル品質が１つ以上の第１の閾値よりも低いことに応答して、前記ビーム障害インスタンス数を検出する、項目３０に記載の方法。
（項目３２）
複数の基準信号から、前記ビーム障害回復を開始することに応答して１つ以上の第２の閾値に基づいて第１の基準信号を選択することをさらに含む、項目３０に記載の方法。
（項目３３）
前記第２のＳＲが、前記第１の基準信号の基準信号受信パワー値を示す、項目３２に記載の方法。
（項目３４）
前記第２のＳＲが、
前記ビーム障害インスタンス数が検出されることと、
前記第１の基準信号が選択されることと、のうちの少なくとも一方を示す、項目３２に記載の方法。
（項目３５）
方法であって、
バッファステータスレポートプロシージャに基づく第１のアップリンク制御リソースを介して、論理チャネルと関連付けられた第１のＳＲ構成に基づく第１のＳＲを受信することと、
ビーム障害回復のための第２のアップリンク制御リソースを介して、ビーム障害回復と関連付けられた第２のＳＲ構成に基づく第２のＳＲを受信することと、
前記第２のＳＲに応答してダウンリンク制御情報の伝送のための制御リソースセットを決定することと、
前記第１のＳＲおよび前記第２のＳＲに基づいて、かつ前記制御リソースセットを介して、アップリンク許可を含む前記ダウンリンク制御情報を伝送することと、を含む、方法。
（項目３６）
方法であって、
無線デバイスによって、ビーム障害回復を開始することに応答して、スケジューリング要求をトリガすることと、
複数の基準信号から基準信号を決定することと、
アップリンク制御チャネルリソースを介して、前記スケジューリング要求のためのアップリンク制御情報を伝送することであって、前記アップリンク制御情報が、
前記基準信号を示す基準信号識別子と、
前記基準信号の基準信号受信パワー値と、のうちの少なくとも一方を含む、伝送することと、
前記ビーム障害回復と関連付けられた制御リソースセット上のダウンリンク制御チャネルを介して、前記アップリンク制御情報への応答としてダウンリンク制御情報を受信することと、
前記ダウンリンク制御情報に基づいて、前記スケジューリング要求をキャンセルすることと、
前記スケジューリング要求をキャンセルすることに応答して、前記ビーム障害回復を完了することと、を含む、方法。
（項目３７）
前記無線デバイスが、１つ以上の閾値に基づいて前記基準信号を決定する、項目３６に記載の方法。
（項目３８）
前記ビーム障害回復と関連付けられたスケジューリング要求構成の第１の構成パラメータを含む１つ以上のメッセージを受信することをさらに含み、前記第１の構成パラメータが、前記スケジューリング要求のための前記アップリンク制御チャネルリソースを示す、項目３６に記載の方法。
（項目３９）
前記アップリンク制御チャネルリソースの１つ以上の構成パラメータが、
周波数無線リソースと、
アップリンク制御チャネルフォーマットと、
基本シーケンスのサイクリックシフトと、
時間無線リソースと、のうちの少なくとも１つを含む、項目３６に記載の方法。
（項目４０）
前記制御リソースセットの１つ以上の構成パラメータが、
制御リソースセットインデックスと、
シンボル数と、
リソースブロックのセットと、
制御チャネル要素対リソース要素グループマッピング表示と、のうちの少なくとも１つを含む、項目３６に記載の方法。
（項目４１）
前記ダウンリンク制御情報が、ダウンリンクトランスポートブロック伝送のためのダウンリンク無線リソース割り当てを含む、項目３６に記載の方法。
（項目４２）
前記ダウンリンク制御情報が、アップリンクトランスポートブロック伝送のためのアップリンク許可を含む、項目３６に記載の方法。
（項目４３）
前記無線デバイスが、ビーム障害インスタンス数を検出することに応答して、前記ビーム障害回復を開始する、項目３６に記載の方法。
（項目４４）
前記無線デバイスは、１つ以上の基準信号リソースのチャネル品質が１つ以上の閾値よりも低いことに応答して、前記ビーム障害インスタンス数を検出する、項目４３に記載の方法。
（項目４５）
前記ビーム障害回復と関連付けられたスケジューリング要求構成の第１の構成パラメータを含む１つ以上のメッセージを受信することをさらに含み、前記第１の構成パラメータが、前記ビーム障害回復のための前記制御リソースセットを示す、項目３６に記載の方法。
（項目４６）
前記１つ以上のメッセージが、論理チャネルと関連付けられた少なくとも第２のスケジューリング要求構成の第２の構成パラメータをさらに含み、前記第２の構成パラメータが、第２のアップリンク制御チャネルリソースを示す、項目４５に記載の方法。
（項目４７）
前記論理チャネルのバッファステータスレポートプロシージャのための前記少なくとも第２のスケジューリング要求構成に基づいて第２のスケジューリング要求を伝送することをさらに含む、項目４６に記載の方法。
（項目４８）
前記無線デバイスが、前記第２のアップリンク制御チャネルリソースを介して前記第２のスケジューリング要求を伝送する、項目４７に記載の方法。
（項目４９）
前記ビーム障害回復のための前記アップリンク制御情報を伝送することに応答して、応答ウィンドウで、前記制御リソースセット上の前記ダウンリンク制御チャネルをモニタすることをさらに含む、項目３６に記載の方法。
（項目５０）
前記応答ウィンドウの持続時間が、無線リソース制御メッセージに構成されている、項目４９に記載の方法。
（項目５１）
前記応答ウィンドウが、タイマ値を有するタイマを含む、項目４９に記載の方法。
（項目５２）
前記アップリンク制御情報を伝送することに応答して前記応答ウィンドウを開始することをさらに含む、項目４９に記載の方法。
（項目５３）
前記応答ウィンドウ内で前記応答を受信しないことに応答して、前記アップリンク制御情報を再伝送することをさらに含む、項目５２に記載の方法。
（項目５４）
前記応答ウィンドウ内で前記応答を受信しないことに応答して、要求カウンタをインクリメントすることをさらに含む、項目５２に記載の方法。
（項目５５）
前記要求カウンタが第１の値以上であることに応答して、前記スケジューリング要求をキャンセルすることをさらに含む、項目５４に記載の方法。
（項目５６）
前記スケジューリング要求をキャンセルすることに応答して、前記ビーム障害回復を完了することをさらに含む、項目５５に記載の方法。
（項目５７）
方法であって、
無線デバイスによって、ビーム障害回復を開始することに基づいてスケジューリング要求をトリガすることと、
複数の基準信号から基準信号を決定することと、
アップリンク制御チャネルリソースを介して、前記スケジューリング要求のためのアップリンク制御情報を伝送することと、
前記ビーム障害回復と関連付けられた制御リソースセットを介して、前記アップリンク制御情報に基づくダウンリンク制御情報を受信することと、
前記ダウンリンク制御情報に基づいて、前記スケジューリング要求をキャンセルすることと、
前記スケジューリング要求をキャンセルすることに応答して、前記ビーム障害回復を完了することと、を含む、方法。
（項目５８）
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンクリソースを介して前記第２のＳＲを伝送することと、
前記第２のＳＲに応答して第１のダウンリンク制御情報を受信することと、
前記第１のダウンリンク制御情報がアップリンク許可を含むことに基づいて、
前記第１のＳＲをキャンセルし、かつ
前記ビーム障害回復のための前記第２のＳＲをキャンセルすることと、を含む、方法。
（項目５９）
前記アップリンクリソースが、
周波数無線リソースと、
アップリンク制御チャネルフォーマットと、
基本シーケンスのサイクリックシフトと、
時間無線リソースと、のうちの少なくとも１つを含む、項目５８に記載の方法。
（項目６０）
前記第２のＳＲをキャンセルすることに応答して、前記ビーム障害回復を完了することをさらに含む、項目５８に記載の方法。
（項目６１）
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、項目５８に記載の方法。
（項目６２）
前記無線デバイスが、前記第２の構成パラメータに基づいて前記第２のＳＲをトリガする、項目６１に記載の方法。
（項目６３）
前記第２の構成パラメータが、前記第２のＳＲのためのアップリンク制御チャネルの前記アップリンクリソースを示す、項目６１に記載の方法。
（項目６４）
前記無線デバイスが、ビーム障害インスタンス数を検出することに応答して、前記ビーム障害回復を開始する、項目５８に記載の方法。
（項目６５）
前記無線デバイスは、１つ以上の基準信号リソースのチャネル品質が１つ以上の第１の閾値よりも低いことに応答して、前記ビーム障害インスタンス数を検出する、項目６４に記載の方法。
（項目６６）
複数の基準信号から、前記ビーム障害回復を開始することに応答して１つ以上の第２の閾値に基づいて第１の基準信号を選択することをさらに含む、項目６４に記載の方法。
（項目６７）
前記第２のＳＲが、前記第１の基準信号の基準信号受信パワー値を示す、項目６６に記載の方法。
（項目６８）
前記第２のＳＲが、
前記ビーム障害インスタンス数が検出されることと、
前記第１の基準信号が選択されることと、のうちの少なくとも一方を示す、項目６６に記載の方法。
（項目６９）
前記第１のダウンリンク制御情報のためのダウンリンク制御チャネルをモニタすることをさらに含む、項目５８に記載の方法。
（項目７０）
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、項目６９に記載の方法。
（項目７１）
前記ダウンリンク制御チャネルが、前記第２のＳＲに関連付けられる、項目７０に記載の方法。
（項目７２）
前記ダウンリンク制御チャネルが前記第２のＳＲと関連付けられることが、
前記第２のＳＲに基づいて前記ダウンリンク制御チャネルの少なくとも１つの制御リソースセットが決定されることと、
前記第２のＳＲに基づいて前記ダウンリンク制御チャネルの少なくとも１つの探索空間が決定されることと、のうちの少なくとも一方を含む、項目７１に記載の方法。
（項目７３）
方法であって、
無線デバイスによって、バッファステータスレポートプロシージャに基づく第１のスケジューリング要求（ＳＲ）を伝送することと、
ビーム障害回復を開始することに応答して、第２のＳＲをトリガすることと、
前記第２のＳＲのために構成されたアップリンクリソースを介して前記第２のＳＲを伝送することと、
前記第２のＳＲに応答して第１のダウンリンク制御情報を受信することと、
前記第１のダウンリンク制御情報がダウンリンク割り当てを含むことに基づいて、
前記第１のＳＲを保留状態に保持し、かつ
前記ビーム障害回復のための前記第２のＳＲをキャンセルすることと、を含む、方法。
（項目７４）
前記アップリンクリソースが、
周波数無線リソースと、
アップリンク制御チャネルフォーマットと、
基本シーケンスのサイクリックシフトと、
時間無線リソースと、のうちの少なくとも１つを含む、項目７３に記載の方法。
（項目７５）
前記第２のＳＲをキャンセルすることに応答して、前記ビーム障害回復を完了することをさらに含む、項目７３に記載の方法。
（項目７６）
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、項目７３に記載の方法。
（項目７７）
前記無線デバイスが、前記第２の構成パラメータに基づいて前記第２のＳＲをトリガする、項目７６に記載の方法。
（項目７８）
前記第２の構成パラメータが、前記第２のＳＲのためのアップリンク制御チャネルの前記アップリンクリソースを示す、項目７６に記載の方法。
（項目７９）
前記無線デバイスが、ビーム障害インスタンス数を検出することに応答して、前記ビーム障害回復を開始する、項目７３に記載の方法。
（項目８０）
前記無線デバイスは、１つ以上の基準信号リソースのチャネル品質が１つ以上の第１の閾値よりも低いことに応答して、前記ビーム障害インスタンス数を検出する、項目７９に記載の方法。
（項目８１）
複数の基準信号から、前記ビーム障害回復を開始することに応答して１つ以上の第２の閾値に基づいて第１の基準信号を選択することをさらに含む、項目７９に記載の方法。
（項目８２）
前記第２のＳＲが、前記第１の基準信号の基準信号受信パワー値を示す、項目８１に記載の方法。
（項目８３）
前記第２のＳＲが、
前記ビーム障害インスタンス数が検出されることと、
前記第１の基準信号が選択されることと、のうちの少なくとも一方を示す、項目８１に記載の方法。
（項目８４）
前記第１のダウンリンク制御情報のためのダウンリンク制御チャネルをモニタすることをさらに含む、項目７３に記載の方法。
（項目８５）
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、項目８４に記載の方法。
（項目８６）
前記ダウンリンク制御チャネルが、前記第２のＳＲに関連付けられる、項目８４に記載の方法。
（項目８７）
前記ダウンリンク制御チャネルが前記第２のＳＲと関連付けられることが、
前記ダウンリンク制御チャネルの少なくとも１つの制御リソースセットが、前記第２のＳＲに基づいて決定されることと、
前記ダウンリンク制御チャネルの少なくとも１つの探索空間が、前記第２のＳＲに基づいて決定されることと、のうちの少なくとも一方を含む、項目８６に記載の方法。
（項目８８）
前記第１のＳＲを保留状態に保持することに応答して、前記第１のＳＲのために構成された第２のアップリンク制御チャネルリソースを介して前記第１のＳＲを伝送することをさらに含む、項目７３に記載の方法。
（項目８９）
第２のダウンリンク制御チャネルを介して、１つ以上のアップリンク許可を含む１つ以上の第２のダウンリンク制御情報を受信することをさらに含む、項目８８に記載の方法。
（項目９０）
前記１つ以上のアップリンク許可がアップリンク伝送に利用可能なデータに対応していることに応答して、前記第１のＳＲをキャンセルすることをさらに含む、項目８９に記載の方法。
（項目９１）
方法であって、
無線デバイスによって、バッファステータスレポートプロシージャに基づく第１のスケジューリング要求（ＳＲ）をトリガすることと、
ビーム障害回復を開始することに基づいて、第２のＳＲをトリガすることと、
前記第２のＳＲと関連付けられたアップリンクリソースを介して前記第２のＳＲを伝送することと、
前記第２のＳＲへの応答のためのダウンリンク制御チャネルをモニタすることと、
ＳＲカウンタが第１の値以上であることに基づいて、前記第２のＳＲをキャンセルし、
前記第１のＳＲを保留状態に保持し、かつ
前記ビーム障害回復のためのランダムアクセスプロシージャを開始することと、を含む、方法。
（項目９２）
前記アップリンクリソースが、
周波数無線リソースと、
アップリンク制御チャネルフォーマットと、
基本シーケンスのサイクリックシフトと、
時間無線リソースと、のうちの少なくとも１つを含む、項目９１に記載の方法。
（項目９３）
前記第２のＳＲをキャンセルすることに応答して、前記ビーム障害回復を完了することをさらに含む、項目９１に記載の方法。
（項目９４）
前記第１のＳＲを含む第１の複数のＳＲの第１の構成パラメータと、
前記第２のＳＲの第２の構成パラメータと、のうちの少なくとも一方を含む１つ以上のメッセージを受信することをさらに含む、項目９１に記載の方法。
（項目９５）
前記無線デバイスが、前記第２の構成パラメータに基づいて前記第２のＳＲをトリガする、項目９４に記載の方法。
（項目９６）
前記第２の構成パラメータが、前記第２のＳＲのためのアップリンク制御チャネルの前記アップリンクリソースを示す、項目９４に記載の方法。
（項目９７）
前記無線デバイスが、ビーム障害インスタンス数を検出することに応答して、前記ビーム障害回復を開始する、項目９１に記載の方法。
（項目９８）
前記無線デバイスは、１つ以上の基準信号リソースのチャネル品質が１つ以上の第１の閾値よりも低いことに応答して、前記ビーム障害インスタンス数を検出する、項目９７に記載の方法。
（項目９９）
複数の基準信号から、前記ビーム障害回復を開始することに応答して１つ以上の第２の閾値に基づいて第１の基準信号を選択することをさらに含む、項目９７に記載の方法。
（項目１００）
前記第２のＳＲが、前記第１の基準信号の基準信号受信パワー値を示す、項目９９に記載の方法。
（項目１０１）
前記第２のＳＲが、
前記ビーム障害インスタンス数が検出されることと、
前記第１の基準信号が選択されることと、のうちの少なくとも一方を示す、項目９９に記載の方法。
（項目１０２）
前記応答のためのダウンリンク制御チャネルをモニタすることをさらに含む、項目９１に記載の方法。
（項目１０３）
前記無線デバイスが、
前記ダウンリンク制御チャネルの少なくとも１つの制御リソースセットと、
前記ダウンリンク制御チャネルの少なくとも１つの探索空間と、に関して前記ダウンリンク制御チャネルをモニタする、項目１０２に記載の方法。
（項目１０４）
前記ダウンリンク制御チャネルが、前記第２のＳＲと関連付けられる、項目１０２に記載の方法。
（項目１０５）
前記ダウンリンク制御チャネルが前記第２のＳＲと関連付けられることが、
前記ダウンリンク制御チャネルの少なくとも１つの制御リソースセットが、前記第２のＳＲに基づいて決定されることと、
前記ダウンリンク制御チャネルの少なくとも１つの探索空間が、前記第２のＳＲに基づいて決定されることと、のうちの少なくとも一方を含む、項目１０４に記載の方法。
（項目１０６）
前記無線デバイスが、応答ウィンドウで前記ダウンリンク制御チャネルをモニタする、項目９１に記載の方法。
（項目１０７）
前記応答ウィンドウのサイズが、ＲＲＣメッセージに構成されている、項目１０６に記載の方法。
（項目１０８）
前記応答ウィンドウで前記応答を受信しないことに基づいて、前記ＳＲカウンタをインクリメントすることをさらに含む、項目１０７に記載の方法。
（項目１０９）
前記第１のＳＲを保留状態に保持することに応答して、前記第１のＳＲのために構成された第２のアップリンク制御チャネルリソースを介して前記第１のＳＲを伝送することをさらに含む、項目９１に記載の方法。
（項目１１０）
第２のダウンリンク制御チャネルを介して、１つ以上のアップリンク許可を含む１つ以上の第２のダウンリンク制御情報を受信することをさらに含む、項目１０９に記載の方法。
（項目１１１）
前記１つ以上のアップリンク許可がアップリンク伝送に利用可能なデータに対応していることに応答して、前記第１のＳＲをキャンセルすることをさらに含む、項目１１０に記載の方法。
（項目１１２）
方法であって、
無線デバイスによって、ビーム障害インスタンス数を検出することに基づいて、ビーム障害回復を開始することと、
ランダムアクセスチャネルリソースを介して、前記ビーム障害回復を開始することに応答して、プリアンブルを伝送することと、
前記プリアンブルへの第１の応答を受信しないことに応答して、要求伝送カウンタをインクリメントすることと、
アップリンク制御チャネルリソースを介して、前記ビーム障害回復のためのアップリンク制御情報を伝送することと、
前記アップリンク制御情報への第２の応答を受信しないことに応答して、前記要求伝送カウンタをインクリメントすることと、
前記要求伝送カウンタが第１の値以上であることに応答して、前記ビーム障害回復を完了することと、を含む、方法。
（項目１１３）
前記無線デバイスは、１つ以上の基準信号リソースのチャネル品質が１つ以上の第１の閾値よりも低いことに応答して、前記ビーム障害インスタンス数を検出する、項目１１２に記載の方法。
（項目１１４）
前記アップリンク制御チャネルリソースが、
周波数無線リソースと、
アップリンク制御チャネルフォーマットと、
基本シーケンスのサイクリックシフトと、
時間無線リソースと、のうちの少なくとも１つを含む、項目１１２に記載の方法。
（項目１１５）
複数の基準信号から、前記ビーム障害回復を開始することに応答して１つ以上の第２の閾値に基づいて第１の基準信号を選択することをさらに含む、項目１１２に記載の方法。
（項目１１６）
前記ランダムアクセスチャネルリソースが、前記第１の基準信号と関連付けられる、項目１１５に記載の方法。
（項目１１７）
前記プリアンブルの前記伝送に基づいて、第１の時間値で応答ウィンドウを開始することをさらに含む、項目１１２に記載の方法。
（項目１１８）
前記無線デバイスは、前記応答ウィンドウが満了すると、前記プリアンブルへの前記第１の応答を受信しないことに応答して、前記要求伝送カウンタをインクリメントする、項目１１７に記載の方法。
（項目１１９）
前記アップリンク制御情報を伝送することに応答して、時間値で応答ウィンドウを開始することをさらに含む、項目１１２に記載の方法。
（項目１２０）
前記無線デバイスは、前記応答ウィンドウが満了すると、前記アップリンク制御情報への前記第２の応答を受信しないことに応答して、前記要求伝送カウンタをインクリメントする、項目１１９に記載の方法。
（項目１２１）
方法であって、
ランダムアクセスチャネルリソースを介して、ビーム障害回復を開始することに基づいて、プリアンブルを伝送することと、
前記プリアンブルへの第１の応答を受信しないことに基づいて、要求伝送カウンタをインクリメントすることと、
アップリンク制御チャネルリソースを介して、前記ビーム障害回復のためのアップリンク制御情報を伝送することと、
要求伝送カウンタが第１の値以上であることに基づいて、前記ビーム障害回復を完了することと、を含む、方法。
（項目１２２）
方法であって、
第１のランダムアクセスチャネルリソースを介して、前記第１のランダムアクセスチャネルリソースが第１のアップリンク制御チャネルリソースよりも早いことに基づいて、ビーム障害回復のためのプリアンブルを伝送することと、
応答ウィンドウ中に前記プリアンブルへの応答を受信せず、かつ
前記第２のアップリンク制御チャネルリソースが、第２のランダムアクセスチャネルリソースよりも早いことに基づいて、前記ビーム障害回復のためのアップリンク制御情報を、第２のアップリンク制御チャネルリソースを介して伝送することと、を含む、方法。
（項目１２３）
前記第１のアップリンク制御チャネルリソースが、
周波数無線リソースと、
アップリンク制御チャネルフォーマットと、
基本シーケンスのサイクリックシフトと、
時間無線リソースと、のうちの少なくとも１つを含む、項目１２２に記載の方法。
（項目１２４）
前記プリアンブルを伝送することに応答して前記応答ウィンドウを開始することをさらに含む、項目１２２に記載の方法。
（項目１２５）
前記アップリンク制御情報を伝送することに応答して前記応答ウィンドウを開始することをさらに含む、項目１２２に記載の方法。
（項目１２６）
ビーム障害インスタンス数を検出することに基づいて前記ビーム障害回復を開始することをさらに含む、項目１２２に記載の方法。
（項目１２７）
無線デバイスは、１つ以上の基準信号リソースのチャネル品質が１つ以上の第１の閾値よりも低いことに応答して、前記ビーム障害インスタンス数を検出する、項目１２６に記載の方法。
（項目１２８）
複数の基準信号から、前記ビーム障害回復を開始することに応答して１つ以上の第２の閾値に基づいて第１の基準信号を選択することをさらに含む、項目１２６に記載の方法。
（項目１２９）
前記第１のランダムアクセスチャネルリソースが、前記第１の基準信号と関連付けられる、項目１２８に記載の方法。
（項目１３０）
前記第１のアップリンク制御チャネルリソースが、前記第１の基準信号と関連付けられる、項目１２９に記載の方法。
（項目１３１）
方法であって、
無線デバイスによって、ビーム障害インスタンス数を検出することに基づいて、ビーム障害回復を開始することと、
前記ビーム障害回復を開始することに応答して、第１のランダムアクセスチャネルリソースが第１のアップリンク制御チャネルリソースよりも早いと決定することと、
前記第１のランダムアクセスチャネルリソースを介して、前記ビーム障害回復のためのプリアンブルを伝送することと、
前記プリアンブルへの応答のためのダウンリンク制御チャネルをモニタすることと、
前記応答を受信しないことに応答して、第２のアップリンク制御チャネルリソースが第２のランダムアクセスチャネルリソースよりも早いと決定することと、
前記第２のアップリンク制御チャネルリソースを介して、前記ビーム障害回復のためのアップリンク制御情報を伝送することと、を含む、方法。
【国際調査報告】
2021512553.tif 000044
2021512553.tif 000045
2021512553.tif 000046
2021512553.tif 000047
2021512553.tif 000048